(57)【要約】本発明の実施形態は、無線アクセス制御方法、装置およびシステムを提供し、通信分野に関する。方法は：MMEによって過負荷開始メッセージをアクセス・ネットワーク装置に送る段階であって、前記過負荷開始メッセージは、禁止されるサービス型および禁止されるデータ送信属性および／または許可されるサービス型および許可されるデータ送信属性を示す、段階と；アクセス・ネットワーク装置によって、前記過負荷開始メッセージを受信し、アクセス制御情報を生成し、該アクセス制御情報を端末装置に送る段階であって、前記アクセス制御情報は前記禁止されるサービス型および前記禁止されるデータ送信属性および／または前記許可されるサービス型および前記許可されるデータ送信属性を前記端末装置に対して示す、段階と；該アクセス制御情報を受信後、前記サービス型および前記データ送信属性に基づいて、前記端末装置によって、RRC接続要求を前記アクセス・ネットワーク装置に送るかどうかを決定する段階とを含む。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：MMEの負荷を著しく増すことなくできるだけ多くのサービス型についてサービス機能が提供され、それによりネットワーク資源利用率を改善する。
2019509698.tif 000002
【特許請求の範囲】
【請求項１】
無線アクセス制御方法であって、当該方法は：
アクセス・ネットワーク装置によって送られたアクセス制御情報を端末装置によって受信する段階であって、前記アクセス制御情報は禁止されるサービス型および禁止されるデータ送信属性および／または許可されるサービス型および許可されるデータ送信属性を前記端末装置に対して示すために使われる、段階と；
前記禁止されるサービス型および前記禁止されるデータ送信属性および／または前記許可されるサービス型および前記許可されるデータ送信属性に基づいて、無線資源制御RRC接続要求を前記アクセス・ネットワーク装置に送るかどうかを前記端末装置によって決定する段階とを含み、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
方法。
【請求項２】
前記アクセス制御情報はアクセス制御因子およびアクセス制御時間期間を含み；
前記サービス型および前記データ送信属性に基づいて、無線資源制御RRC接続要求を前記アクセス・ネットワーク装置に送るかどうかを決定する前記段階は：
現在のサービスのサービス型が前記禁止されるサービス型に合い、前記現在のサービスに対応するデータ送信属性が前記禁止されるデータ送信属性に合うとき、乱数を生成する段階と；
前記乱数が前記アクセス制御因子より小さいかどうかを判定する段階と；
前記乱数が前記アクセス制御因子より小さいときは、前記RRC接続要求を前記アクセス・ネットワーク装置に送ることを決定する；または
前記乱数が前記アクセス制御因子以上であるときは、前記アクセス制御時間期間に基づいてタイマーを設定して、該タイマーが満了するときに、乱数を生成する前記段階を再実行する段階とを含む、
請求項１記載の方法。
【請求項３】
前記アクセス制御情報は、アクセス禁止クラスを含み；
前記サービス型および前記データ送信属性に基づいて、無線資源制御RRC接続要求を前記アクセス・ネットワーク装置に送るかどうかを決定する前記段階は：
現在のサービスのサービス型が前記禁止されるサービス型に合い、前記現在のサービスに対応するデータ送信属性が前記禁止されるデータ送信属性に合うとき、前記端末装置のアクセス・クラスが前記アクセス禁止クラスに等しいかどうかを検出し、前記端末装置のアクセス・クラスが前記アクセス禁止クラスに等しくなければ、前記RRC接続要求を前記アクセス・ネットワーク装置に送ることを決定する；または
現在のサービスのサービス型が前記禁止されるサービス型に合い、前記現在のサービスに対応するデータ送信属性が前記禁止されるデータ送信属性に合うとき、前記端末装置のアクセス・クラスが前記アクセス禁止クラスより大きいかどうかを検出し、前記端末装置のアクセス・クラスが前記アクセス禁止クラスより小さい場合、前記RRC接続要求を前記アクセス・ネットワーク装置に送ることを決定する；または
現在のサービスのサービス型が前記禁止されるサービス型に合い、前記現在のサービスに対応するデータ送信属性が前記禁止されるデータ送信属性に合うとき、前記端末装置のアクセス・クラスが前記アクセス禁止クラスより小さいかどうかを検出し、前記端末装置のアクセス・クラスが前記アクセス禁止クラスより大きい場合、前記RRC接続要求を前記アクセス・ネットワーク装置に送ることを決定する、ことを含む、
請求項１記載の方法。
【請求項４】
前記サービス型および前記データ送信属性に基づいて、RRC接続要求を前記アクセス・ネットワーク装置に送るかどうかを決定する前記段階は：
現在のサービスのサービス型が前記許可されるサービス型に合い、前記現在のサービスに対応するデータ送信属性が前記許可されるデータ送信属性に合うときに、前記RRC接続要求を前記アクセス・ネットワーク装置に送ることを含む、
請求項１記載の方法。
【請求項５】
前記アクセス制御情報はサービス型フィールドおよびデータ送信属性フィールドを含み、前記アクセス制御情報はデフォルト・アクション型をもつ；または
前記アクセス制御情報はアクション型フィールド、サービス型フィールドおよびデータ送信属性フィールドを含む、
請求項１ないし４のうちいずれか一項記載の方法。
【請求項６】
前記アクション型フィールドはアクセス禁止およびアクセス許可の少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項５記載の方法。
【請求項７】
無線アクセス制御方法であって、当該方法は：
移動性管理エンティティーMMEによって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示すために使われる、段階と；
前記過負荷開始メッセージに基づいて、前記アクセス・ネットワーク装置によって、アクセス制御情報を生成する段階であって、前記アクセス制御情報は、前記禁止されるサービス型および前記禁止されるデータ送信属性および／または前記許可されるサービス型および前記許可されるデータ送信属性を端末装置に対して示すために使われる、段階と；
前記アクセス・ネットワーク装置によって、前記アクセス制御情報を前記端末装置に送る段階とを含み、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
方法。
【請求項８】
前記アクセス制御情報がアクセス制御因子およびアクセス制御時間期間を含む、請求項７記載の方法。
【請求項９】
前記アクセス制御情報がアクセス禁止クラスを含む、請求項７記載の方法。
【請求項１０】
前記過負荷開始メッセージはサービス型フィールドおよびデータ送信属性フィールドを含み、前記過負荷開始メッセージはデフォルト・アクション型をもつ；または
前記過負荷開始メッセージはアクション型フィールド、サービス型フィールドおよびデータ送信属性フィールドを含む、
請求項７ないし９のうちいずれか一項記載の方法。
【請求項１１】
前記アクション型フィールドはアクセス禁止およびアクセス許可の少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項１０記載の方法。
【請求項１２】
無線アクセス制御方法であって、当該方法は：
端末装置によって、無線資源制御RRC接続要求メッセージをアクセス・ネットワーク装置に送る段階であって、前記RRC接続要求は対応するサービス型および対応するデータ送信属性をもつ、段階と；
前記アクセス・ネットワーク装置によって送られたRRC接続セットアップ・メッセージまたはRRC接続拒否メッセージを前記端末装置によって受信する段階であって、前記RRC接続セットアップ・メッセージまたは前記RRC接続拒否メッセージは、前記RRC接続要求に対応する前記サービス型および前記データ送信属性が禁止されるサービス型および禁止されるデータ送信属性および／または許可されるサービス型および許可されるデータ送信属性に属するかどうかに基づいて前記アクセス・ネットワーク装置によって送られるものであり、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、段階とを含む、
方法。
【請求項１３】
前記RRC接続要求メッセージはサービス型フィールドおよびデータ送信属性フィールドを含む、請求項１２記載の方法。
【請求項１４】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項１３記載の方法。
【請求項１５】
当該方法がさらに：
前記RRC接続要求に対応する前記データ送信属性を、前記端末装置によって前記アクセス・ネットワーク装置に送ることを含み、前記RRC接続要求メッセージはサービス型フィールドを含む、
請求項１２記載の方法。
【請求項１６】
無線アクセス制御方法であって、当該方法は：
移動性管理エンティティーMMEによって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示すために使われる、段階と；
端末装置によって送られた無線資源制御RRC接続要求メッセージを前記アクセス・ネットワーク装置によって受信する段階であって、前記RRC接続要求は対応するサービス型および対応するデータ送信属性をもつ、段階と；
前記アクセス・ネットワーク装置によって、RRC接続セットアップ・メッセージまたはRRC接続拒否メッセージを、前記RRC接続要求に対応する前記サービス型および前記データ送信属性が前記禁止されるサービス型および前記禁止されるデータ送信属性および／または前記許可されるサービス型および前記許可されるデータ送信属性に属するかどうかに基づいて、前記端末装置に送る段階であって、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、段階とを含む、
方法。
【請求項１７】
前記RRC接続要求メッセージはサービス型フィールドおよびデータ送信属性フィールドを含む、請求項１６記載の方法。
【請求項１８】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項１７記載の方法。
【請求項１９】
当該方法がさらに：
前記RRC接続要求に対応する、前記端末装置によって送られる前記データ送信属性を、前記アクセス・ネットワーク装置によって受信することをさらに含み、前記RRC接続要求メッセージはサービス型フィールドを含む、
請求項１６記載の方法。
【請求項２０】
前記アクセス・ネットワーク装置によって、RRC接続セットアップ・メッセージまたはRRC接続拒否メッセージを、前記RRC接続要求に対応する前記サービス型および前記データ送信属性が前記禁止されるサービス型および前記禁止されるデータ送信属性および／または前記許可されるサービス型および前記許可されるデータ送信属性に属するかどうかに基づいて、前記端末装置に送る前記段階は：
前記RRC接続要求に対応する前記サービス型および前記データ送信属性が前記許可されるサービス型および前記許可されるデータ送信属性であるときに、前記RRC接続セットアップ・メッセージを前記端末装置に送ること；または
前記RRC接続要求に対応する前記サービス型および前記データ送信属性が前記禁止されるサービス型および前記禁止されるデータ送信属性であるときに、前記RRC接続拒否メッセージを前記端末装置に送ることを含む、
請求項１６記載の方法。
【請求項２１】
無線アクセス制御装置であって、当該装置は：
アクセス・ネットワーク装置によって送られたアクセス制御情報を受信するよう構成された受信ユニットであって、前記アクセス制御情報は禁止されるサービス型および禁止されるデータ送信属性および／または許可されるサービス型および許可されるデータ送信属性を端末装置に対して示すために使われる、受信ユニットと；
前記サービス型および前記データ送信属性に基づいて、無線資源制御RRC接続要求を前記アクセス・ネットワーク装置に送るかどうかを決定するよう構成された処理ユニットとを有しており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
装置。
【請求項２２】
前記処理ユニットはさらに、現在のサービスのサービス型が前記禁止されるサービス型に合い、前記現在のサービスに対応するデータ送信属性が前記禁止されるデータ送信属性に合うとき、乱数を生成するよう構成され；
前記処理ユニットはさらに、前記乱数が前記アクセス制御情報に含まれるアクセス制御因子より小さいかどうかを判定するよう構成され；
前記処理ユニットはさらに：前記乱数が前記アクセス制御因子より小さいときは、前記RRC接続要求を、前記第一の通信ユニットを使って前記アクセス・ネットワーク装置に送ることを決定するよう構成される；または
前記処理ユニットはさらに、前記乱数が前記アクセス制御因子以上であるときは、前記アクセス制御情報に含まれるアクセス制御時間期間に基づいてタイマーを設定して、該タイマーが満了するときに、乱数を生成する前記段階を再実行するよう構成される、
請求項２１記載の装置。
【請求項２３】
前記処理ユニットはさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれるアクセス禁止クラスに等しいかどうかを検出し；前記端末装置のアクセス・クラスが前記アクセス禁止クラスに等しくなければ、前記RRC接続要求を送信ユニットを使って前記アクセス・ネットワーク装置に送ることを決定するよう構成される；または
前記処理ユニットはさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれるアクセス禁止クラスより大きいかどうかを検出し；前記端末装置のアクセス・クラスが前記アクセス禁止クラスより小さい場合、前記RRC接続要求を送信ユニットを使って前記アクセス・ネットワーク装置に送ることを決定するよう構成される；または
前記処理ユニットはさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれるアクセス禁止クラスより小さいかどうかを検出し；前記端末装置のアクセス・クラスが前記アクセス禁止クラスより大きい場合、前記RRC接続要求を送信ユニットを使って前記アクセス・ネットワーク装置に送ることを決定するよう構成される、
請求項２１記載の装置。
【請求項２４】
前記処理ユニットはさらに：現在のサービスのサービス型が前記禁止されるサービス型に合い、前記現在のサービスに対応するデータ送信属性が前記許可されるデータ送信属性に合うときに、前記RRC接続要求を前記送信ユニットを使って前記アクセス・ネットワーク装置に送るよう構成されている、
請求項２１記載の装置。
【請求項２５】
前記アクセス制御情報はサービス型フィールドおよびデータ送信属性フィールドを含み、前記アクセス制御情報はデフォルト・アクション型をもつ；または
前記アクセス制御情報はアクション型フィールド、サービス型フィールドおよびデータ送信属性フィールドを含む、
請求項２１ないし２４のうちいずれか一項記載の装置。
【請求項２６】
前記アクション型フィールドはアクセス禁止およびアクセス許可のうちの少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項２５記載の装置。
【請求項２７】
無線アクセス制御装置であって、当該装置は：
移動性管理エンティティーMMEによって送られた過負荷開始メッセージを受信するよう構成された受信ユニットであって、前記過負荷開始メッセージは、禁止されるサービス型および禁止されるデータ送信属性および／または許可されるサービス型および許可されるデータ送信属性を前記アクセス・ネットワーク装置に対して示すために使われる、受信ユニットと；
前記受信ユニットによって受信された前記過負荷開始メッセージに基づいてアクセス制御情報を生成するよう構成された処理ユニットであって、前記アクセス制御情報は、前記禁止されるサービス型および前記禁止されるデータ送信属性および／または前記許可されるサービス型および前記許可されるデータ送信属性を端末装置に対して示すために使われる、処理ユニットと；
前記アクセス制御情報を前記端末装置に送るよう構成された送信ユニットとを有しており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
装置。
【請求項２８】
前記アクセス制御情報はアクセス制御因子およびアクセス制御時間期間を含む、請求項２７記載の装置。
【請求項２９】
前記アクセス制御情報は、アクセス禁止クラスを含む、請求項２７記載の装置。
【請求項３０】
前記過負荷開始メッセージはサービス型フィールドおよびデータ送信属性フィールドを含み、前記過負荷開始メッセージはデフォルト・アクション型をもつ；または
前記過負荷開始メッセージはアクション型フィールド、サービス型フィールドおよびデータ送信属性フィールドを含む、
請求項２７ないし２９のうちいずれか一項記載の装置。
【請求項３１】
前記アクション型フィールドはアクセス禁止およびアクセス許可のうちの少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項３０記載の装置。
【請求項３２】
無線アクセス制御装置であって、当該装置は：
無線資源制御RRC接続要求メッセージをアクセス・ネットワーク装置に送るよう構成された送信ユニットであって、前記RRC接続要求は対応するサービス型および対応するデータ送信属性をもつ、送信ユニットと；
前記アクセス・ネットワーク装置によって送られたRRC接続セットアップ・メッセージまたはRRC接続拒否メッセージを受信するようさらに構成された受信ユニットであって、前記RRC接続セットアップ・メッセージまたは前記RRC接続拒否メッセージは、前記RRC接続要求に対応する前記サービス型および前記データ送信属性が、禁止されるサービス型および禁止されるデータ送信属性および／または許可されるサービス型および許可されるデータ送信属性に属するかどうかに基づいて前記アクセス・ネットワーク装置によって送られる、受信ユニットを有しており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
装置。
【請求項３３】
前記RRC接続要求メッセージはサービス型フィールドおよびデータ送信属性フィールドを含む、請求項３２記載の装置。
【請求項３４】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項３３記載の装置。
【請求項３５】
前記送信ユニットがさらに、前記RRC接続要求に対応する前記データ送信属性を前記アクセス・ネットワーク装置に送るよう構成されており、前記RRC接続要求メッセージはサービス型フィールドを含む、
請求項３２記載の装置。
【請求項３６】
無線アクセス制御装置であって、当該装置は：
移動性管理エンティティーMMEによって送られた過負荷開始メッセージを受信するよう構成された受信ユニットであって、前記過負荷開始メッセージは、禁止されるサービス型および禁止されるデータ送信属性および／または許可されるサービス型および許可されるデータ送信属性を前記アクセス・ネットワーク装置に対して示すために使われ；
前記受信ユニットはさらに、端末装置によって送られた無線資源制御RRC接続要求メッセージを受信するよう構成されており、前記RRC接続要求は、対応するサービス型および対応するデータ送信属性をもつ、受信ユニットと；
前記RRC接続要求に対応する前記サービス型および前記データ送信属性が前記禁止されるサービス型および前記禁止されるデータ送信属性および／または前記許可されるサービス型および前記許可されるデータ送信属性に属するかどうかに基づいて、RRC接続セットアップ・メッセージまたはRRC接続拒否メッセージを前記端末装置に送るよう構成された送信ユニットとを有しており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
装置。
【請求項３７】
前記RRC接続要求メッセージはサービス型フィールドおよびデータ送信属性フィールドを含む、請求項３６記載の装置。
【請求項３８】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項３７記載の装置。
【請求項３９】
前記受信ユニットがさらに、前記端末装置によって送られる、前記RRC接続要求に対応する前記データ送信属性を受信するよう構成されており、前記RRC接続要求メッセージはサービス型フィールドを含む、
請求項３６記載の装置。
【請求項４０】
前記送信ユニットがさらに、前記RRC接続要求に対応する前記サービス型および前記データ送信属性が前記許可されるサービス型および前記許可されるデータ送信属性であるときに、前記RRC接続セットアップ・メッセージを前記端末装置に送るよう構成されている；または
前記送信ユニットがさらに、前記RRC接続要求に対応する前記サービス型および前記データ送信属性が前記禁止されるサービス型および前記禁止されるデータ送信属性であるときに、前記RRC接続拒否メッセージを前記端末装置に送るよう構成されている、
請求項３６記載の装置。
【請求項４１】
プロセッサと、前記プロセッサに結合されたメモリと、送信機と、受信機とを有する端末装置であって、前記メモリは一つまたは複数の命令を記憶するよう構成されており、前記命令は前記プロセッサによって実行されるよう構成されており；
前記プロセッサは、前記受信機を使って、アクセス・ネットワーク装置によって送られたアクセス制御情報を受信するよう構成されており、前記アクセス制御情報は禁止されるサービス型および禁止されるデータ送信属性および／または許可されるサービス型および許可されるデータ送信属性を当該端末装置に対して示すために使われる；
前記プロセッサはさらに、前記サービス型および前記データ送信属性に基づいて、RRC接続要求を前記アクセス・ネットワーク装置に送るかどうかを決定するよう構成されており；
前記データ送信属性は送信方式型および／または無線アクセス技術RAT型を含み、前記送信方式型は、サービス・データを送信するために当該端末装置によって使われる送信方式を示すために使われ、前記RAT型は当該端末装置によって使われる無線アクセス技術を示すために使われる、
端末装置。
【請求項４２】
前記プロセッサはさらに、現在のサービスのサービス型が前記禁止されるサービス型に合い、前記現在のサービスに対応するデータ送信属性が前記禁止されるデータ送信属性に合うとき、乱数を生成するよう構成されており；
前記プロセッサはさらに、前記乱数が前記アクセス制御情報に含まれるアクセス制御因子より小さいかどうかを判定するよう構成されており；
前記プロセッサはさらに：前記乱数が前記アクセス制御因子より小さいときは、前記RRC接続要求を、前記送信機を使って前記アクセス・ネットワーク装置に送ることを決定するよう構成されている；または
前記プロセッサはさらに、前記乱数が前記アクセス制御因子以上であるときは、前記アクセス制御情報に含まれるアクセス制御時間期間に基づいてタイマーを設定して、該タイマーが満了するときに、乱数を生成する前記段階を再実行するよう構成されている、
請求項４１記載の端末装置。
【請求項４３】
前記プロセッサはさらに：現在のサービスのサービス型が前記許可されるサービス型に合い、前記現在のサービスに対応するデータ送信属性が前記禁止されるデータ送信属性に合うとき、当該端末装置のアクセス・クラスが前記アクセス制御情報に含まれるアクセス禁止クラスに等しいかどうかを検出し；当該端末装置のアクセス・クラスが前記アクセス禁止クラスに等しくなければ、前記RRC接続要求を前記送信機を使って前記アクセス・ネットワーク装置に送ることを決定するよう構成されている；または
前記プロセッサはさらに：現在のサービスのサービス型が前記許可されるサービス型に合い、前記現在のサービスに対応するデータ送信属性が前記禁止されるデータ送信属性に合うとき、当該端末装置のアクセス・クラスが前記アクセス制御情報に含まれるアクセス禁止クラスより大きいかどうかを検出し；当該端末装置のアクセス・クラスが前記アクセス禁止クラスより小さい場合、前記RRC接続要求を前記送信機を使って前記アクセス・ネットワーク装置に送ることを決定するよう構成される；または
前記プロセッサはさらに：現在のサービスのサービス型が前記許可されるサービス型に合い、前記現在のサービスに対応するデータ送信属性が前記禁止されるデータ送信属性に合うとき、当該端末装置のアクセス・クラスが前記アクセス制御情報に含まれるアクセス禁止クラスより小さいかどうかを検出し；当該端末装置のアクセス・クラスが前記アクセス禁止クラスより大きい場合、前記RRC接続要求を前記送信機を使って前記アクセス・ネットワーク装置に送ることを決定するよう構成されている、
請求項４１記載の端末装置。
【請求項４４】
前記プロセッサはさらに：現在のサービスのサービス型が前記許可されるサービス型に合い、前記現在のサービスに対応するデータ送信属性が前記許可されるデータ送信属性に合うときに、前記RRC接続要求を前記送信機を使って前記アクセス・ネットワーク装置に送るよう構成されている、
請求項４１記載の端末装置。
【請求項４５】
前記アクセス制御情報はサービス型フィールドおよびデータ送信属性フィールドを含み、前記アクセス制御情報はデフォルト・アクション型をもつ；または
前記アクセス制御情報はアクション型フィールド、サービス型フィールドおよびデータ送信属性フィールドを含む、
請求項４１ないし４４のうちいずれか一項記載の端末装置。
【請求項４６】
前記アクション型フィールドはアクセス禁止およびアクセス許可のうちの少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項４５記載の端末装置。
【請求項４７】
プロセッサと、前記プロセッサに結合されたメモリと、送信機と、受信機とを有するアクセス・ネットワーク装置であって、前記メモリは一つまたは複数の命令を記憶するよう構成されており、前記命令は前記プロセッサによって実行されるよう構成されており；
前記プロセッサは、移動性管理エンティティーMMEによって送られた過負荷開始メッセージを前記受信機を使って受信するよう構成されており、前記過負荷開始メッセージは、禁止されるサービス型および禁止されるデータ送信属性および／または許可されるサービス型および許可されるデータ送信属性を当該アクセス・ネットワーク装置に対して示すために使われ；
前記プロセッサはさらに、前記受信機によって受信された前記過負荷開始メッセージに基づいてアクセス制御情報を生成するよう構成されており、前記アクセス制御情報は、前記禁止されるサービス型および前記禁止されるデータ送信属性および／または前記許可されるサービス型および前記許可されるデータ送信属性を端末装置に対して示すために使われ；
前記プロセッサはさらに、前記アクセス制御情報を前記送信機を使って前記端末装置に送るよう構成されており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
アクセス・ネットワーク装置。
【請求項４８】
前記アクセス制御情報はアクセス制御因子およびアクセス制御時間期間を含む、請求項４７記載のアクセス・ネットワーク装置。
【請求項４９】
前記アクセス制御情報は、アクセス禁止クラスを含む、請求項４７記載のアクセス・ネットワーク装置。
【請求項５０】
前記過負荷開始メッセージはサービス型フィールドおよびデータ送信属性フィールドを含み、前記過負荷開始メッセージはデフォルト・アクション型をもつ；または
前記過負荷開始メッセージはアクション型フィールド、サービス型フィールドおよびデータ送信属性フィールドを含む、
請求項４７ないし４９のうちいずれか一項記載のアクセス・ネットワーク装置。
【請求項５１】
前記アクション型フィールドはアクセス禁止およびアクセス許可のうちの少なくとも一方を含み；
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項５０記載のアクセス・ネットワーク装置。
【請求項５２】
プロセッサと、前記プロセッサに結合されたメモリと、送信機と、受信機とを有する端末装置であって、前記メモリは一つまたは複数の命令を記憶するよう構成されており、前記命令は前記プロセッサによって実行されるよう構成されており；
前記プロセッサは、前記送信機を使って、無線資源制御RRC接続要求メッセージをアクセス・ネットワーク装置に送るよう構成されており、前記RRC接続要求は対応するサービス型および対応するデータ送信属性をもち；
前記プロセッサは、前記アクセス・ネットワーク装置によって送られたRRC接続セットアップ・メッセージまたはRRC接続拒否メッセージを前記受信機を使って受信するようさらに構成されており、前記RRC接続セットアップ・メッセージまたは前記RRC接続拒否メッセージは、前記RRC接続要求に対応する前記サービス型および前記データ送信属性が、禁止されるサービス型および禁止されるデータ送信属性および／または許可されるサービス型および許可されるデータ送信属性に属するかどうかに基づいて前記アクセス・ネットワーク装置によって送られ、
前記データ送信属性は送信方式型および／または無線アクセス技術RAT型を含み、前記送信方式型は、サービス・データを送信するために当該端末装置によって使われる送信方式を示すために使われ、前記RAT型は当該端末装置によって使われる無線アクセス技術を示すために使われる、
端末装置。
【請求項５３】
前記RRC接続要求メッセージはサービス型フィールドおよびデータ送信属性フィールドを含む、請求項５２記載の端末装置。
【請求項５４】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項５３記載の端末装置。
【請求項５５】
前記プロセッサがさらに、前記RRC接続要求に対応する前記データ送信属性を前記送信機を使って前記アクセス・ネットワーク装置に送るよう構成されており、前記RRC接続要求メッセージはサービス型フィールドを含む、
請求項５２記載の端末装置。
【請求項５６】
プロセッサと、前記プロセッサに結合されたメモリと、送信機と、受信機とを有するアクセス・ネットワーク装置であって、前記メモリは一つまたは複数の命令を記憶するよう構成されており、前記命令は前記プロセッサによって実行されるよう構成されており；
前記プロセッサは、移動性管理エンティティーMMEによって送られた過負荷開始メッセージを前記受信機を使って受信するよう構成されており、前記過負荷開始メッセージは、禁止されるサービス型および禁止されるデータ送信属性および／または許可されるサービス型および許可されるデータ送信属性を前記アクセス・ネットワーク装置に対して示すために使われ；
前記プロセッサは、端末装置によって送られた無線資源制御RRC接続要求メッセージを前記受信機を使って受信するよう構成されており、前記RRC接続要求は、対応するサービス型および対応するデータ送信属性をもち；
前記プロセッサは、前記RRC接続要求に対応する前記サービス型および前記データ送信属性が前記禁止されるサービス型および前記禁止されるデータ送信属性および／または前記許可されるサービス型および前記許可されるデータ送信属性に属するかどうかに基づいて、RRC接続セットアップ・メッセージまたはRRC接続拒否メッセージを前記送信機を使って前記端末装置に送るよう構成されており、
前記データ送信属性は送信方式型および／または無線アクセス技術RAT型を含み、前記送信方式型は、サービス・データを送信するために前記端末装置によって使われる送信方式を示すために使われ、前記RAT型は前記端末装置によって使われる無線アクセス技術を示すために使われる、
アクセス・ネットワーク装置。
【請求項５７】
前記RRC接続要求メッセージはサービス型フィールドおよびデータ送信属性フィールドを含む、請求項５６記載のアクセス・ネットワーク装置。
【請求項５８】
前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスのうちの少なくとも一つを含み；
前記データ送信属性が前記送信方式型であるとき、前記データ送信属性フィールドはユーザー・プレーン方式および制御プレーン方式のうちの少なくとも一方を含む；または
前記データ送信属性が前記RAT型であるとき、前記データ送信属性フィールドは、ワイドバンド進化型万国移動通信システムUMTS地上無線アクセス・ネットワークWB-E-UTRANおよびセルラー・ベースのナローバンド・モノのインターネットNB-IoTのうちの少なくとも一方を含む、
請求項５７記載のアクセス・ネットワーク装置。
【請求項５９】
前記プロセッサがさらに、前記端末装置によって送られる、前記RRC接続要求に対応する前記データ送信属性を前記受信機を使って受信するよう構成されており、前記RRC接続要求メッセージはサービス型フィールドを含む、
請求項５６記載のアクセス・ネットワーク装置。
【請求項６０】
前記プロセッサがさらに、前記RRC接続要求に対応する前記サービス型および前記データ送信属性が前記許可されるサービス型および前記許可されるデータ送信属性であるときに、前記RRC接続セットアップ・メッセージを前記送信機を使って前記端末装置に送るよう構成されている；または
前記プロセッサがさらに、前記RRC接続要求に対応する前記サービス型および前記データ送信属性が前記禁止されるサービス型および前記禁止されるデータ送信属性であるときに、前記RRC接続拒否メッセージを前記送信機を使って前記端末装置に送るよう構成されている、
請求項５６記載のアクセス・ネットワーク装置。
【請求項６１】
請求項４１ないし４６のうちいずれか一項記載の端末装置と、請求項４７ないし５１のうちいずれか一項記載のアクセス・ネットワーク装置とを有する、無線アクセス制御システム。
【請求項６２】
端末装置とアクセス・ネットワーク装置とを有する無線アクセス制御システムであって、
前記端末装置は、請求項２１ないし２６のうちいずれか一項記載の無線アクセス制御装置を有し、前記アクセス・ネットワーク装置は請求項２７ないし３１のうちいずれか一項記載の無線アクセス制御装置を有する；または
前記端末装置は、請求項３２ないし３５のうちいずれか一項記載の無線アクセス制御装置を有し、前記アクセス・ネットワーク装置は請求項３６ないし４０のうちいずれか一項記載の無線アクセス制御装置を有する、
無線アクセス制御システム。
【発明の詳細な説明】
【技術分野】
【０００１】
本発明の実施形態は通信分野に、詳細には無線アクセス制御方法、装置およびシステムに関する。
【背景技術】
【０００２】
無線アクセス技術（Radio  Access  Technology、RAT）は、端末装置がモバイル通信ネットワークにアクセスするときに使われる技術である。通信技術およびモノのインターネットが発展するにつれて、端末装置はスマートフォンおよびタブレット・コンピュータのような第一の型の端末装置を含むだけでなく、スマートメーターおよびスマート機器のような第二の型の端末装置をも含んでいる。
【０００３】
一般に、第一の型の端末装置によって使われる無線アクセス技術は、ワイドバンド進化型万国移動通信システム（Universal  Mobile  Telecommunication  System、UMTS）地上無線アクセス・ネットワーク（Wide  Band  Evolved  UMTS  Terrestrial  Radio  Access  Network、WB-E-UTRAN）と称され、第二の型の端末装置によって使われる無線アクセス技術は、セルラー・ベースのナローバンド・モノのインターネット（Narrowband  Internet  of  Things、NB-IoT）と称される。端末装置は同じ基地局および同じ移動性管理エンティティー（Mobility  Management  Entity、MME）にアクセスするためにこれら二つの無線アクセス技術を使うことができる。端末装置がWB-E-UTRANを使ってサービスのために基地局にアクセスした後、サービス・データを送信するためにユーザー・プレーン（User  Plane、UP）方式が使われる。UP送信方式のデータ送信経路は：端末装置→基地局→サービスするゲートウェイ（Serving  GateWay、SGW）である。端末装置がNB-IoTを使ってサービスのために基地局にアクセスした後、UP方式に加えて、サービス・データを送信するために制御プレーン（CP）方式が使用されることができる。CP送信方式のデータ送信経路は：端末装置→基地局→MMEである。
【０００４】
MMEの負荷が比較的重い場合、MMEは過負荷開始（Overload  Start）メッセージを基地局に送る。過負荷開始メッセージは、端末装置がいくつかの型のサービスについてのみRRC接続を確立することを許可するよう基地局に指令するために使われる。しかしながら、ある型のサービスについては、UP方式がサービス・データを送信するときに使われるときには、MMEの負荷はより軽く；CP方式がサービス・データを送信するときに使われるときには、MMEの負荷はより重い。MMEがある型のすべてのサービスのアクセスを拒否するよう基地局に指令するときは、端末装置の種々のデータ送信属性によって引き起こされる負荷への影響は考慮されず、比較的低いMME資源利用率につながる。
【発明の概要】
【０００５】
本発明の実施形態は、負荷が比較的重いMMEがある型のすべてのサービスのアクセスを拒否するよう基地局に指令するために引き起こされる低いMME利用率という問題を解決するための無線アクセス制御方法、装置およびシステムを提供する。技術的解決策は以下のとおり。
【０００６】
第一の側面によれば、無線アクセス制御方法が提供され、本方法は：アクセス・ネットワーク装置によって送られたアクセス制御情報を端末装置によって受信する段階であって、前記アクセス制御情報は禁止されるサービス型および禁止されるデータ送信属性および／または許可されるサービス型および許可されるデータ送信属性を前記端末装置に対して示すために使われる、段階と；前記サービス型および前記データ送信属性に基づいて、前記端末装置によって、無線資源制御（Radio  Resource  Control、RRC）接続要求を前記アクセス・ネットワーク装置に送るかどうかを決定する段階とを含み、前記データ送信属性は送信方式型および／または無線アクセス技術（Radio  Access  Technology、RAT）型を含み、前記送信方式型は、サービス・データを送信するために前記端末装置によって使われる送信方式を示すために使われ、前記RAT型は前記端末装置によって使われる無線アクセス技術を示すために使われる。
【０００７】
前記無線アクセス制御方法において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０００８】
ある可能な設計では、アクセス制御情報はアクセス制御因子およびアクセス制御時間期間を含み；前記サービス型および前記データ送信属性に基づいて、RRC接続要求を前記アクセス・ネットワーク装置に送るかどうかを決定する前記段階は：現在のサービスのサービス型が前記禁止されるサービス型に合い、前記現在のサービスに対応するデータ送信属性が前記禁止されるデータ送信属性に合うときに乱数を生成し；前記乱数が前記アクセス制御因子より小さいかどうかを判定し；前記乱数が前記アクセス制御因子より小さいときは、前記RRC接続要求を前記アクセス・ネットワーク装置に送ることを決定し；または前記乱数が前記アクセス制御因子以上であるときは、前記アクセス制御時間期間に基づいてタイマーを設定して、該タイマーが満了するときに、乱数を生成する前記段階を再実行することを含む。
【０００９】
この可能な設計において、前記サービス型および前記データ送信属性が前記禁止されるサービス型および前記禁止されるデータ送信属性に合うときは、前記端末装置は前記乱数を生成し、前記乱数を前記アクセス制御因子と比較し、次いで、直接前記RRC接続要求を送ることをあきらめる代わりに、前記RRC接続要求を前記アクセス・ネットワーク装置に送るかどうかを決定する。前記アクセス・ネットワーク装置は、前記端末装置のアクセスを直接拒否する代わりに、前記端末装置のランダム・アクセスを許可する。これは、以下の効果を達成する：MMEの負荷を著しく増すことなくできるだけ多くのサービス型についてサービス機能が提供され、それによりネットワーク資源利用率を改善する。
【００１０】
もう一つの可能な設計では、アクセス制御情報は、アクセス禁止クラスを含み；前記サービス型および前記データ送信属性に基づいて、RRC接続要求を前記アクセス・ネットワーク装置に送るかどうかを決定する前記段階は：現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスに等しいかどうかを検出し、前記端末装置のアクセス・クラスが前記アクセス禁止クラスに等しくなければ、前記RRC接続要求を前記アクセス・ネットワーク装置に送ることを決定する；または現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスより大きいかどうかを検出し、前記端末装置のアクセス・クラスが前記アクセス禁止クラスより小さい場合、前記RRC接続要求を前記アクセス・ネットワーク装置に送ることを決定する；または現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスより小さいかどうかを検出し、前記端末装置のアクセス・クラスが前記アクセス禁止クラスより大きい場合、前記RRC接続要求を前記アクセス・ネットワーク装置に送ることを決定する、ことを含む。
【００１１】
この可能な設計において、前記アクセス・ネットワーク装置は前記アクセス禁止クラスを前記端末装置に送る。前記端末装置は、前記端末装置のアクセス・クラスおよび前記アクセス禁止クラスに基づいて、前記RRC接続要求を送るかどうかを決定する。前記端末装置は、前記端末装置のアクセス・クラスが前記アクセス禁止クラスに等しくないまたは前記アクセス禁止クラスより大きくないまたは前記アクセス禁止クラスより小さくないときにのみ、接続およびサービス送信のために前記RRC接続要求を前記アクセス・ネットワーク装置に送る。これは、以下の効果を達成する：MMEの負荷を著しく増すことなく、サービス送信要求に基づいて、ある型の端末装置についてサービスが優先的に提供される。
【００１２】
もう一つの可能な設計では、前記サービス型および前記データ送信属性に基づいて、RRC接続要求を前記アクセス・ネットワーク装置に送るかどうかを決定する前記段階は：現在のサービスのサービス型が前記許可されるサービス型に合い、前記現在のサービスに対応するデータ送信属性が前記許可されるデータ送信属性に合うときに、前記RRC接続要求を前記アクセス・ネットワーク装置に送ることを含む。
【００１３】
もう一つの可能な設計では、前記アクセス制御情報はサービス型フィールドおよびデータ送信属性フィールドを含み、前記アクセス制御情報はデフォルト・アクション型をもつ；または前記アクセス制御情報はアクション型フィールド、サービス型フィールドおよびデータ送信属性フィールドを含む。
【００１４】
もう一つの可能な設計では、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、ワイドバンド進化型万国移動通信システム（Universal  Mobile  Telecommunication  System、UMTS）地上無線アクセス・ネットワーク（Wide  Band  Evolved  UMTS  Terrestrial  Radio  Access  Network、WB-E-UTRAN）およびセルラー・ベースのナローバンド・モノのインターネット（Narrowband  Internet  of  Things、NB-IoT）の少なくとも一方を含む。
【００１５】
第二の側面によれば、無線アクセス制御方法が提供され、本方法は：移動性管理エンティティー（Mobility  Management  Entity、MME）によって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示すために使われる、段階と；前記過負荷開始メッセージに基づいて、前記アクセス・ネットワーク装置によって、アクセス制御情報を生成する段階であって、前記アクセス制御情報は、前記禁止されるサービス型および前記禁止されるデータ送信属性および／または前記許可されるサービス型および前記許可されるデータ送信属性を端末装置に対して示すために使われる、段階と；前記アクセス・ネットワーク装置によって、前記アクセス制御情報を前記端末装置に送る段階とを含み、前記データ送信属性は送信方式型および／またはRAT型を含み、前記送信方式型は、サービス・データを送信するために前記端末装置によって使われる送信方式を示すために使われ、前記RAT型は前記端末装置によって使われる無線アクセス技術を示すために使われる。
【００１６】
前記無線アクセス制御方法において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【００１７】
ある可能な設計では、アクセス制御情報はアクセス制御因子およびアクセス制御時間期間を含む。
【００１８】
ある可能な設計では、アクセス制御情報はアクセス禁止クラスを含む。
【００１９】
ある可能な設計では、前記過負荷開始メッセージはサービス型フィールドおよびデータ送信属性フィールドを含み、前記過負荷開始メッセージはデフォルト・アクション型をもつ；または前記過負荷開始メッセージはアクション型フィールド、サービス型フィールドおよびデータ送信属性フィールドを含む。
【００２０】
もう一つの可能な設計では、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００２１】
第三の側面によれば、無線アクセス制御方法が提供され、本方法は：端末装置によって、RRC接続要求メッセージをアクセス・ネットワーク装置に送る段階であって、前記RRC接続要求は対応するサービス型および対応するデータ送信属性をもつ、段階と；前記アクセス・ネットワーク装置によって送られたRRC接続セットアップ・メッセージまたはRRC接続拒否メッセージを前記端末装置によって受信する段階であって、前記RRC接続セットアップ・メッセージまたは前記RRC接続拒否メッセージは、前記RRC接続要求に対応する前記サービス型および前記データ送信属性が禁止されるサービス型および禁止されるデータ送信属性および／または許可されるサービス型および許可されるデータ送信属性に属するかどうかに基づいて前記アクセス・ネットワーク装置によって送られたものであり、前記データ送信属性は送信方式型および／またはRAT型を含み、前記送信方式型は、サービス・データを送信するために前記端末装置によって使われる送信方式を示すために使われ、前記RAT型は前記端末装置によって使われる無線アクセス技術を示すために使われる、段階とを含む。
【００２２】
前記無線アクセス制御方法において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【００２３】
ある可能な設計では、前記RRC接続要求メッセージはサービス型フィールドおよびデータ送信属性フィールドを含む。
【００２４】
もう一つの可能な設計では、前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００２５】
もう一つの可能な設計では、本方法はさらに、前記RRC接続要求に対応する前記データ送信属性を、前記端末装置によって前記アクセス・ネットワーク装置に送ることを含み、前記RRC接続要求メッセージはサービス型フィールドを含む。
【００２６】
第四の側面によれば、無線アクセス制御方法が提供され、本方法は：MMEによって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示すために使われる、段階と；端末装置によって送られたRRC接続要求メッセージを前記アクセス・ネットワーク装置によって受信する段階であって、前記RRC接続要求は対応するサービス型および対応するデータ送信属性をもつ、段階と；前記アクセス・ネットワーク装置によって、RRC接続セットアップ・メッセージまたはRRC接続拒否メッセージを、前記RRC接続要求に対応する前記サービス型および前記データ送信属性が禁止されるサービス型および禁止されるデータ送信属性および／または許可されるサービス型および許可されるデータ送信属性に属するかどうかに基づいて、前記端末装置に送る段階であって、前記データ送信属性は送信方式型および／またはRAT型を含み、前記送信方式型は、サービス・データを送信するために前記端末装置によって使われる送信方式を示すために使われ、前記RAT型は前記端末装置によって使われる無線アクセス技術を示すために使われる、段階とを含む。
【００２７】
前記無線アクセス制御方法において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【００２８】
ある可能な設計では、前記RRC接続要求メッセージはサービス型フィールドおよびデータ送信属性フィールドを含む。
【００２９】
もう一つの可能な設計では、前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００３０】
もう一つの可能な設計では、本方法はさらに、前記RRC接続要求に対応する、前記端末装置によって送られた前記データ送信属性を、前記アクセス・ネットワーク装置によって受信することを含む。前記RRC接続要求メッセージはサービス型フィールドを含む。
【００３１】
もう一つの可能な設計では、前記アクセス・ネットワーク装置によって、RRC接続セットアップ・メッセージまたはRRC接続拒否メッセージを、前記RRC接続要求に対応する前記サービス型および前記データ送信属性が禁止されるサービス型および禁止されるデータ送信属性および／または許可されるサービス型および許可されるデータ送信属性に属するかどうかに基づいて、前記端末装置に送る前記段階は、前記RRC接続要求に対応する前記サービス型および前記データ送信属性が許可されるサービス型および許可されるデータ送信属性であるときに、前記RRC接続セットアップ・メッセージを前記端末装置に送ること；または前記RRC接続要求に対応する前記サービス型および前記データ送信属性が禁止されるサービス型および禁止されるデータ送信属性であるときに、前記RRC接続拒否メッセージを前記端末装置に送ることを含む。
【００３２】
第五の側面によれば、無線アクセス制御方法が提供され、本方法は：負荷が事前設定された条件より大きいときに、MMEによって過負荷開始メッセージをアクセス・ネットワーク装置に送る段階であって、前記過負荷開始メッセージは、禁止されるサービス型および禁止されるデータ送信属性および／または許可されるサービス型および許可されるデータ送信属性を前記アクセス・ネットワーク装置に対して示すために使われる、段階を含み、前記データ送信属性は送信方式型および／またはRAT型を含み、前記送信方式型は、サービス・データを送信するために端末装置によって使われる送信方式を示すために使われ、前記RAT型は前記端末装置によって使われる無線アクセス技術を示すために使われる。
【００３３】
前記無線アクセス制御方法において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【００３４】
ある可能な設計では、前記過負荷開始メッセージはサービス型フィールドおよびデータ送信属性フィールドを含み、前記過負荷開始メッセージはデフォルト・アクション型をもつ；または前記過負荷開始メッセージはアクション型フィールド、サービス型フィールドおよびデータ送信属性フィールドを含む。
【００３５】
もう一つの可能な設計では、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００３６】
第六の側面によれば、端末装置が提供される。端末装置は、前記第一の側面および／または前記第三の側面に基づく無線アクセス制御方法における端末装置の挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００３７】
ある可能な設計では、端末装置の構造はプロセッサ、送信機および受信機を含む。プロセッサは、上記の方法における対応する機能を実行することにおいて前記端末装置をサポートするよう構成される。送信機および受信機は：前記端末装置とアクセス・ネットワーク装置との間の通信をサポートし、上記の方法における情報または命令を前記アクセス・ネットワーク装置に送り、前記アクセス・ネットワーク装置によって送られる上記の方法における情報または命令を受信するよう構成される。前記端末装置はさらにメモリを含んでいてもよい。前記メモリは、プロセッサに結合され、前記端末装置の必要なプログラム命令および必要なデータを記憶するよう構成される。
【００３８】
第七の側面によれば、アクセス・ネットワーク装置が提供される。アクセス・ネットワーク装置は、前記第二の側面および／または前記第四の側面に基づく無線アクセス制御方法においてアクセス・ネットワーク装置の挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００３９】
ある可能な設計では、アクセス・ネットワーク装置の構造はプロセッサ、送信機および受信機を含む。プロセッサは、上記の方法における対応する機能を実行することにおいて前記アクセス・ネットワーク装置をサポートするよう構成される。送信機および受信機は：前記アクセス・ネットワーク装置と端末装置および／またはMMEとの間の通信をサポートし、上記の方法における情報または命令を前記端末装置および／またはMMEに送り、前記端末装置および／またはMMEによって送られる上記の方法における情報または命令を受信するよう構成される。前記アクセス・ネットワーク装置はさらにメモリを含んでいてもよい。前記メモリは、プロセッサに結合され、前記アクセス・ネットワーク装置の必要なプログラム命令および必要なデータを記憶するよう構成される。
【００４０】
第八の側面によれば、MMEが提供される。MMEは、前記第三の側面に基づく無線アクセス制御方法においてMMEの挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００４１】
ある可能な設計では、MMEの構造はプロセッサ、送信機および受信機を含む。プロセッサは、上記の方法における対応する機能を実行することにおいて前記MMEをサポートするよう構成される。送信機および受信機は：前記MMEとアクセス・ネットワーク装置との間の通信をサポートし、上記の方法における情報または命令を前記アクセス・ネットワーク装置に送り、前記アクセス・ネットワーク装置によって送られる上記の方法における情報または命令を受信するよう構成される。前記MMEはさらにメモリを含んでいてもよい。前記メモリは、プロセッサに結合され、前記MMEの必要なプログラム命令および必要なデータを記憶するよう構成される。
【００４２】
第九の側面によれば、無線アクセス制御システムが提供される。無線アクセス制御システムは、第六の側面に基づく端末装置と、第七の側面に基づくアクセス・ネットワーク装置と、第八の側面に基づくMMEとを含む。
【図面の簡単な説明】
【００４３】
本発明の実施形態における技術的解決策をより明瞭に記述するために、下記は実施形態を記述するために要求される付属の図面を簡単に説明する。明らかに、下記における付属の図面は単に本発明のいくつかの実施形態を示すものであり、当業者は、創造的な努力なしにこれらの付属の図面から他の図面を導き出してもよい。
【００４４】
【図１】本発明のある例示的実施形態に基づく無線アクセス制御システムの概略的な構造図である。
【００４５】
【図２】本発明のある例示的実施形態に基づくサービス送信の概略図である。
【００４６】
【図３】本発明のある例示的実施形態に基づくサービス送信の概略図である。
【００４７】
【図４】本発明のある例示的実施形態に基づく無線アクセス制御方法のフローチャートである。
【００４８】
【図５】図５Ａおよび図５Ｂは本発明のある例示的実施形態に基づく無線アクセス制御方法のフローチャートである。
【００４９】
【図６】図６Ａおよび図６Ｂは本発明のもう一つの例示的実施形態に基づく無線アクセス制御方法のフローチャートである。
【００５０】
【図７】本発明のもう一つの例示的実施形態に基づく無線アクセス制御方法のフローチャートである。
【００５１】
【図８】図８Ａおよび図８Ｂは本発明のもう一つの例示的実施形態に基づく無線アクセス制御方法のフローチャートである。
【００５２】
【図９】本発明のもう一つの例示的実施形態に基づく無線アクセス制御方法のフローチャートである。
【００５３】
【図１０】図１０Ａおよび図１０Ｂは本発明のもう一つの例示的実施形態に基づく無線アクセス制御方法のフローチャートである。
【００５４】
【図１１】本発明のもう一つの例示的実施形態に基づく無線アクセス制御方法のフローチャートである。
【００５５】
【図１２Ａ】本発明のもう一つの例示的実施形態に基づく無線アクセス制御方法のフローチャートである。
【００５６】
【図１２Ｂ】本発明のもう一つの例示的実施形態に基づく無線アクセス制御方法のフローチャートである。
【００５７】
【図１３Ａ】本発明のある例示的実施形態に基づく無線アクセス制御装置のブロック図である。
【００５８】
【図１３Ｂ】本発明のある例示的実施形態に基づく無線アクセス制御装置のブロック図である。
【００５９】
【図１４】本発明のもう一つの例示的実施形態に基づく無線アクセス制御装置のブロック図である。
【００６０】
【図１５】本発明のもう一つの例示的実施形態に基づく無線アクセス制御装置のブロック図である。
【発明を実施するための形態】
【００６１】
本発明の目的、技術的解決策および利点を一層明確にするために、下記は、付属の図面を参照して、さらに本発明の実施形態を詳細に記述する。
【００６２】
本明細書において言及される「モジュール」は、メモリに記憶されているプログラムまたは命令であり、いくつかの機能を実装することができる。本明細書において言及される「ユニット」は、論理に基づいて分割された機能的な構造である。「ユニット」はハードウェアのみによって実装されても、あるいはソフトウェアとハードウェアの組み合わせによって実装されてもよい。
【００６３】
本明細書において、「複数の」は二つ以上を意味する。用語「および／または」は、関連する対象を記述するための関連関係を記述し、三つの関係が存在しうることを表わす。たとえば、Aおよび／またはBは、Aのみが存在する、AとBの両方が存在する、Bのみが存在するという三つの場合を表わしうる。記号「／」は通例、関連する対象の間の「または」の関係を示す。
【００６４】
図１を参照するに、図１は、本発明のある例示的実施形態に基づく無線アクセス制御システムの概略的な構造図である。無線アクセス制御システムは、端末装置１２０と、アクセス・ネットワーク装置１４０と、移動性管理エンティティー（Mobility  Management  Entity、MME）１６０と、サービスするゲートウェイ（Serving  Gateway、SGW）１８０とを含んでいる。
【００６５】
端末装置１２０は、第一の型の端末装置または第二の型の端末装置でありうる。第一の型の端末装置は、スマートフォン、タブレット・コンピュータ、電子書籍リーダーおよびポータブル・コンピュータのような無線通信機能をもつ電子装置である。第二の型の端末装置は無線通信機能をもつスマート機器またはスマートメーターであってもよい。
【００６６】
端末装置１２０は、アクセス・ネットワーク装置１４０によって提供されるモバイル通信ネットワークにアクセスするために無線アクセス技術（Radio  Access  Technology、RAT）を使ってもよい。RAT型は、ワイドバンド進化型万国移動通信システム（Universal  Mobile  Telecommunication  System、UMTS）地上無線アクセス・ネットワーク（Wide  Band  Evolved  UMTS  Terrestrial  Radio  Access  Network、WB-E-UTRAN）、セルラー・ベースのナローバンド・モノのインターネット（Narrow  Band  Internet  of  Things、NB-IoT）および第五世代モバイル通信技術（5G）を含むがそれに限定されない。
【００６７】
端末装置１２０が第一の型の端末装置であるときは、端末装置１２０によって使われるRAT型はWB-E-UTRANであってもよい。WB-E-UTRANの利用可能な周波数帯域は、より広い。
【００６８】
端末装置１２０が第二の型の端末装置であるときは、端末装置１２０によって使われるRAT型はNB-IoTであってもよい。NB-IoTの利用可能な周波数帯域は、より狭い。
【００６９】
アクセス・ネットワーク装置１４０は、端末装置１２０と相互作用するネットワーク要素であり、アクセス・ネットワーク装置１３０は基地局であってもよい。
【００７０】
任意的に、アクセス・ネットワーク装置１４０は、グローバル移動通信システム（Global  System  for  Mobile  Communications、GSM）または符号分割多重アクセス（Code  Division  Multiple  Access、CDMA）における基地局（BTS、Base  Transceiver  Station）である。
【００７１】
任意的に、アクセス・ネットワーク装置１４０は、UMTSにおける基地局（NodeB）である。
【００７２】
任意的に、アクセス・ネットワーク装置１４０は、ロングタームエボリューション（Long  Term  Evolution、LTE）における進化型ノードB（evolutional  NodeB、eNBまたはe-NodeB）である。
【００７３】
任意的に、アクセス・ネットワーク装置１４０は、ワイヤレス・フィデリティー（Wireless-Fidelity、WI-FI）におけるアクセス・ポイント（access  point、AP）である。
【００７４】
MME  １６０は、無線アクセス制御システムにおける制御プレーン（Control  Plane、CP）に対応するネットワーク要素である。SGW  １８０は無線アクセス制御システムにおけるユーザー・プレーン（User  Plane、UP）に対応するネットワーク要素である。アクセス・ネットワーク装置１４０は、無線ネットワークまたは有線ネットワークを使ってMME  １６０およびSGW  １８０に別個に接続される。MME  １６０は、無線ネットワークまたは有線ネットワークを使ってSGW  １８０に接続される。
【００７５】
無線アクセス制御システムは複数の端末装置１２０および複数のアクセス・ネットワーク装置１４０を含んでいてもよいことを注意しておくべきである。一つのアクセス・ネットワーク装置１４０が複数の端末装置１２０と通信してもよく、該アクセス・ネットワーク装置１４０と通信する前記複数の端末装置１２０は第一の型の端末装置または第二の型の端末装置でありうる。図１においては、ただ一つの端末装置１２０および一つのアクセス・ネットワーク装置１４０が例示的記述のために示されている。
【００７６】
端末装置１２０が第一の型の端末装置であり、端末装置１２０によって送信されるサービスが緊急サービス（emergency）、高優先度サービス（highPriorityAccess）、モバイル終端サービス（mt-Access）、モバイル起点信号伝達サービス（mo-Signaling）、モバイル起点データ・サービス（mo-Data）、遅延認容サービス（delayTolerantAccess）、モバイル起点音声サービス（mo-VoiceCall）のうちの少なくとも一つであるとき、端末装置１２０はWB-E-UTRANを使って無線資源制御（Radio  Resource  Control、RRC）接続要求をアクセス・ネットワーク装置１４０に送って、アクセス・ネットワーク装置１４０とのRRC接続を確立することを要求する。アクセス・ネットワーク装置１４０とのRRC接続を確立した後、端末装置１２０は、アクセス・ネットワーク装置１４０を使ってMME  １６０との通信を確立し、それにより端末装置１２０はモバイル通信ネットワークにアクセスする。
【００７７】
アクセス・ネットワーク装置１４０とRRC接続を確立した後、端末装置１２０はWB-E-UTRANを使って前記サービスを送信する。前記サービスを送信するために端末装置１２０によって使われる送信方式は、ユーザー・プレーン方式である：第一の型の端末装置はRRC接続におけるデータ無線ベアラー（Data  Radio  Bearer、DRB）を使って前記サービスのサービス・データをアクセス・ネットワーク装置１４０に送り、次いで、アクセス・ネットワーク装置１４０は前記サービスのサービス・データをSGW  １８０に送ってサービス送信を実装する。端末装置１２０が第一の型の端末装置であるとき、端末装置１２０が前記サービスを送信する概略的な送信図が図２に示されている。
【００７８】
端末装置１２０が第二の型の端末装置であり、端末装置１２０によって送信されるサービスがモバイル終端サービス、モバイル起点信号伝達サービス、モバイル起点データ・サービスおよびモバイル起点例外サービス（mo-ExceptionData）のうちの少なくとも一つであるとき、端末装置１２０はNB-IoTを使ってRRC接続要求をアクセス・ネットワーク装置１４０に送って、アクセス・ネットワーク装置１４０とのRRC接続を確立することを要求する。アクセス・ネットワーク装置１４０とのRRC接続を確立した後、端末装置１２０はアクセス・ネットワーク装置１４０を使ってMME  １６０との通信を確立し、それにより端末装置１２０はモバイル通信ネットワークにアクセスする。
【００７９】
アクセス・ネットワーク装置１４０とのRRC接続を確立した後、端末装置１２０は前記サービスを送信するためにNB-IoTを使う。前記サービスを送信するために端末装置１２０によって使われる送信方式は、ユーザー・プレーン方式または制御プレーン方式である。端末装置１２０が前記サービスを送信するためにユーザー・プレーン方式を使うとき、端末装置１２０はDRBを使って前記サービスのサービス・データをアクセス・ネットワーク装置１４０に送り、次いで、アクセス・ネットワーク装置１４０が前記サービスのサービス・データをSGW  １８０に送ってサービス送信を実装する。端末装置１２０が前記サービスを送信するために制御プレーン方式を使うときは、端末装置１２０は信号伝達無線ベアラー（Signaling  Radio  Bearer、SRB）を使って前記サービスのサービス・データをアクセス・ネットワーク装置１４０に送り、次いで、アクセス・ネットワーク装置１４０が前記サービスのサービス・データをMME  １６０に送ってサービス送信を実装する。端末装置１２０が第二の型の端末装置であるとき、端末装置１２０が前記サービスを送信する概略的な送信図は図３に示されている。
【００８０】
図４を参照するに、図４は、本発明のある例示的な実施形態に基づく無線アクセス制御方法のフローチャートである。この実施形態は、本方法が図１に示される無線アクセス制御システムに適用される例を使って記述される。本方法は以下のステップを含む。
【００８１】
ステップ４０１：負荷が事前設定された条件より大きいときに、MMEが過負荷開始（Overload  Start）メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示すために使われる。
【００８２】
前記データ送信属性は送信方式型および／またはRAT型を含む。前記送信方式型は、サービス・データを送信するために端末装置によって使われる送信方式を示すために使われる。前記RAT型は前記端末装置によって使われる無線アクセス技術を示すために使われる。
【００８３】
ステップ４０２：アクセス・ネットワーク装置が、MMEによって送られた過負荷開始メッセージを受信する。
【００８４】
ステップ４０３：アクセス・ネットワーク装置が、前記過負荷開始メッセージに基づいてアクセス制御情報を生成する。前記アクセス制御情報は、禁止されるサービス型および禁止されるデータ送信属性および／または許可されるサービス型および許可されるデータ送信属性を前記端末装置に対して示すために使われる。
【００８５】
ステップ４０４：アクセス・ネットワーク装置が前記アクセス制御情報を端末装置に送る。
【００８６】
ステップ４０５：端末装置がアクセス・ネットワーク装置によって送られた前記アクセス制御情報を受信する。
【００８７】
ステップ４０６：端末装置が、前記サービス型および前記データ送信属性に基づいて、RRC接続要求を前記アクセス・ネットワーク装置に送るかどうかを決定する。
【００８８】
ステップ４０１は、MME側での無線アクセス制御方法として独立に実装されてもよい。ステップ４０２、ステップ４０３、およびステップ４０４はアクセス・ネットワーク装置側での無線アクセス制御方法として独立に実装されてもよい。ステップ４０５およびステップ４０６は、端末装置側での無線アクセス制御方法として独立に実装されてもよい。
【００８９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【００９０】
図５Ａおよび図５Ｂを参照するに、図５Ａおよび図５Ｂは本発明のもう一つの例示的実施形態に基づく無線アクセス制御方法のフローチャートである。この実施形態は、本方法が図１に示される無線アクセス制御システムに適用される例を使って記述される。本方法は以下のステップを含む。
【００９１】
ステップ５０１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示すために使われる。
【００９２】
前記データ送信属性は送信方式型および／またはRAT型を含む。前記送信方式型は、サービス・データを送信するために端末装置によって使われる送信方式を示すために使われる。前記RAT型は前記端末装置によって使われる無線アクセス技術を示すために使われる。
【００９３】
ステップ５０２：アクセス・ネットワーク装置が、MMEによって送られた過負荷開始メッセージを受信する。
【００９４】
ステップ５０３：端末装置が、RRC接続要求メッセージをアクセス・ネットワーク装置に送る。前記RRC接続要求は対応するサービス型および対応するデータ送信属性をもつ。
【００９５】
ステップ５０４：アクセス・ネットワーク装置が、端末装置によって送られたRRC接続要求メッセージを受信する。
【００９６】
ステップ５０５：アクセス・ネットワーク装置が、前記RRC接続要求に対応する前記サービス型および前記データ送信属性が、禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送る。
【００９７】
ステップ５０６：端末装置が、前記アクセス・ネットワーク装置によって送られたRRC接続セットアップ・メッセージまたはRRC接続拒否メッセージを受信する。
【００９８】
ステップ５０１は、MME側での無線アクセス制御方法として独立に実装されてもよい。ステップ５０２、ステップ５０４、およびステップ５０５はアクセス・ネットワーク装置側での無線アクセス制御方法として独立に実装されてもよい。ステップ５０３およびステップ５０６は、端末装置側での無線アクセス制御方法として独立に実装されてもよい。
【００９９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０１００】
データ送信属性は送信方式型および／またはRAT型を含む。下記の実施形態は、データ送信属性が送信方式型である例を使って記述される。この場合、データ送信属性フィールドは送信方式型フィールドである。
【０１０１】
図６Ａおよび図６Ｂを参照するに、図６Ａおよび図６Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０１０２】
ステップ６０１：負荷が事前設定された条件より大きいときに、MMEが過負荷開始メッセージをアクセス・ネットワーク装置に送る。前記過負荷開始メッセージは、禁止されるサービス型および禁止される送信方式型および／または許可されるサービス型および許可される送信方式型を前記アクセス・ネットワーク装置に対して示すために使われる。
【０１０３】
MMEが過負荷開始メッセージをアクセス・ネットワーク装置に送って、禁止されるサービス型および禁止される送信方式型および／または許可されるサービス型および許可される送信方式型を示すために、二つの異なる実装が利用可能である。過負荷開始メッセージは異なる実装において異なる内容を含む。
【０１０４】
第一の可能な実装では、過負荷開始メッセージはサービス型フィールドおよび送信方式型フィールドを含む。前記過負荷開始メッセージはデフォルト・アクション型をもつ。アクション型はアクセス禁止またはアクセス許可である。任意的に、過負荷開始メッセージのデフォルト・アクション型は事前設定される。
【０１０５】
たとえば、過負荷開始メッセージのデフォルト・アクション型がアクセス禁止であり、過負荷開始メッセージにおいて担持される情報が（mo-Data,CP）であり、ここで、mo-Dataは前記サービス型フィールドであり、CPが前記送信方式型フィールドである。該過負荷開始メッセージは、CP方式を使って送信されるmo-Dataサービスが禁止されることを示すために使われる。
【０１０６】
第二の可能な実装では、過負荷開始メッセージはアクション型フィールド、サービス型フィールドおよび送信方式型フィールドを含む。前記アクション型フィールドは過負荷開始メッセージのアクション型を示すために使われ、前記アクション型フィールドはアクセス禁止およびアクセス許可の少なくとも一方を含む。
【０１０７】
たとえば、過負荷開始メッセージにおいて担持される情報は（許可,mo-Data,UP）であり、ここで、許可は前記アクション型フィールドであり、mo-Dataは前記サービス型フィールドであり、UPが前記送信方式型フィールドである。過負荷開始メッセージは、UP方式を使って送信されるmo-Dataサービスが許可されることを示すために使われる。
【０１０８】
過負荷開始メッセージの形式および内容はこの実施形態において限定されない。
【０１０９】
上記二つの可能な実装において、サービス型フィールドはサービス型を示すために使われ、サービス型フィールドは、緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含む。
【０１１０】
送信方式型フィールドは、サービスのために使われる送信方式を示すために使われ、送信方式型フィールドはユーザー・プレーン方式および制御プレーン方式の少なくとも一方を含む。
【０１１１】
任意的に、負荷が事前設定された条件より大きいというときの前記「事前設定された条件」は、当該システムにおける事前設定された値または操作および保守人員によって定義される条件であり、これはこの実施形態において限定されない。
【０１１２】
任意的に、MMEが複数のアクション型および／またはサービス型および／または送信方式型をアクセス・ネットワーク装置に対して示す必要があるとき、MMEは、アクセス・ネットワーク装置に送られる一つの過負荷開始メッセージにおいて中央集中した指示を行なっても、あるいはアクセス・ネットワーク装置に送られる複数の過負荷開始メッセージにおいて別個の指示を行なってもよい。これはこの実施形態において限定されない。
【０１１３】
たとえば、MMEがアクセス・ネットワーク装置に対して、CP方式を使って送信されるmo-Dataサービスは禁止され、CP方式を使って送信されるmo-ExceptionDataサービスは禁止されることを示す必要がある場合、MMEは、同じ過負荷開始メッセージにおいて集中した指示を行なってもよく、たとえば((mo-Data,CP),(mo-ExceptionData,CP))であり、過負荷開始メッセージのデフォルト・アクションはアクセス禁止である。あるいはまた、MMEは複数の過負荷開始メッセージにおいて別個の指示を行なってもよい。一方の過負荷開始メッセージは(barred,mo-Data,CP)であり、他方の過負荷開始メッセージは(barred,mo-ExceptionData,CP)である。
【０１１４】
ステップ６０２：アクセス・ネットワーク装置がMMEによって送られた過負荷開始メッセージを受信する。
【０１１５】
過負荷開始メッセージがサービス型フィールドおよび送信方式型フィールドを含み、過負荷開始メッセージがデフォルト・アクション型をもつとき、アクセス・ネットワーク装置は過負荷開始メッセージのデフォルト・アクション型を判別し、サービス型フィールドをパースすることによってサービス型を取得し、送信方式型フィールドをパースすることによって送信方式型を取得する。
【０１１６】
過負荷開始メッセージがアクション型フィールド、サービス型フィールドおよび送信方式型フィールドを含むとき、アクセス・ネットワーク装置はアクション型フィールドをパースすることによってアクション型を取得し、サービス型フィールドをパースすることによってサービス型を取得し、送信方式型フィールドをパースすることによって送信方式型を取得する。
【０１１７】
ステップ６０３：アクセス・ネットワーク装置は、過負荷開始メッセージに基づいてアクセス制御情報を生成する。アクセス制御情報は、禁止されるサービス型および禁止されるデータ送信属性および／または許可されるサービス型および許可される送信方式型を端末装置に対して示すために使われる。
【０１１８】
アクセス制御情報によって示されるアクション型は、アクセス・ネットワーク装置によって判別される、過負荷開始メッセージのアクション型と同じである。
【０１１９】
アクセス制御情報によって示されるサービス型は、過負荷開始メッセージ内のサービス型フィールドをパースすることによってアクセス・ネットワーク装置によって取得されるサービス型と同じである。アクセス制御情報によって示される送信方式型は、過負荷開始メッセージ内のデータ送信属性フィールドをパースすることによってアクセス・ネットワーク装置によって取得される送信方式型と同じである。
【０１２０】
アクセス・ネットワーク装置が生成されたアクセス制御情報を使って、禁止されるサービス型および禁止される送信方式型および／または許可されるサービス型および許可される送信方式型を端末装置に対して示すために、二つの異なる実装が利用可能である。アクセス制御情報は異なる実装において異なる内容を含む。
【０１２１】
第一の可能な実装では、アクセス制御情報はサービス型フィールドおよびデータ送信属性フィールドを含む。アクセス制御情報はデフォルト・アクション型をもつ。アクション型はアクセス禁止およびアクセス許可の少なくとも一方である。
【０１２２】
第二の可能な実装では、アクセス制御情報はアクション型フィールド、サービス型フィールドおよびデータ送信属性フィールドを含む。前記アクション型フィールドはアクセス制御情報のアクション型を示すために使われ、前記アクション型フィールドはアクセス禁止およびアクセス許可の少なくとも一方を含む。
【０１２３】
このステップにおいて使われる実装はこの実施形態において限定されない。
【０１２４】
アクセス制御情報の形式は、過負荷開始メッセージの形と同じであってもよい。この実施形態において詳細を再び記述することはしない。
【０１２５】
ステップ６０４：アクセス・ネットワーク装置が、アクセス制御情報を端末装置に送る。
【０１２６】
任意的に、アクセス・ネットワーク装置は、専用の信号伝達を使って、アクセス制御情報を端末装置に送る、またはアクセス・ネットワーク装置のカバー範囲内におけるブロードキャスト・メッセージの形でアクセス制御情報を送る。
【０１２７】
アクセス・ネットワーク装置が複数のアクション型および／またはサービス型および／または送信方式型を端末装置に対して示す必要があるとき、アクセス・ネットワーク装置は、端末装置に送られる一片のアクセス制御情報において中央集中した指示を行なっても、あるいは端末装置に送られる複数片のアクセス制御情報において別個の指示を行なってもよい。これはこの実施形態において限定されない。
【０１２８】
ステップ６０５：端末装置が、アクセス・ネットワーク装置によって送られたアクセス制御情報を受信する。
【０１２９】
アクセス制御情報がサービス型フィールドおよびデータ送信属性フィールドを含み、アクセス制御情報がデフォルト・アクション型をもつとき、端末装置はアクセス制御情報のデフォルト・アクション型を判別し、サービス型フィールドをパースすることによってサービス型を取得し、データ送信属性フィールドをパースすることによって送信方式型を取得する。
【０１３０】
アクセス制御情報がアクション型フィールド、サービス型フィールドおよびデータ送信属性フィールドを含むとき、端末装置はアクション型フィールドをパースすることによってアクション型を取得し、サービス型フィールドをパースすることによってサービス型を取得し、データ送信属性フィールドをパースすることによって送信方式型を取得する。
【０１３１】
アクション型は、アクセス禁止およびアクセス許可の少なくとも一つである。アクション型がアクセス許可である場合、本方法は次のステップ６０６を含む。
【０１３２】
ステップ６０６：現在のサービスのサービス型が前記許可されるサービス型に合い、前記現在のサービスに対応する送信方式型が前記許可される送信方式型に合うときに、端末装置はRRC接続要求をアクセス・ネットワーク装置に送る。
【０１３３】
前記現在のサービスに対応する送信方式型は、前記現在のサービスを送信するために端末装置によって使われる送信方式型である。
【０１３４】
アクセス制御情報におけるサービス型フィールドをパースすることによって端末装置によって取得されたサービス型は許可されるサービスである。データ送信属性フィールドをパースすることによって取得された送信方式型は許可される送信方式型である。
【０１３５】
たとえば、端末装置によって受信されるアクセス制御情報が（mo-Data,UP）であり、アクセス制御情報のデフォルト・アクション型がアクセス許可である場合、端末装置は、アクセス制御情報をパースすることによって、アクセス制御情報が、許可されるサービスがUP方式を使って送信されるmo-Dataサービスであることを示すために使われることを判別する。端末装置によって現在送信されるべきサービスがUP方式を使って送信されるmo-Dataサービスであるときは、端末装置はRRC接続要求をアクセス・ネットワーク装置に送る。端末装置によって現在送信されるサービスがCP方式を使って送信されるmo-Dataサービスであるときは、端末装置はRRC接続要求をアクセス・ネットワーク装置に送らない。
【０１３６】
アクション型がアクセス禁止であるときは、二つの異なる実装が利用可能である。
【０１３７】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。
【０１３８】
アクセス制御因子は、端末装置によって生成される乱数と比較されるために使われる閾値である。アクセス制御時間期間は端末装置によって生成された乱数が制御因子以上であるときに、タイマーのための時間期間を設定するために使われる。
【０１３９】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０１４０】
この実施形態において、記述のための例として第一の実装が使われる場合、本方法はさらに以下のステップ６０７ないしステップ６１０を含む。
【０１４１】
ステップ６０７：現在のサービスのサービス型が前記禁止されるサービス型に合い、前記現在のサービスに対応する送信方式型が前記禁止される送信方式型に合うときに乱数を生成する。
【０１４２】
端末装置は、あらかじめ決定されたアルゴリズムに従って、(0,1)内にはいる乱数を生成する。
【０１４３】
ステップ６０８：端末装置が、前記乱数がアクセス制御因子より小さいかどうかを判定する。
【０１４４】
任意的に、アクセス制御因子は0.5に等しい。
【０１４５】
ステップ６０９：前記乱数が前記アクセス制御因子より小さいときは、端末装置は、RRC接続要求を前記アクセス・ネットワーク装置に送ることを決定する。
【０１４６】
ステップ６１０：前記乱数が前記アクセス制御因子以上であるときは、アクセス制御時間期間に基づいてタイマーを設定して、該タイマーが満了するときに、乱数を生成する前記ステップを再実行する。
【０１４７】
任意的に、アクセス制御時間期間は10秒である。
【０１４８】
任意的に、タイマーの計時継続時間＝(0.7＋0.6×rand)×アクセス制御時間期間であり、randは端末装置によって生成される、0から1までの間に均等に分布する乱数である。タイマーが満了すると、ステップ６０７が再実行される。ステップ６０９およびステップ６１０は代替的に、次のように実装されてもよいことを注意しておくべきである。乱数がアクセス制御因子以上であるときは、端末はRRC接続要求をアクセス・ネットワーク装置に送ることを決定し；乱数がアクセス制御因子未満であるときは、アクセス制御時間期間に基づいてタイマーを設定して、該タイマーが満了するときに、乱数を生成する前記ステップを再実行する。これはこの実施形態において限定されない。
【０１４９】
一例では、端末装置によって受信されるアクセス制御情報は（禁止,mo-Data,CP）である。端末装置は、アクセス制御情報をパースすることによって、アクセス制御情報が、禁止されるサービスがCP方式を使って送信されるmo-Dataサービスであることを示すために使われることを判別する。端末装置によって現在送信されるべきサービスのサービス型がmo-Dataサービスであり、該サービスを送信するために端末装置によって使われる送信方式型がCP方式であるとき、端末装置は、アクセス制御情報に基づいて、アクセス制御因子は0.5であり、アクセス制御時間期間は10秒であると判別する。端末装置が0.7のような乱数を生成する場合は、0.7＞0.5なので端末装置は別の乱数、たとえば0.4を生成する。この場合、端末装置はタイマーの計時継続時間を(0.7＋0.6×0.4)×10＝9.4秒に設定する。タイマーが満了したとき、すなわち9.4秒後に、端末装置は別の乱数、たとえば0.3を生成する。0.3＜0.5なので、端末装置はRRC接続要求をアクセス・ネットワーク装置に送ることを決定する。
【０１５０】
一片のアクセス制御情報が複数のアクション型を示すことがあり、それらのアクション型がアクセス許可とアクセス禁止の両方を含むことがありうることを注意しておくべきである。しかしながら、アクセスが許可されるサービス型および送信方式型と、アクセスが禁止されるサービス型および送信方式型との間に共通部分は存在しない。関係した実装は、上記の方法と同じである。この実施形態において詳細を再び述べることはしない。
【０１５１】
上記の実施形態に基づく任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ６０７ないし６１０が代替的に、図７に示される以下のステップの任意の一つとして実装されてもよい。
【０１５２】
ステップ７０１：現在のサービスのサービス型が前記禁止されるサービス型に合い、現在のサービス型に対応する送信方式型が前記禁止される送信方式型に合うときは、前記端末装置のアクセス・クラスが前記アクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０１５３】
異なる端末装置は異なるアクセス・クラスをもつ。端末装置のアクセス・クラスは事前設定されている。
【０１５４】
一例では、端末装置によって受信されるアクセス制御情報は(禁止,mo-Data,CP)である。端末装置は、アクセス制御情報をパースすることによって、アクセス制御情報が、禁止されるサービスがCP方式を使って送信されるmo-Dataサービスであることを示すために使われることを判別する。端末装置によって現在送信されるサービスのサービス型がmo-Dataサービスであり、該サービスを送信するために端末装置によって使われる送信方式型がCP方式であるときは、端末装置は、アクセス制御情報に含まれるアクセス禁止クラスが2であることを判別する。端末装置のアクセス・クラスが2であるときは、端末装置はRRC接続要求をアクセス・ネットワーク装置に送らない。端末装置のアクセス・クラスが3であるときは、端末装置はRRC接続要求をアクセス・ネットワーク装置に送る。
【０１５５】
あるいはまた、ステップ７０１の別の代替的な実装解決策がステップ７０２に示されている。
【０１５６】
ステップ７０２：現在のサービスのサービス型が前記禁止されるサービス型に合い、前記現在のサービスに対応する送信方式型が前記禁止される送信方式型に合うときに、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０１５７】
上記の例示的実施形態では、端末装置によって現在送信されるサービスのサービス型がmo-Dataサービスであり、該サービスを送信するために端末装置によって使われる送信方式型がCP方式であるときは、端末装置は、アクセス制御情報に含まれるアクセス禁止クラスが2であることを判別する。端末装置のアクセス・クラスが1である場合は、端末装置はRRC接続要求をアクセス・ネットワーク装置に送る。端末装置のアクセス・クラスが3であるときは、端末装置はRRC接続要求をアクセス・ネットワーク装置に送らない。
【０１５８】
あるいはまた、ステップ７０１の別の代替的な実装解決策がステップ７０３に示されている。
【０１５９】
ステップ７０３：現在のサービスのサービス型が前記禁止されるサービス型に合い、前記現在のサービスに対応する送信方式型が前記禁止される送信方式型に合うときに、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０１６０】
上記の例示的実施形態では、端末装置によって現在送信されるサービスのサービス型がmo-Dataサービスであり、該サービスを送信するために端末装置によって使われる送信方式型がCP方式であるとき、端末装置は、アクセス制御情報に含まれるアクセス禁止クラスが2であることを判別する。端末装置のアクセス・クラスが3である場合は、端末装置はRRC接続要求をアクセス・ネットワーク装置に送る。端末装置のアクセス・クラスが1であるときは、端末装置はRRC接続要求をアクセス・ネットワーク装置に送らない。
【０１６１】
この実施形態において、端末装置は、ステップ７０１ないし７０３のうち任意の一つを実行する。具体的な使用されるステップはこの実施形態において限定されない。
【０１６２】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０１６３】
上記に鑑み、この開示のこの実施形態において提供される無線アクセス制御方法によれば、前記MMEは、禁止されるサービス型および禁止される送信方式型および／または許可されるサービス型および許可される送信方式型をアクセス・ネットワーク装置に示す。このようにして、MMEは、ある送信方式型を使って送信されるサービスのアクセスを禁止および／または許可するよう、アクセス・ネットワーク装置に指令することができる。サービス・データがユーザー・プレーン方式を使って送信されるときのMMEの負荷は、サービス・データが制御プレーン方式を使って送信されるときのMMEの負荷とは異なるので、MMEは、必要に応じて、ある送信方式型を使って送信されるサービスを禁止および／または許可するよう、アクセス・ネットワーク装置に指令してもよい。よって、MMEの負荷が比較的重いとき、より重い負荷に対応する送信方式型を使って送信されるサービスのアクセスは禁止されるが、より軽い負荷に対応する送信方式型を使って送信されるサービスはいまだ受け取られることができる。これは、ネットワーク資源利用率を改善する。
【０１６４】
データ送信属性は送信方式型および／またはRAT型を含む。下記の実施形態は、データ送信属性がRAT型である例を使って記述される。この場合、データ送信属性フィールドはRAT型フィールドである。
【０１６５】
図８Ａおよび図８Ｂを参照するに、図８Ａおよび図８Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０１６６】
ステップ８０１：負荷が事前設定された条件より大きいときに、MMEが過負荷開始メッセージをアクセス・ネットワーク装置に送る。前記過負荷開始メッセージは、禁止されるサービス型および禁止されるRAT型および／または許可されるサービス型および許可されるRAT型を前記アクセス・ネットワーク装置に対して示すために使われる。
【０１６７】
MMEが過負荷開始メッセージをアクセス・ネットワーク装置に送って、禁止されるサービス型および禁止されるRAT型および／または許可されるサービス型および許可されるRAT型を示すために、二つの異なる実装が利用可能である。過負荷開始メッセージは異なる実装において異なる内容を含む。
【０１６８】
第一の可能な実装では、過負荷開始メッセージはサービス型フィールドおよびRAT型フィールドを含む。前記過負荷開始メッセージはデフォルト・アクション型をもつ。アクション型はアクセス禁止およびアクセス許可の少なくとも一方である。過負荷開始メッセージのデフォルト・アクション型は事前設定されてもよい。
【０１６９】
第二の可能な実装では、過負荷開始メッセージはアクション型フィールド、サービス型フィールドおよびRAT型フィールドを含む。前記アクション型フィールドは過負荷開始メッセージのアクション型を示すために使われ、前記アクション型フィールドはアクセス禁止およびアクセス許可の少なくとも一方を含む。
【０１７０】
このステップで使われる実装はこの実施形態において限定されない。
【０１７１】
RAT型フィールドは、端末装置によって使われる無線アクセス技術を示すために使われる。RAT型フィールドは、WB-E-UTRANおよびNB-IoTの少なくとも一方を含む。
【０１７２】
任意的に、RAT型フィールドはさらに、5Gまたは別の無線アクセス技術を含んでいてもよい。これはこの実施形態において限定されない。
【０１７３】
上記二つの可能な実装において、サービス型フィールドによって示されるサービス型は、図６Ａおよび図６Ｂに示した実施形態におけるものと同じである。過負荷開始メッセージの可能な形式および内容については、図６Ａのステップ６０１で例解した過負荷開始メッセージを参照されたい。この実施形態において再び詳細を述べることはしない。
【０１７４】
ステップ８０２：アクセス・ネットワーク装置がMMEによって送られた過負荷開始メッセージを受信する。
【０１７５】
アクセス・ネットワーク装置によって過負荷開始メッセージのアクション型およびサービス型を判別するための方法については、図６Ａに示した実施形態におけるステップ６０２を参照されたい。この実施形態において再び詳細を述べることはしない。この実施形態では、アクセス・ネットワーク装置はアクション型およびサービス型を判別し、RAT型フィールドをパースしてRAT型を取得する。
【０１７６】
ステップ８０３：アクセス・ネットワーク装置は、過負荷開始メッセージに基づいてアクセス制御情報を生成する。アクセス制御情報は、禁止されるサービス型および禁止されるRAT型および／または許可されるサービス型および許可されるRAT型を端末装置に対して示すために使われる。
【０１７７】
アクセス制御情報によって示されるアクション型は、アクセス・ネットワーク装置によって判別される、過負荷開始メッセージのデフォルト・アクション型と同じである。
【０１７８】
アクセス制御情報によって示されるアクションは、過負荷開始メッセージ内のサービス型フィールドをパースすることによってアクセス・ネットワーク装置によって取得されるサービス型と同じである。アクセス制御情報によって示されるRAT型は、過負荷開始メッセージ内のデータ送信属性フィールドをパースすることによってアクセス・ネットワーク装置によって取得されるRAT型と同じである。
【０１７９】
アクセス・ネットワーク装置が生成されたアクセス制御情報を使って、禁止されるサービス型および禁止されるRAT型および／または許可されるサービス型および許可されるRAT型を端末装置に対して示すために、二つの異なる実装が利用可能である。アクセス制御情報は異なる実装において異なる内容を含む。
【０１８０】
第一の可能な実装では、アクセス制御情報はサービス型フィールドおよびRAT型フィールドを含む。アクセス制御情報はデフォルト・アクション型をもつ。アクション型は禁止されるアクセスおよび許可されるアクセスの少なくとも一方である。
【０１８１】
第二の可能な実装では、アクセス制御情報はアクション型フィールド、サービス型フィールドおよびRAT型フィールドを含む。前記アクション型フィールドはアクセス制御情報のアクション型を示すために使われ、前記アクション型フィールドはアクセス禁止およびアクセス許可の少なくとも一方を含む。
【０１８２】
このステップにおいて使われる実装はこの実施形態において限定されない。
【０１８３】
アクセス制御情報の形式は、過負荷開始メッセージの形と同じであってもよい。この実施形態において詳細を再び記述することはしない。
【０１８４】
ステップ８０４：アクセス・ネットワーク装置が、アクセス制御情報を端末装置に送る。
【０１８５】
アクセス・ネットワーク装置によってアクセス制御情報を端末装置に送る方法については、図６Ａに示した実施形態におけるステップ６０４を参照されたい。この実施形態において再び詳細を述べることはしない。
【０１８６】
ステップ８０５：端末装置が、アクセス・ネットワーク装置によって送られたアクセス制御情報を受信する。
【０１８７】
端末装置によってアクセス制御情報のアクション型およびサービス型を判別する方法については、図６Ａに示した実施形態におけるステップ６０５を参照されたい。この実施形態において再び詳細を述べることはしない。この実施形態では、端末装置はアクション型およびサービス型を判別し、RAT型フィールドをパースしてRAT型を取得する。
【０１８８】
アクション型は、禁止されるアクセスおよび許可されるアクセスの少なくとも一つである。アクション型がアクセス許可である場合、本方法は次のステップ８０６を含む。
【０１８９】
ステップ８０６：現在のサービスのサービス型が前記許可されるサービス型に合い、前記現在のサービスに対応するRAT型が前記許可されるRAT型に合うとき、端末装置はRRC接続要求をアクセス・ネットワーク装置に送る。
【０１９０】
前記現在のサービスに対応するRAT型は、アクセス・ネットワーク装置にアクセスするために前記現在のサービスを送信する端末装置によって使われるRAT型である。
【０１９１】
アクセス制御情報におけるサービス型フィールドをパースすることによって端末装置によって取得されたサービス型は許可されるサービスである。RAT型フィールドをパースすることによって取得されたRAT型は許可されるRAT型である。
【０１９２】
端末装置によって現在送信されるサービスが許可されるサービスであり、使用されるRAT型が許可されるRAT型であるときは、端末装置は該RAT型を使ってRRC接続要求をアクセス・ネットワーク装置に送る。
【０１９３】
アクション型がアクセス禁止であるときは、二つの異なる実装が利用可能である。
【０１９４】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。この実施形態におけるアクセス制御因子およびアクセス制御時間期間の意味は、先の実施形態におけるアクセス制御因子およびアクセス制御時間期間の意味と同じである。この実施形態において再び詳細を述べることはしない。
【０１９５】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０１９６】
この実施形態において、記述のための例として第一の実装が使われる場合、本方法はさらに以下のステップ８０７ないしステップ８１０を含む。
【０１９７】
ステップ８０７：現在のサービスのサービス型が前記禁止されるサービス型に合い、前記現在のサービスに対応するRAT型が前記禁止されるRAT型に合うときに乱数を生成する。
【０１９８】
ステップ８０８：端末装置が、前記乱数がアクセス制御因子より小さいかどうかを判定する。
【０１９９】
ステップ８０９：前記乱数が前記アクセス制御因子より小さいときは、端末装置は、RRC接続要求を前記アクセス・ネットワーク装置に送ることを決定する。
【０２００】
ステップ８１０：前記乱数が前記アクセス制御因子以上であるときは、アクセス制御時間期間に基づいてタイマーを設定して、該タイマーが満了するときに、乱数を生成する前記ステップを再実行する。
【０２０１】
端末装置が前記第一の実装を使ってアクセス・ネットワーク装置にRRC接続要求を送るかどうかを決定する具体的な実装については、図６Ｂに示した実施形態におけるステップ６０７ないしステップ６１０を参照されたい。この実施形態において再び詳細を述べることはしない。
【０２０２】
一片のアクセス制御情報が複数のアクション型を示すことがあり、それらのアクション型が許可されるアクセスと禁止されるアクセスの両方を含むことがありうることを注意しておくべきである。アクセス許可のアクション型およびアクセス禁止のアクション型の実装は、先の方法と同じである。この実施形態において詳細を再び述べることはしない。
【０２０３】
上記の実施形態に基づくもう一つの任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ８０７ないし８１０が代替的に、図９に示される以下のステップの任意の一つとして実装されてもよい。
【０２０４】
ステップ９０１：現在のサービスのサービス型が前記禁止されるサービス型に合い、現在のサービス型に対応するRAT型が前記禁止されるRAT型に合うとき、前記端末装置のアクセス・クラスが前記アクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０２０５】
あるいはまた、ステップ９０１の別の代替的な実装解決策がステップ９０２に示されている。
【０２０６】
ステップ９０２：現在のサービスのサービス型が前記禁止されるサービス型に合い、前記現在のサービスに対応するRAT型が前記禁止されるRAT型に合うとき、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０２０７】
あるいはまた、ステップ９０１の別の代替的な実装解決策がステップ９０３に示されている。
【０２０８】
ステップ９０３：現在のサービスのサービス型が前記禁止されるサービス型に合い、前記現在のサービスに対応するRAT型が前記禁止されるRAT型に合うとき、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０２０９】
この実施形態において、ステップ９０１ないしステップ９０３の実装については、図７に示した実施形態におけるステップ７０１ないしステップ７０３を参照されたい。この実施形態において再び詳細を述べることはしない。端末装置は、ステップ９０１ないしステップ９０３のうち任意の一つを実行する。具体的な使用されるステップはこの実施形態において限定されない。
【０２１０】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０２１１】
この開示のこの実施形態において提供される無線アクセス制御方法によれば、前記MMEは、禁止されるサービス型および禁止されるRAT型および／または許可されるサービス型および許可されるRAT型をアクセス・ネットワーク装置に示す。このようにして、MMEは、あるRAT型を使ってアクセスを得る端末装置によって送信されるサービスのみを受信するよう、アクセス・ネットワーク装置に指令することができる。WB-E-UTRANを使ってアクセスを得る第一の型の端末装置は、通例、ユーザーによって使用される端末装置であり、NB-IoTを使ってアクセスを得る第二の型の端末装置は、通例、スマート機器またはスマートメーターである。よって、MMEの負荷が比較的重いとき、MMEは、必要に応じて、ある型のRAT型を使ってアクセスを得る端末装置によって送信されるサービスを禁止および／または許可するよう指令してもよい。それにより、MMEの負荷が比較的重いときは、必要に応じて、ある型の端末装置によって送信されるサービスのみが受信されることができる。これは、ネットワーク・サービス品質を改善する。
【０２１２】
データ送信属性は送信方式型および／またはRAT型を含む。下記の実施形態は、データ送信属性が送信方式型およびRAT型である例を使って記述される。
【０２１３】
図１０Ａおよび図１０Ｂを参照するに、図１０Ａおよび図１０Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０２１４】
ステップ１００１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示すために使われる。
【０２１５】
この実施形態では、データ送信属性は送信方式型およびRAT型を含む。送信方式型は、サービス・データを送信するために端末装置によって使用される送信方式を示すために使われる。RAT型は、端末装置によって使われる無線アクセス技術を示すために使われる。
【０２１６】
MMEが過負荷開始メッセージをアクセス・ネットワーク装置に送って、禁止されるサービス型および禁止されるデータ送信属性および／または許可されるサービス型および許可されるデータ送信属性を示すために、二つの異なる実装が利用可能である。過負荷開始メッセージは異なる実装において異なる内容を含む。
【０２１７】
第一の可能な実装では、過負荷開始メッセージはサービス型フィールドおよびデータ送信属性フィールドを含む。前記過負荷開始メッセージはデフォルト・アクション型をもつ。アクション型はアクセス禁止およびアクセス許可の少なくとも一方である。過負荷開始メッセージのデフォルト・アクション型は事前設定されてもよい。
【０２１８】
第二の可能な実装では、過負荷開始メッセージはアクション型フィールド、サービス型フィールドおよびデータ送信属性フィールドを含む。前記アクション型フィールドは過負荷開始メッセージのアクション型を示すために使われ、前記アクション型フィールドはアクセス禁止およびアクセス許可の少なくとも一方を含む。
【０２１９】
このステップで使われる実装はこの実施形態において限定されない。
【０２２０】
上記二つの可能な実装において、サービス型フィールドによって示されるサービス型は、上記の実施形態において示したサービス型と同じである。データ送信属性フィールドは、送信方式型フィールドおよびRAT型フィールドを含む。送信方式型フィールドは、図６Ａおよび図６Ｂに示した実施形態におけるものと同じである。RAT型フィールドは、図８Ａおよび図８Ｂに示した実施形態におけるものと同じである。この実施形態において再び詳細を述べることはしない。
【０２２１】
たとえば、MMEによってアクセス・ネットワーク装置に送られる過負荷開始メッセージのデフォルト・アクション型がアクセス許可であり、過負荷開始メッセージが(mo-Data,WB-E-UTRAN,UP)である場合、このメッセージは許可されるサービスが、WB-E-UTRANを使ってアクセスを得る端末装置によってUP方式を使って送信されるmo-Dataサービスであることを示す。あるいはまた、過負荷開始メッセージが(禁止,mo-Data,NB-IoT,CP)である場合、このメッセージは禁止されるサービスが、NB-IoTを使ってアクセスを得る端末装置によってCP方式を使って送信されるmo-Dataサービスであることを示す。過負荷開始メッセージの形および内容はこの実施形態において限定されない。
【０２２２】
ステップ１００２：アクセス・ネットワーク装置がMMEによって送られた過負荷開始メッセージを受信する。
【０２２３】
アクセス・ネットワーク装置によって過負荷開始メッセージのアクション型およびサービス型を判別するための方法については、図６Ａに示した実施形態におけるステップ６０２を参照されたい。この実施形態において再び詳細を述べることはしない。この実施形態では、アクセス・ネットワーク装置はアクション型およびサービス型を判別し、データ送信型フィールドをパースして送信方式型およびRAT型を取得する。
【０２２４】
ステップ１００３：アクセス・ネットワーク装置は、過負荷開始メッセージに基づいてアクセス制御情報を生成する。アクセス制御情報は、禁止されるサービス型および禁止されるデータ送信属性および／または許可されるサービス型および許可されるデータ送信属性を端末装置に対して示すために使われる。
【０２２５】
アクセス制御情報によって示されるアクション型は、アクセス・ネットワーク装置によって判別される、過負荷開始メッセージのデフォルト・アクション型と同じである。
【０２２６】
アクセス制御情報によって示されるアクションは、過負荷開始メッセージ内のサービス型フィールドをパースすることによってアクセス・ネットワーク装置によって取得されるサービス型と同じである。アクセス制御情報によって示されるデータ送信属性は、過負荷開始メッセージ内のデータ送信属性フィールドをパースすることによってアクセス・ネットワーク装置によって取得されるデータ送信属性と同じである。具体的には、アクセス制御情報によって示される送信方式型は過負荷開始メッセージ内の送信方式型と同じであり、アクセス制御情報によって示されるRAT型は過負荷開始メッセージ内のRAT型と同じである。
【０２２７】
アクセス・ネットワーク装置が生成されたアクセス制御情報を使って、禁止されるサービス型および禁止されるデータ送信属性および／または許可されるサービス型および許可されるデータ送信属性を端末装置に対して示すために、二つの異なる実装が利用可能である。アクセス制御情報は異なる実装において異なる内容を含む。
【０２２８】
第一の可能な実装では、アクセス制御情報はサービス型フィールドおよびデータ送信属性フィールドを含む。アクセス制御情報はデフォルト・アクション型をもつ。アクション型は禁止されるアクセスおよび許可されるアクセスの少なくとも一方である。
【０２２９】
第二の可能な実装では、アクセス制御情報はアクション型フィールド、サービス型フィールドおよびデータ送信属性フィールドを含む。前記アクション型フィールドはアクセス制御情報のアクション型を示すために使われ、前記アクション型フィールドはアクセス禁止およびアクセス許可の少なくとも一方を含む。
【０２３０】
このステップにおいて使われる実装はこの実施形態において限定されない。
【０２３１】
アクセス制御情報の形式は、過負荷開始メッセージの形と同じであってもよい。この実施形態において詳細を再び記述することはしない。
【０２３２】
ステップ１００４：アクセス・ネットワーク装置が、アクセス制御情報を端末装置に送る。
【０２３３】
アクセス・ネットワーク装置によってアクセス制御情報を端末装置に送る方法は、先の実施形態におけるものと同じである。この実施形態において再び詳細を述べることはしない。
【０２３４】
ステップ１００５：端末装置が、アクセス・ネットワーク装置によって送られたアクセス制御情報を受信する。
【０２３５】
端末装置によってアクセス制御情報のアクション型およびサービス型を判別する方法については、図６Ａに示した実施形態におけるステップ６０５を参照されたい。この実施形態において再び詳細を述べることはしない。この実施形態では、端末装置はアクション型およびサービス型を判別し、データ送信属性フィールドをパースして送信方式型およびRAT型を取得する。
【０２３６】
アクション型は、アクセス禁止およびアクセス許可の少なくとも一つである。アクション型がアクセス許可である場合、本方法は次のステップ１００６を含む。
【０２３７】
ステップ１００６：現在のサービスのサービス型が前記許可されるサービス型に合い、前記現在のサービスに対応するデータ送信属性が前記許可されるデータ送信属性に合うとき、端末装置はRRC接続要求をアクセス・ネットワーク装置に送る。
【０２３８】
前記現在のサービスに対応するデータ送信属性は、アクセス・ネットワーク装置にアクセスするために前記現在のサービスを送信する端末装置によって使われるRAT型および前記現在のサービスを送信するために端末装置によって使われる送信方式型である。
【０２３９】
アクセス制御情報におけるサービス型フィールドをパースすることによって端末装置によって取得されたサービス型は許可されるサービスである。データ送信属性フィールドをパースすることによって取得される送信方式型およびRAT型は、許可される送信方式型および許可されるRAT型である。
【０２４０】
端末装置によって現在送信されるサービスが許可されるサービスであり、使用される送信方式型が許可される送信方式型であり、使用されるRAT型が許可されるRAT型であるときは、端末装置は該RAT型を使ってRRC接続要求をアクセス・ネットワーク装置に送る。
【０２４１】
アクション型がアクセス禁止であるときは、二つの異なる実装が利用可能である。
【０２４２】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。この実施形態におけるアクセス制御因子およびアクセス制御時間期間の意味は、先の実施形態におけるアクセス制御因子およびアクセス制御時間期間の意味と同じである。この実施形態において再び詳細を述べることはしない。
【０２４３】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０２４４】
この実施形態において、記述のための例として第一の実装が使われる場合、本方法はさらに以下のステップ１００７ないしステップ１０１０を含む。
【０２４５】
ステップ１００７：現在のサービスのサービス型が前記禁止されるサービス型に合い、前記現在のサービスに対応するデータ送信属性が前記禁止されるデータ送信属性に合うとき、乱数を生成する。
【０２４６】
ステップ１００８：端末装置が、前記乱数がアクセス制御因子より小さいかどうかを判定する。
【０２４７】
ステップ１００９：前記乱数が前記アクセス制御因子より小さいときは、端末装置は、RRC接続要求を前記アクセス・ネットワーク装置に送ることを決定する。
【０２４８】
ステップ１０１０：前記乱数が前記アクセス制御因子以上であるときは、アクセス制御時間期間に基づいてタイマーを設定して、該タイマーが満了するときに、乱数を生成する前記ステップを再実行する。
【０２４９】
端末装置が前記第一の実装を使ってアクセス・ネットワーク装置にRRC接続要求を送るかどうかを決定する具体的な実装については、図６Ｂに示した実施形態におけるステップ６０７ないしステップ６１０を参照されたい。この実施形態において再び詳細を述べることはしない。
【０２５０】
一片のアクセス制御情報が複数のアクション型を示すことがあり、それらのアクション型が許可されるアクセスと禁止されるアクセスの両方を含むことがありうることを注意しておくべきである。アクセス許可のアクション型およびアクセス禁止のアクション型の実装は、先の方法と同じである。この実施形態において詳細を再び述べることはしない。
【０２５１】
上記の実施形態に基づくもう一つの任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ１００７ないし１０１０が代替的に、図１１に示される以下のステップの任意の一つとして実装されてもよい。
【０２５２】
ステップ１１０１：現在のサービスのサービス型が前記禁止されるサービス型に合い、現在のサービス型に対応するデータ送信属性が前記禁止されるデータ送信属性に合うとき、前記端末装置のアクセス・クラスがアクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０２５３】
ステップ１１０２：現在のサービスのサービス型が前記禁止されるサービス型に合い、前記現在のサービスに対応するデータ送信属性が前記禁止されるデータ送信属性に合うとき、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０２５４】
ステップ１１０３：現在のサービスのサービス型が前記禁止されるサービス型に合い、前記現在のサービスに対応するデータ送信属性が前記禁止されるデータ送信属性に合うとき、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０２５５】
この実施形態において、ステップ１１０１ないしステップ１１０３の実装については、図７に示した実施形態におけるステップ７０１ないしステップ７０３を参照されたい。この実施形態において再び詳細を述べることはしない。端末装置は、ステップ１１０１ないしステップ１１０３のうち任意の一つを実行する。具体的な使用されるステップはこの実施形態において限定されない。
【０２５６】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０２５７】
この開示のこの実施形態において提供される無線アクセス制御方法によれば、前記MMEは、禁止されるサービス型および禁止されるデータ送信属性および／または許可されるサービス型および許可されるデータ送信属性をアクセス・ネットワーク装置に示す。データ送信属性は送信方式型およびRAT型を含む。このようにして、MMEは、あるRAT型を使ってアクセスを得る端末装置によってある送信方式型を使って送信されるサービスのみを禁止および／または許可するよう、アクセス・ネットワーク装置に指令することができる。MMEの負荷が比較的重いとき、より軽い負荷に対応する、ある型の端末装置によって送信されるサービスは引き続き許可されることができる。これは、ネットワーク資源利用率を改善し、ネットワーク・サービス品質を改善する。
【０２５８】
図１２Ａを参照するに、図１２Ａは、本発明のもう一つの例示的実施形態に基づく無線アクセス制御方法のフローチャートである。この実施形態は、本方法が図１に示される無線アクセス制御システムに適用される例を使って記述される。本方法は以下のステップを含む。
【０２５９】
ステップ１２０１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示すために使われる。
【０２６０】
ステップ１２０２：アクセス・ネットワーク装置が、MMEによって送られた過負荷開始メッセージを受信する。
【０２６１】
過負荷開始メッセージに基づいて、アクセス・ネットワーク装置によって、禁止されるサービス型および禁止されるデータ送信属性および／または許可されるサービス型および許可されるデータ送信属性を判別するための方法は、上記の実施形態と同じである。この実施形態において再び詳細を述べることはしない。
【０２６２】
ステップ１２０３：端末装置が、RRC接続要求メッセージをアクセス・ネットワーク装置に送る。前記RRC接続要求は対応するサービス型および対応するデータ送信属性をもつ。
【０２６３】
RRC接続要求は、端末装置によって送信されるサービスによってトリガーされる。RRC接続要求に対応するサービス型およびデータ送信属性は、RRC接続要求をトリガーするサービスの型および端末装置が該サービスを送信するときに使われるデータ送信属性である。
【０２６４】
たとえば、端末装置がmo-Dataサービスを送信するためにCP方式を使うときに前記RRC接続要求がトリガーされる場合、RRC接続要求に対応するサービス型はmo-Dataサービスであり、RRC接続要求に対応するデータ送信属性はCP方式である。
【０２６５】
任意的に、RRC接続要求メッセージはさらに、サービス型フィールドおよびデータ送信属性フィールドを含む。
【０２６６】
サービス型フィールドは、サービス型を示すために使われる。データ送信属性フィールドはデータ送信属性を示すために使われる。サービス型フィールドおよびデータ送信属性フィールドの内容は、上記の例示的実施形態と同じである。この実施形態において再び詳細を述べることはしない。
【０２６７】
ステップ１２０４：アクセス・ネットワーク装置が、端末装置によって送られたRRC接続要求メッセージを受信する。
【０２６８】
アクセス・ネットワーク装置がRRC接続要求メッセージをパースして、前記RRC接続要求に対応するサービス型およびデータ送信属性を判別する。
【０２６９】
ステップ１２０５：アクセス・ネットワーク装置が、前記RRC接続要求に対応する前記サービス型および前記データ送信属性が禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送る。
【０２７０】
前記RRC接続要求に対応する前記サービス型および前記データ送信属性が許可されるサービス型および許可されるデータ送信属性であるときは、RRC接続セットアップ・メッセージが端末装置に送られ、端末装置とRRC接続が確立される。
【０２７１】
前記RRC接続要求に対応する前記サービス型および前記データ送信属性が禁止されるサービス型および禁止されるデータ送信属性であるときは、RRC接続拒否メッセージが端末装置に送られる。
【０２７２】
任意的に、前記RRC接続要求に対応する前記サービス型および前記データ送信属性が禁止されるサービス型および禁止されるデータ送信属性であるとき、二つの異なる実装がさらに含まれる。
【０２７３】
第一の可能な実装では、前記RRC接続要求に対応する前記サービス型および前記データ送信属性が禁止されるサービス型および禁止されるデータ送信属性であるとき、アクセス・ネットワーク装置は乱数を生成し、乱数がアクセス制御因子より小さいかどうかを判定する。前記乱数が前記アクセス制御因子より小さいときは、アクセス・ネットワーク装置はRRC接続メッセージを端末装置に送る。前記乱数が前記アクセス制御因子より小さくないときは、アクセス・ネットワーク装置はRRC接続拒否メッセージを端末装置に送る。アクセス制御因子の意味および具体的な実装については、先の実施形態を参照されたい。この実施形態において再び詳細を述べることはしない。
【０２７４】
第二の可能な実装では、RRC接続要求メッセージはさらに、端末装置のアクセス・クラスを含む。
【０２７５】
RRC接続要求に対応するサービス型およびデータ送信属性が禁止されるサービス型および禁止されるデータ送信属性であるとき、アクセス・ネットワーク装置は端末装置のアクセス・クラスがアクセス禁止クラスに等しいかどうかを判定する。端末装置のアクセス・クラスがアクセス禁止クラスに等しくない場合は、アクセス・ネットワーク装置はRRC接続セットアップ・メッセージを端末装置に送る。端末装置のアクセス・クラスがアクセス禁止クラスに等しい場合は、アクセス・ネットワーク装置はRRC接続拒否メッセージを端末装置に送る。本方法は、代替的に、端末装置のアクセス・クラスがアクセス禁止クラスより大きいかどうかまたは小さいかどうかを検出することとして実装されてもよい。具体的な実装は上記の実施形態と同様である。この実施形態において再び詳細を述べることはしない。
【０２７６】
ステップ１２０６：端末装置が、前記アクセス・ネットワーク装置によって送られたRRC接続セットアップ・メッセージまたはRRC接続拒否メッセージを受信する。
【０２７７】
図１２Ａに示される実施形態においては、RRC接続要求に対応するサービス型およびデータ送信属性は、RRC接続メッセージ要求と一緒に送られる。もう一つの任意的な実施形態では、端末装置は代替的に、RRC接続要求に対応するサービス型のみをRRC接続メッセージ要求と一緒に送って、RRC接続要求に対応するデータ送信属性はRRC接続メッセージ要求を送る前に送ってもよい。この場合、ステップ１２０１およびステップ１２０４は代替的に、図１２Ｂに示されるように、以下のステップとして実装されてもよい。
【０２７８】
ステップ１２１０：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示すために使われる。
【０２７９】
ステップ１２１１：アクセス・ネットワーク装置が、MMEによって送られた過負荷開始メッセージを受信する。
【０２８０】
ステップ１２１２：端末装置が、RRC接続要求に対応するデータ送信属性をアクセス・ネットワーク装置に送る。
【０２８１】
ステップ１２１３：アクセス・ネットワーク装置が、RRC接続要求に対応する、端末装置によって送られたデータ送信属性を受信する。
【０２８２】
任意的に、アクセス・ネットワーク装置は、ランダム・アクセス・プリアンブル（Random  Access  Preamble）とデータ送信属性との間の対応を前もって端末装置に送ってもよい。端末装置は、前記RRC接続要求に対応するデータ送信属性に基づいて、アクセス・ネットワーク装置にランダム・アクセス要求を送るためのデータ送信属性に対応するプリアンブルを選択する。アクセス・ネットワーク装置は、端末装置によって送られたランダム・アクセス要求によって使用されるプリアンブルに基づいて、RRC接続要求に対応するデータ送信属性を決定する。
【０２８３】
たとえば、データ送信属性が送信方式型：CP方式またはUP方式を含むとき、アクセス・ネットワーク装置は、端末装置に、プリアンブルAがCP方式に対応し、プリアンブルBがUP方式に対応することを事前に通知する。RRC接続要求を開始するよう端末装置をトリガーするサービスがCP方式を使う場合、端末装置はアクセス・ネットワーク装置に対するランダム・アクセス要求を開始するためにプリアンブルAを選択する。アクセス・ネットワーク装置はランダム・アクセス要求を受信し、ランダム・アクセス要求によって使われるプリアンブルAに基づいて、端末装置のRRC接続要求に対応するデータ送信属性がCP方式であることを判別する。
【０２８４】
もう一つの例について、データ送信属性が無線アクセス技術：WB-E-UTRANまたはNB-IoTを含むとき、アクセス・ネットワーク装置は、プリアンブルCがWB-E-UTRANに対応し、プリアンブルDがNB-IoTに対応することを端末装置に事前に通知する。RRC接続要求を開始するよう端末装置をトリガーするサービスがNB-IoTを使う場合、端末装置はアクセス・ネットワーク装置に対するランダム・アクセス要求を開始するためにプリアンブルDを選択する。アクセス・ネットワーク装置はランダム・アクセス要求を受信し、ランダム・アクセス要求によって使われるプリアンブルDに基づいて、端末装置のRRC接続要求に対応するデータ送信属性がNB-IoTであることを判別する。
【０２８５】
ステップ１２１４：端末装置が、RRC接続要求メッセージをアクセス・ネットワーク装置に送る。前記RRC接続要求は対応するサービス型および対応するデータ送信属性をもつ。
【０２８６】
RRC接続要求メッセージはさらに、サービス型フィールドを含む。
【０２８７】
サービス型フィールドは、サービス型を示すために使われる。サービス型フィールドの内容は、上記の例示的実施形態と同じである。この実施形態において再び詳細を述べることはしない。
【０２８８】
ステップ１２１５：アクセス・ネットワーク装置が、端末装置によって送られたRRC接続要求メッセージを受信する。
【０２８９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可することができ、MMEの負荷を著しく増すことなくできるだけ多くのサービス型についてサービス機能が提供され、それによりネットワーク資源利用率を改善する。
【０２９０】
下記は、本発明の装置実施形態であり、装置実施形態は、本発明の方法実施形態を実行するために使用されうる。本発明の装置実施形態において開示されていない詳細については、本発明の方法実施形態を参照されたい。
【０２９１】
図１３Ａを参照するに、図１３Ａは本発明のある実施形態に基づく無線アクセス制御装置の構造的なブロック図である。本無線アクセス制御装置は、ソフトウェア、ハードウェアまたはソフトウェアとハードウェアの組み合わせを使って、端末装置の一部または全部として実装されてもよい。本無線アクセス制御装置は：
アクセス・ネットワーク装置によって送られたアクセス制御情報を受信するよう構成された受信ユニット１３１０であって、前記アクセス制御情報は禁止されるサービス型および禁止されるデータ送信属性および／または許可されるサービス型および許可されるデータ送信属性を前記端末装置に対して示すために使われ、前記データ送信属性は送信方式型および／またはRAT型を含み、前記送信方式型は、サービス・データを送信するために前記端末装置によって使われる送信方式を示すために使われ、前記RAT型は前記端末装置によって使われる無線アクセス技術を示すために使われる、受信ユニットと；
前記サービス型および前記データ送信属性に基づいて、RRC接続要求を前記アクセス・ネットワーク装置に送るかどうかを決定するよう構成された処理ユニット１３２０とを含んでいてもよい。
【０２９２】
関連した詳細については、上記の方法実施形態を参照されたい。
【０２９３】
もう一つの任意的な実装では、アクセス制御情報はアクセス制御因子およびアクセス制御時間期間を含む。
【０２９４】
処理ユニット１３２０はさらに、現在のサービスのサービス型が前記禁止されるサービス型に合い、前記現在のサービスに対応するデータ送信属性が前記禁止されるデータ送信属性に合うとき、乱数を生成するよう構成される。
【０２９５】
処理ユニット１３２０はさらに、前記乱数が前記アクセス制御情報に含まれる前記アクセス制御因子より小さいかどうかを判定するよう構成される。
【０２９６】
処理ユニット１３２０はさらに、前記乱数が前記アクセス制御因子より小さいときは、前記RRC接続要求を、通信ユニットを使って前記アクセス・ネットワーク装置に送ることを決定するよう構成される。
【０２９７】
処理ユニット１３２０はさらに、前記乱数が前記アクセス制御因子以上であるときは、前記アクセス制御情報に含まれる前記アクセス制御時間期間に基づいてタイマーを設定して、該タイマーが満了するときに、乱数を生成する前記ステップを再実行するよう構成される。
【０２９８】
関連した詳細については、上記の方法実施形態を参照されたい。
【０２９９】
もう一つの任意的な実施形態では、図１３Ａに示される無線アクセス制御装置はさらに、送信ユニット１３３０を含み、前記アクセス制御情報はアクセス禁止クラスを含む。
【０３００】
処理ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスに等しいかどうかを検出し；前記端末装置のアクセス・クラスが前記アクセス禁止クラスに等しくなければ、前記RRC接続要求を前記送信ユニット１３３０を使って前記アクセス・ネットワーク装置に送ることを決定するよう構成される；または
処理ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスより大きいかどうかを検出し；前記端末装置のアクセス・クラスが前記アクセス禁止クラスより小さい場合、前記RRC接続要求を前記送信ユニット１３３０を使って前記アクセス・ネットワーク装置に送ることを決定するよう構成される；または
決定ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスより小さいかどうかを検出し；前記端末装置のアクセス・クラスが前記アクセス禁止クラスより大きい場合、前記RRC接続要求を前記送信ユニット１３３０を使って前記アクセス・ネットワーク装置に送ることを決定するよう構成される。
【０３０１】
関連した詳細については、上記の方法実施形態を参照されたい。
【０３０２】
もう一つの任意的な実施形態では、図１３Ａに示される無線アクセス制御装置はさらに送信ユニット１３３０を含む。決定ユニット１３２０はさらに：現在のサービスのサービス型が前記禁止されるサービス型に合い、前記現在のサービスに対応するデータ送信属性が前記許可されるデータ送信属性に合うときに、前記RRC接続要求を前記送信ユニット１３３０を使って前記アクセス・ネットワーク装置に送るよう構成される。
【０３０３】
関連した詳細については、上記の方法実施形態を参照されたい。
【０３０４】
もう一つの任意的な実施形態では、図１３Ｂに示されるように、図１３Ａに示される無線アクセス制御装置はさらに送信ユニット１３３０を含む。
【０３０５】
送信ユニット１３３０はさらに、RRC接続要求メッセージをアクセス・ネットワーク装置に送るよう構成される。前記RRC接続要求は対応するサービス型および対応するデータ送信属性をもつ。
【０３０６】
受信ユニット１３１０はさらに、アクセス・ネットワーク装置によって送られたRRC接続セットアップ・メッセージまたはRRC接続拒否メッセージを受信するよう構成される。ここで、RRC接続セットアップ・メッセージまたはRRC接続拒否メッセージは、前記RRC接続要求に対応する前記サービス型および前記データ送信属性が、禁止されるサービス型および禁止されるデータ送信属性および／または許可されるサービス型および許可されるデータ送信属性に属するかどうかに基づいて前記アクセス・ネットワーク装置によって送られる。
【０３０７】
受信ユニット１３１０はさらに、前記RRC接続要求に対応するデータ送信属性をアクセス・ネットワーク装置に送るよう構成される。
【０３０８】
図１３Ａに示される無線アクセス制御装置および／または図１３Ｂに示される無線アクセス制御装置は、前記無線アクセス制御方法を実装するよう構成されることを注意しておくべきである。端末装置は、受信ユニットを使って情報を受信することができ、端末装置は送信ユニットを使って情報を送ることができ、端末装置は、処理ユニットを使って、情報を送るおよび／または受信するかどうかを決定するステップを実行することができる。
【０３０９】
前記受信ユニットに対応するエンティティー装置は、端末装置の受信機であり、前記送信ユニットに対応するエンティティー装置は、端末装置の送信機であり、前記処理ユニットに対応するエンティティー装置は、端末装置のプロセッサである。
【０３１０】
図１４を参照するに、図１４は本発明のある実施形態に基づく無線アクセス制御装置の構造的なブロック図である。本無線アクセス制御装置は、ソフトウェア、ハードウェアまたはソフトウェアとハードウェアの組み合わせを使って、アクセス・ネットワーク装置の一部または全部として実装されてもよい。本無線アクセス制御装置は：
移動性管理エンティティーMMEによって送られた過負荷開始メッセージを受信するよう構成された受信ユニット１４１０であって、前記過負荷開始メッセージは、禁止されるサービス型および禁止されるデータ送信属性および／または許可されるサービス型および許可されるデータ送信属性を前記アクセス・ネットワーク装置に対して示すために使われ、前記データ送信属性は送信方式型および／またはRAT型を含み、前記送信方式型は、サービス・データを送信するために端末装置によって使われる送信方式を示すために使われ、前記RAT型は前記端末装置によって使われる無線アクセス技術を示すために使われる、受信ユニットと；
前記受信ユニットによって受信された前記過負荷開始メッセージに基づいてアクセス制御情報を生成するよう構成された処理ユニット１４２０であって、前記アクセス制御情報は、禁止されるサービス型および禁止されるデータ送信属性および／または許可されるサービス型および許可されるデータ送信属性を前記端末装置に対して示すために使われる、処理ユニットと；
前記アクセス制御情報を端末装置に送るよう構成された送信ユニット１４３０とを含んでいてもよい。
【０３１１】
関連した詳細については、上記の方法実施形態を参照されたい。
【０３１２】
ある任意的な実施形態では、受信ユニット１４１０はさらに、端末装置によって送られたRRC接続要求メッセージを受信するよう構成される。RRC接続要求は、対応するサービス型および対応するデータ送信属性をもつ。
【０３１３】
送信ユニット１４３０はさらに、前記RRC接続要求に対応する前記サービス型および前記データ送信属性が禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送るよう構成される。
【０３１４】
受信ユニット１４１０はさらに、端末装置によって送られる、前記RRC接続要求に対応するデータ送信属性を受信するよう構成される。
【０３１５】
図１４に示される無線アクセス制御装置は、前記無線アクセス制御方法を実装するよう構成されることを注意しておくべきである。アクセス・ネットワーク装置は、受信ユニットを使って情報を受信することができ、アクセス・ネットワーク装置は送信ユニットを使って情報を送ることができ、アクセス・ネットワーク装置は、処理ユニットを使って、情報を処理するステップを実行することができる。
【０３１６】
前記受信ユニットに対応するエンティティー装置は、アクセス・ネットワーク装置の受信機であり、前記送信ユニットに対応するエンティティー装置は、アクセス・ネットワーク装置の送信機であり、前記処理ユニットに対応するエンティティー装置は、アクセス・ネットワーク装置のプロセッサである。
【０３１７】
図１５を参照するに、図１５は本発明のある実施形態に基づく無線アクセス制御装置の構造的なブロック図である。本無線アクセス制御装置は、ソフトウェア、ハードウェアまたはソフトウェアとハードウェアの組み合わせを使って、MMEの一部または全部として実装されてもよい。本無線アクセス制御装置は：
負荷が事前設定された条件より大きいときに、過負荷開始メッセージをアクセス・ネットワーク装置に送るよう構成された送信ユニット１５１０であって、前記過負荷開始メッセージは、禁止されるサービス型および禁止されるデータ送信属性および／または許可されるサービス型および許可されるデータ送信属性を前記アクセス・ネットワーク装置に対して示すために使われ、前記データ送信属性は送信方式型および／またはRAT型を含み、前記送信方式型は、サービス・データを送信するために端末装置によって使われる送信方式を示すために使われ、前記RAT型は前記端末装置によって使われる無線アクセス技術を示すために使われる、送信ユニットを含んでいてもよい。
【０３１８】
関連した詳細については、上記の方法実施形態を参照されたい。
【０３１９】
図１５に示される無線アクセス制御装置は、前記無線アクセス制御方法を実装するよう構成されることを注意しておくべきである。MMEは、送信ユニットを使って情報を送ることができる。図１５に示される無線アクセス制御装置はさらに、受信ユニットおよび処理ユニットを含んでいてもよい。MMEは受信ユニットを使って情報を受信することができ、MMEは処理ユニットを使って、情報を処理するステップを実行することができる。
【０３２０】
前記受信ユニットに対応するエンティティー装置はMMEの受信機であり、前記送信ユニットに対応するエンティティー装置はMMEの送信機であり、前記処理ユニットに対応するエンティティー装置はMMEのプロセッサである。
【０３２１】
本実施形態で提供される無線アクセス制御装置が無線アクセスを制御するとき、機能モジュールの分割は、単に記述のための例として使われていることを注意しておくべきである。実際の応用では、機能は異なる機能モジュールに割り当てられ、必要に応じて実装されることができる。換言すれば、本デバイスの内部構造は、上記の全部またはいくつかの機能を実装するよう異なる機能モジュールに分割される。加えて、本実施形態において提供される無線アクセス制御装置は、前記無線アクセス制御方法の方法実施形態と同じ概念に係る。無線アクセス制御装置の具体的な実装プロセスについては、方法実施形態を参照されたい。ここで再び詳細を述べることはしない。
【０３２２】
本明細書で使用される単数形「一つの」（「a」「an」または「the」）は、文脈が明瞭に例外を支持するのでない限り、さらに複数形を含むことが意図されていることを理解しておくべきである。さらに、本明細書で使用される「および／または」は、一つまたは複数の関連する挙げられている項目の任意のものまたはあらゆる可能な組み合わせを含むことを意味する。
【０３２３】
本発明の実施形態のシーケンス番号は単に例解目的のためであり、実施形態の優先度を示すことは意図されていない。
【０３２４】
当業者は、実施形態のステップの全部またはいくつかがハードウェアまたは関係するハードウェアに指令するプログラムによって実装されうることを理解しうる。プログラムは、コンピュータ可読記憶媒体に記憶されてもよい。記憶媒体は：読み出し専用メモリ、磁気ディスク、光ディスクなどを含んでいてもよい。
【０３２５】
上記の記述は単に本発明の例示的実施形態であり、本発明を限定することは意図されていない。本発明の精神および原理から外れない任意の修正、等価な置換および改善が、本発明の保護範囲にはいる。
【図１】
2019509698.tif 000003
【図２】
2019509698.tif 000004
【図３】
2019509698.tif 000005
【図４】
2019509698.tif 000006
【図５Ａ】
2019509698.tif 000007
【図５Ｂ】
2019509698.tif 000008
【図６Ａ】
2019509698.tif 000009
【図６Ｂ】
2019509698.tif 000010
【図７】
2019509698.tif 000011
【図８Ａ】
2019509698.tif 000012
【図８Ｂ】
2019509698.tif 000013
【図９】
2019509698.tif 000014
【図１０Ａ】
2019509698.tif 000015
【図１０Ｂ】
2019509698.tif 000016
【図１１】
2019509698.tif 000017
【図１２Ａ】
2019509698.tif 000018
【図１２Ｂ】
2019509698.tif 000019
【図１３Ａ】
2019509698.tif 000020
【図１３Ｂ】
2019509698.tif 000021
【図１４】
2019509698.tif 000022
【図１５】
2019509698.tif 000023
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
無線アクセス制御方法であって、当該方法は：
アクセス・ネットワーク装置によって送られたアクセス制御情報を端末装置によって受信する段階であって、前記アクセス制御情報は禁止されるサービス型および禁止されるデータ送信属性を前記端末装置に対して示す、段階と；
前記禁止されるサービス型および前記禁止されるデータ送信属性に基づいて、無線資源制御（RRC）接続要求を前記アクセス・ネットワーク装置に送るかどうかを前記端末装置によって決定する段階とを含み、
前記データ送信属性は送信方式型を含み、前記送信方式型は、前記端末装置によって使われるサービス・データを送信するために前記端末装置によって使われる送信方式を示す、
方法。
【請求項２】
前記アクセス制御情報はアクション型フィールド、サービス型フィールドおよびデータ送信属性フィールドを含む、
請求項１記載の方法。
【請求項３】
前記アクション型フィールドはアクセス禁止を含む、
請求項２記載の方法。
【請求項４】
前記サービス型フィールドはモバイル起点信号伝達サービスを含む、
請求項２記載の方法。
【請求項５】
前記データ送信属性フィールドは制御プレーン方式を含む、
請求項２記載の方法。
【請求項６】
無線アクセス制御方法であって、当該方法は：
移動性管理エンティティー（MME）によって送られた過負荷開始メッセージをアクセス・ネットワーク装置によって受信する段階であって、前記過負荷開始メッセージは、禁止されるサービス型および禁止されるデータ送信属性を前記アクセス・ネットワーク装置に対して示す、段階と；
前記過負荷開始メッセージに基づいて、前記アクセス・ネットワーク装置によって、アクセス制御情報を生成する段階であって、前記アクセス制御情報は、前記禁止されるサービス型および前記禁止されるデータ送信属性を端末装置に対して示す、段階と；
前記アクセス・ネットワーク装置によって、前記アクセス制御情報を前記端末装置に送る段階とを含み、
前記データ送信属性は送信方式型を含み、前記送信方式型は、前記端末装置によって使われるサービス・データを送信するために前記端末装置によって使われる送信方式を示す、
方法。
【請求項７】
前記過負荷開始メッセージはアクション型フィールド、サービス型フィールドおよびデータ送信属性フィールドを含む、
請求項６記載の方法。
【請求項８】
前記アクション型フィールドはアクセス禁止を含む、
請求項７記載の方法。
【請求項９】
前記サービス型フィールドはモバイル起点データ・サービスを含む、
請求項７記載の方法。
【請求項１０】
前記データ送信属性フィールドは制御プレーン方式を含む、
請求項７記載の方法。
【請求項１１】
無線アクセス制御装置であって、当該装置は：
アクセス・ネットワーク装置によって送られたアクセス制御情報を受信するよう構成された受信ユニットであって、前記アクセス制御情報は禁止されるサービス型および禁止されるデータ送信属性を端末装置に対して示す、受信ユニットと；
前記禁止されるサービス型および前記禁止されるデータ送信属性に基づいて、無線資源制御（RRC）接続要求を前記アクセス・ネットワーク装置に送るかどうかを決定するよう構成された処理ユニットとを有しており、
前記データ送信属性は送信方式型を含み、前記送信方式型は、サービス・データを送信するための送信方式を示す、
装置。
【請求項１２】
前記アクセス制御情報はアクション型フィールド、サービス型フィールドおよびデータ送信属性フィールドを含む、
請求項１１記載の装置。
【請求項１３】
前記アクション型フィールドはアクセス禁止を含む、
請求項１２記載の装置。
【請求項１４】
前記サービス型フィールドはモバイル起点データ・サービスを含む、
請求項１２記載の装置。
【請求項１５】
前記データ送信属性フィールドは制御プレーン方式を含む、
請求項１２記載音装置。
【請求項１６】
無線アクセス制御装置であって、当該装置は：
移動性管理エンティティーMMEによって送られた過負荷開始メッセージを受信するよう構成された受信ユニットであって、前記過負荷開始メッセージは、禁止されるサービス型および禁止されるデータ送信属性を前記アクセス・ネットワーク装置に対して示す、受信ユニットと；
前記受信ユニットによって受信された前記過負荷開始メッセージに基づいてアクセス制御情報を生成するよう構成された処理ユニットであって、前記アクセス制御情報は、前記禁止されるサービス型および前記禁止されるデータ送信属性を端末装置に対して示す、処理ユニットと；
前記アクセス制御情報を前記端末装置に送るよう構成された送信機とを有しており、
前記データ送信属性は送信方式型を含み、前記送信方式型は、サービス・データを送信するために前記端末装置によって使われる送信方式を示す、
装置。
【請求項１７】
前記過負荷開始メッセージはアクション型フィールド、サービス型フィールドおよびデータ送信属性フィールドを含む、
請求項１６記載の装置。
【請求項１８】
前記アクション型フィールドはアクセス禁止を含む、
請求項１７記載の装置。
【請求項１９】
前記サービス型フィールドはモバイル起点データ・サービスを含む、
請求項１７記載の装置。
【請求項２０】
前記データ送信属性フィールドは制御プレーン方式を含む、
請求項１７記載の装置。
【請求項２１】
コンピュータ・ユニットによって実行されるときに該コンピュータ・ユニットに請求項１ないし５のうちいずれか一項記載の端末装置の段階を実行させる、非一時的媒体に記憶されたコンピュータ・プログラムを有するコンピュータ可読媒体。
【請求項２２】
コンピュータ・ユニットによって実行されるときに該コンピュータ・ユニットに請求項６ないし１０のうちいずれか一項記載のアクセス・ネットワーク装置の段階を実行させる、非一時的媒体に記憶されたコンピュータ・プログラムを有するコンピュータ可読媒体。
【手続補正２】
【補正対象書類名】明細書
【補正対象項目名】全文
【補正方法】変更
【補正の内容】
【発明の詳細な説明】
【技術分野】
【０００１】
本発明の実施形態は通信分野に、詳細には無線アクセス制御方法、装置およびシステムに関する。
【背景技術】
【０００２】
無線アクセス技術（radio  access  technology、RAT）は、端末装置がモバイル通信ネットワークにアクセスするときに使われる技術である。通信技術およびモノのインターネットが発展するにつれて、端末装置はスマートフォンおよびタブレット・コンピュータのような第一の型の端末装置を含むだけでなく、スマートメーターおよびスマート機器のような第二の型の端末装置をも含んでいる。
【０００３】
一般に、第一の型の端末装置によって使われる無線アクセス技術は、ワイドバンド進化型万国移動通信システム（Universal  Mobile  Telecommunication  System、UMTS）地上無線アクセス・ネットワーク（wideband  evolved  UMTS  terrestrial  radio  access  network、WB-E-UTRAN）と称され、第二の型の端末装置によって使われる無線アクセス技術は、セルラー・ベースのナローバンド・モノのインターネット（Narrowband  Internet  of  Things、NB-IoT）と称される。端末装置は同じ基地局および同じ移動性管理エンティティー（mobility  management  entity、MME）にアクセスするためにこれら二つの無線アクセス技術を使う。端末装置がWB-E-UTRANを使ってサービスのために基地局にアクセスした後、サービス・データを送信するためにユーザー・プレーン（user  plane、UP）方式が使われる。UP送信方式のデータ送信経路は：端末装置→基地局→サービスするゲートウェイ（serving  gateway、SGW）である。端末装置がNB-IoTを使ってサービスのために基地局にアクセスした後、UP方式に加えて、サービス・データを送信するために制御プレーン（control  plane、CP）方式が使用されてもよい。CP送信方式のデータ送信経路は：端末装置→基地局→MMEである。
【０００４】
MMEの負荷が比較的重い場合、MMEは過負荷開始（Overload  Start）メッセージを基地局に送る。過負荷開始メッセージは、端末装置がいくつかの型のサービスについてのみRRC接続を確立することを許可するよう基地局に指令する。しかしながら、ある型のサービスについては、UP方式がサービス・データを送信するときに使われるときには、MMEの負荷はより軽く；CP方式がサービス・データを送信するときに使われるときには、MMEの負荷はより重い。MMEがある型のすべてのサービスのアクセスを拒否するよう基地局に指令するときは、端末装置の種々のデータ送信属性によって引き起こされる負荷への影響は考慮されず、比較的低いMME資源利用率につながる。
【発明の概要】
【０００５】
本発明の実施形態は、負荷が比較的重いMMEがある型のすべてのサービスのアクセスを拒否するよう基地局に指令するために引き起こされる低いMME利用率という問題を解決するための無線アクセス制御方法、装置およびシステムを提供する。
【０００６】
ある実施形態によれば、無線アクセス制御方法が提供され、本方法は：アクセス・ネットワーク装置によって送られたアクセス制御情報を端末装置によって受信する段階であって、前記アクセス制御情報は禁止されるサービス型および禁止されるデータ送信属性および／または許可されるサービス型および許可されるデータ送信属性を前記端末装置に対して示す、段階と；前記サービス型および前記データ送信属性に基づいて、前記端末装置によって、無線資源制御（RRC）接続要求を前記アクセス・ネットワーク装置に送るかどうかを決定する段階とを含み、前記データ送信属性は送信方式型および／または無線アクセス技術（RAT）型を含み、前記送信方式型は、サービス・データを送信するために前記端末装置によって使われる送信方式を示し、前記RAT型は前記端末装置によって使われる無線アクセス技術を示す。
【０００７】
この実施形態について、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０００８】
ある実施形態について、アクセス制御情報はアクセス制御因子およびアクセス制御時間期間を含み；前記サービス型および前記データ送信属性に基づいて、RRC接続要求を前記アクセス・ネットワーク装置に送るかどうかを決定する前記段階は：現在のサービスのサービス型が前記禁止されるサービス型に合い、前記現在のサービスに対応するデータ送信属性が前記禁止されるデータ送信属性に合うときに乱数を生成し；前記乱数が前記アクセス制御因子より小さいかどうかを判定し；前記乱数が前記アクセス制御因子より小さいときは、前記RRC接続要求を前記アクセス・ネットワーク装置に送ることを決定し；または前記乱数が前記アクセス制御因子以上であるときは、前記アクセス制御時間期間に基づいてタイマーを設定して、該タイマーが満了するときに、乱数を生成する前記段階を再実行することを含む。
【０００９】
ある実施形態について、前記サービス型および前記データ送信属性が前記禁止されるサービス型および前記禁止されるデータ送信属性に合うときは、前記端末装置は前記乱数を生成し、前記乱数を前記アクセス制御因子と比較し、次いで、直接前記RRC接続要求を送ることをあきらめる代わりに、前記RRC接続要求を前記アクセス・ネットワーク装置に送るかどうかを決定する。前記アクセス・ネットワーク装置は、前記端末装置のアクセスを直接拒否する代わりに、前記端末装置のランダム・アクセスを許可する。これは、以下の効果を達成する：MMEの負荷を著しく増すことなくできるだけ多くのサービス型についてサービス機能が提供され、それによりネットワーク資源利用率を改善する。
【００１０】
ある実施形態について、アクセス制御情報は、アクセス禁止クラスを含み；前記サービス型および前記データ送信属性に基づいて、RRC接続要求を前記アクセス・ネットワーク装置に送るかどうかを決定する前記段階は：現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスに等しいかどうかを検出し、前記端末装置のアクセス・クラスが前記アクセス禁止クラスに等しくなければ、前記RRC接続要求を前記アクセス・ネットワーク装置に送ることを決定する；または現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスより大きいかどうかを検出し、前記端末装置のアクセス・クラスが前記アクセス禁止クラスより小さい場合、前記RRC接続要求を前記アクセス・ネットワーク装置に送ることを決定する；または現在のサービスのサービス型が前記禁止されるサービス型に合い、前記現在のサービスに対応するデータ送信属性が前記禁止されるデータ送信属性に合うときに、前記端末装置のアクセス・クラスが前記アクセス禁止クラスより小さいかどうかを検出し、前記端末装置のアクセス・クラスが前記アクセス禁止クラスより大きい場合、前記RRC接続要求を前記アクセス・ネットワーク装置に送ることを決定する、ことを含む。
【００１１】
ある実施形態について、前記アクセス・ネットワーク装置は前記アクセス禁止クラスを前記端末装置に送る。前記端末装置は、前記端末装置のアクセス・クラスおよび前記アクセス禁止クラスに基づいて、前記RRC接続要求を送るかどうかを決定する。前記端末装置は、前記端末装置のアクセス・クラスが前記アクセス禁止クラスに等しくないまたは前記アクセス禁止クラスより大きくないまたは前記アクセス禁止クラスより小さくないときにのみ、接続およびサービス送信のために前記RRC接続要求を前記アクセス・ネットワーク装置に送る。これは、以下の効果を達成する：MMEの負荷を著しく増すことなく、サービス送信要求に基づいて、ある型の端末装置についてサービスが優先的に提供される。
【００１２】
ある実施形態について、前記サービス型および前記データ送信属性に基づいて、RRC接続要求を前記アクセス・ネットワーク装置に送るかどうかを決定する前記段階は：現在のサービスのサービス型が前記許可されるサービス型に合い、前記現在のサービスに対応するデータ送信属性が前記許可されるデータ送信属性に合うときに、前記RRC接続要求を前記アクセス・ネットワーク装置に送ることを含む。
【００１３】
ある実施形態について、前記アクセス制御情報はサービス型フィールドおよびデータ送信属性フィールドを含み、前記アクセス制御情報はデフォルト・アクション型をもつ；または前記アクセス制御情報はアクション型フィールド、サービス型フィールドおよびデータ送信属性フィールドを含む。
【００１４】
ある実施形態について、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、ワイドバンド進化型万国移動通信システム（Universal  Mobile  Telecommunication  System、UMTS）地上無線アクセス・ネットワーク（Wide  Band  Evolved  UMTS  Terrestrial  Radio  Access  Network、WB-E-UTRAN）およびセルラー・ベースのナローバンド・モノのインターネット（Narrowband  Internet  of  Things、NB-IoT）の少なくとも一方を含む。
【００１５】
ある実施形態によれば、無線アクセス制御方法が提供され、本方法は：移動性管理エンティティー（Mobility  Management  Entity、MME）によって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示す、段階と；前記過負荷開始メッセージに基づいて、前記アクセス・ネットワーク装置によって、アクセス制御情報を生成する段階であって、前記アクセス制御情報は、前記禁止されるサービス型および前記禁止されるデータ送信属性および／または前記許可されるサービス型および前記許可されるデータ送信属性を端末装置に対して示す、段階と；前記アクセス・ネットワーク装置によって、前記アクセス制御情報を前記端末装置に送る段階とを含み、前記データ送信属性は送信方式型および／またはRAT型を含み、前記送信方式型は、サービス・データを送信するために前記端末装置によって使われる送信方式を示し、前記RAT型は前記端末装置によって使われる無線アクセス技術を示す。
【００１６】
前記実施形態において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【００１７】
ある実施形態について、アクセス制御情報はアクセス制御因子およびアクセス制御時間期間を含む。
【００１８】
ある実施形態について、アクセス制御情報はアクセス禁止クラスを含む。
【００１９】
ある実施形態について、前記過負荷開始メッセージはサービス型フィールドおよびデータ送信属性フィールドを含み、前記過負荷開始メッセージはデフォルト・アクション型をもつ；または前記過負荷開始メッセージはアクション型フィールド、サービス型フィールドおよびデータ送信属性フィールドを含む。
【００２０】
ある実施形態について、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００２１】
ある実施形態によれば、無線アクセス制御方法が提供され、本方法は：端末装置によって、RRC接続要求メッセージをアクセス・ネットワーク装置に送る段階であって、前記RRC接続要求は対応するサービス型および対応するデータ送信属性をもつ、段階と；前記アクセス・ネットワーク装置によって送られたRRC接続セットアップ・メッセージまたはRRC接続拒否メッセージを前記端末装置によって受信する段階であって、前記RRC接続セットアップ・メッセージまたは前記RRC接続拒否メッセージは、前記RRC接続要求に対応する前記サービス型および前記データ送信属性が禁止されるサービス型および禁止されるデータ送信属性および／または許可されるサービス型および許可されるデータ送信属性に属するかどうかに基づいて前記アクセス・ネットワーク装置によって送られたものであり、前記データ送信属性は送信方式型および／またはRAT型を含み、前記送信方式型は、サービス・データを送信するために前記端末装置によって使われる送信方式を示し、前記RAT型は前記端末装置によって使われる無線アクセス技術を示す、段階とを含む。
【００２２】
前記実施形態において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【００２３】
ある実施形態について、前記RRC接続要求メッセージはサービス型フィールドおよびデータ送信属性フィールドを含む。
【００２４】
ある実施形態について、前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００２５】
ある実施形態について、本方法はさらに、前記RRC接続要求に対応する前記データ送信属性を、前記端末装置によって前記アクセス・ネットワーク装置に送ることを含み、前記RRC接続要求メッセージはサービス型フィールドを含む。
【００２６】
ある実施形態によれば、無線アクセス制御方法が提供され、本方法は：MMEによって送られた過負荷開始メッセージをアクセス・ネットワーク装置によって受信する段階であって、前記過負荷開始メッセージは、禁止されるサービス型および禁止されるデータ送信属性および／または許可されるサービス型および許可されるデータ送信属性を前記アクセス・ネットワーク装置に対して示す、段階と；端末装置によって送られたRRC接続要求メッセージを前記アクセス・ネットワーク装置によって受信する段階であって、前記RRC接続要求は対応するサービス型および対応するデータ送信属性をもつ、段階と；前記アクセス・ネットワーク装置によって、RRC接続セットアップ・メッセージまたはRRC接続拒否メッセージを、前記RRC接続要求に対応する前記サービス型および前記データ送信属性が禁止されるサービス型および禁止されるデータ送信属性および／または許可されるサービス型および許可されるデータ送信属性に属するかどうかに基づいて、前記端末装置に送る段階であって、前記データ送信属性は送信方式型および／またはRAT型を含み、前記送信方式型は、サービス・データを送信するために前記端末装置によって使われる送信方式を示し、前記RAT型は前記端末装置によって使われる無線アクセス技術を示す、段階とを含む。
【００２７】
前記実施形態において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【００２８】
ある実施形態について、前記RRC接続要求メッセージはサービス型フィールドおよびデータ送信属性フィールドを含む。
【００２９】
ある実施形態について、前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００３０】
ある実施形態について、本方法はさらに、前記RRC接続要求に対応する、前記端末装置によって送られた前記データ送信属性を、前記アクセス・ネットワーク装置によって受信することを含む。前記RRC接続要求メッセージはサービス型フィールドを含む。
【００３１】
ある実施形態について、前記アクセス・ネットワーク装置によって、RRC接続セットアップ・メッセージまたはRRC接続拒否メッセージを、前記RRC接続要求に対応する前記サービス型および前記データ送信属性が禁止されるサービス型および禁止されるデータ送信属性および／または許可されるサービス型および許可されるデータ送信属性に属するかどうかに基づいて、前記端末装置に送る前記段階は、前記RRC接続要求に対応する前記サービス型および前記データ送信属性が許可されるサービス型および許可されるデータ送信属性であるときに、前記RRC接続セットアップ・メッセージを前記端末装置に送ること；または前記RRC接続要求に対応する前記サービス型および前記データ送信属性が禁止されるサービス型および禁止されるデータ送信属性であるときに、前記RRC接続拒否メッセージを前記端末装置に送ることを含む。
【００３２】
ある実施形態によれば、無線アクセス制御方法が提供され、本方法は：負荷が事前設定された条件より大きいときに、MMEによって過負荷開始メッセージをアクセス・ネットワーク装置に送る段階であって、前記過負荷開始メッセージは、禁止されるサービス型および禁止されるデータ送信属性および／または許可されるサービス型および許可されるデータ送信属性を前記アクセス・ネットワーク装置に対して示す、段階を含み、前記データ送信属性は送信方式型および／またはRAT型を含み、前記送信方式型は、サービス・データを送信するために端末装置によって使われる送信方式を示し、前記RAT型は前記端末装置によって使われる無線アクセス技術を示す。
【００３３】
前記において、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可するしてもよく、MMEの負荷を著しく増すことなくできるだけ多くのサービス型についてサービス機能が提供され、それによりネットワーク資源利用率を改善する。
【００３４】
ある実施形態について、前記過負荷開始メッセージはサービス型フィールドおよびデータ送信属性フィールドを含み、前記過負荷開始メッセージはデフォルト・アクション型をもつ；または前記過負荷開始メッセージはアクション型フィールド、サービス型フィールドおよびデータ送信属性フィールドを含む。
【００３５】
ある実施形態について、前記アクション型フィールドはアクセス禁止およびアクセス許可の少なくとも一方を含み；前記サービス型フィールドは緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含み；前記データ送信属性が前記送信方式型であるとき、前記データ送信属性フィールドはユーザー・プレーン方式および制御プレーン方式の少なくとも一方を含む；または前記データ送信属性が前記RAT型であるとき、前記データ送信属性フィールドは、WB-E-UTRANおよびNB-IoTの少なくとも一方を含む。
【００３６】
ある実施形態によれば、端末装置が提供される。端末装置は、前記第一の側面および／または前記第三の側面に基づく無線アクセス制御方法における端末装置の挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００３７】
ある実施形態について、端末装置の構造はプロセッサ、送信機および受信機を含む。プロセッサは、上記の方法における対応する機能を実行することにおいて前記端末装置をサポートするよう構成される。送信機および受信機は：前記端末装置とアクセス・ネットワーク装置との間の通信をサポートし、上記の方法における情報または命令を前記アクセス・ネットワーク装置に送り、前記アクセス・ネットワーク装置によって送られる上記の方法における情報または命令を受信するよう構成される。前記端末装置はさらにメモリを含んでいてもよい。前記メモリは、プロセッサに結合され、前記端末装置の必要なプログラム命令および必要なデータを記憶するよう構成される。
【００３８】
ある実施形態によれば、アクセス・ネットワーク装置が提供される。アクセス・ネットワーク装置は、前記第二の側面および／または前記第四の側面に基づく無線アクセス制御方法においてアクセス・ネットワーク装置の挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００３９】
ある実施形態について、アクセス・ネットワーク装置の構造はプロセッサ、送信機および受信機を含む。プロセッサは、上記の方法における対応する機能を実行することにおいて前記アクセス・ネットワーク装置をサポートするよう構成される。送信機および受信機は：前記アクセス・ネットワーク装置と端末装置および／またはMMEとの間の通信をサポートし、上記の方法における情報または命令を前記端末装置および／またはMMEに送り、前記端末装置および／またはMMEによって送られる上記の方法における情報または命令を受信するよう構成される。前記アクセス・ネットワーク装置はさらにメモリを含んでいてもよい。前記メモリは、プロセッサに結合され、前記アクセス・ネットワーク装置の必要なプログラム命令および必要なデータを記憶するよう構成される。
【００４０】
ある実施形態によれば、MMEが提供される。MMEは、前記第三の側面に基づく無線アクセス制御方法においてMMEの挙動を実装する機能をもつ。該機能は、ハードウェアによって実装されてもよく、あるいは対応するソフトウェアを実行するハードウェアによって実装されてもよい。前記ハードウェアまたは前記ソフトウェアは、前記機能に対応する一つまたは複数のモジュールを含む。
【００４１】
ある実施形態について、MMEの構造はプロセッサ、送信機および受信機を含む。プロセッサは、上記の方法における対応する機能を実行することにおいて前記MMEをサポートするよう構成される。送信機および受信機は：前記MMEとアクセス・ネットワーク装置との間の通信をサポートし、上記の方法における情報または命令を前記アクセス・ネットワーク装置に送り、前記アクセス・ネットワーク装置によって送られる上記の方法における情報または命令を受信するよう構成される。前記MMEはさらにメモリを含んでいてもよい。前記メモリは、プロセッサに結合され、前記MMEの必要なプログラム命令および必要なデータを記憶するよう構成される。
【００４２】
ある実施形態によれば、無線アクセス制御システムが提供される。無線アクセス制御システムは、第六の側面に基づく端末装置と、第七の側面に基づくアクセス・ネットワーク装置と、第八の側面に基づくMMEとを含む。
【図面の簡単な説明】
【００４３】
本発明の実施形態における技術的解決策をより明瞭に記述するために、下記は実施形態を記述するために要求される付属の図面を簡単に説明する。明らかに、下記における付属の図面は単に本発明のいくつかの実施形態を示すものであり、当業者は、創造的な努力なしにこれらの付属の図面から他の図面を導き出してもよい。
【００４４】
【図１】本発明のある例示的実施形態に基づく無線アクセス制御システムの概略的な構造図である。
【００４５】
【図２】本発明のある例示的実施形態に基づくサービス送信の概略図である。
【００４６】
【図３】本発明のある例示的実施形態に基づくサービス送信の概略図である。
【００４７】
【図４】本発明のある例示的実施形態に基づく無線アクセス制御方法のフローチャートである。
【００４８】
【図５】図５Ａおよび図５Ｂは本発明のある例示的実施形態に基づく無線アクセス制御方法のフローチャートである。
【００４９】
【図６】図６Ａおよび図６Ｂは本発明のもう一つの例示的実施形態に基づく無線アクセス制御方法のフローチャートである。
【００５０】
【図７】本発明のもう一つの例示的実施形態に基づく無線アクセス制御方法のフローチャートである。
【００５１】
【図８】図８Ａおよび図８Ｂは本発明のもう一つの例示的実施形態に基づく無線アクセス制御方法のフローチャートである。
【００５２】
【図９】本発明のもう一つの例示的実施形態に基づく無線アクセス制御方法のフローチャートである。
【００５３】
【図１０】図１０Ａおよび図１０Ｂは本発明のもう一つの例示的実施形態に基づく無線アクセス制御方法のフローチャートである。
【００５４】
【図１１】本発明のもう一つの例示的実施形態に基づく無線アクセス制御方法のフローチャートである。
【００５５】
【図１２Ａ】本発明のもう一つの例示的実施形態に基づく無線アクセス制御方法のフローチャートである。
【００５６】
【図１２Ｂ】本発明のもう一つの例示的実施形態に基づく無線アクセス制御方法のフローチャートである。
【００５７】
【図１３Ａ】本発明のある例示的実施形態に基づく無線アクセス制御装置のブロック図である。
【００５８】
【図１３Ｂ】本発明のある例示的実施形態に基づく無線アクセス制御装置のブロック図である。
【００５９】
【図１４】本発明のもう一つの例示的実施形態に基づく無線アクセス制御装置のブロック図である。
【００６０】
【図１５】本発明のもう一つの例示的実施形態に基づく無線アクセス制御装置のブロック図である。
【発明を実施するための形態】
【００６１】
本発明の目的、技術的解決策および利点を一層明確にするために、下記は、付属の図面を参照して、さらに本発明の実施形態を詳細に記述する。
【００６２】
本明細書において言及される「モジュール」は、メモリに記憶されているプログラムまたは命令であり、いくつかの機能を実装してもよい。本明細書において言及される「ユニット」は、論理に基づいて分割された機能的な構造である。「ユニット」はハードウェアのみによって実装されても、あるいはソフトウェアとハードウェアの組み合わせによって実装されてもよい。
【００６３】
本明細書において、「複数の」は二つ以上を意味する。用語「および／または」は、関連する対象を記述するための関連関係を記述し、三つの関係が存在しうることを表わす。たとえば、Aおよび／またはBは、Aのみが存在する、AとBの両方が存在する、Bのみが存在するという三つの場合を表わしうる。記号「／」は通例、関連する対象の間の「または」の関係を示す。
【００６４】
図１を参照するに、図１は、本発明のある例示的実施形態に基づく無線アクセス制御システムの概略的な構造図である。無線アクセス制御システムは、端末装置１２０と、アクセス・ネットワーク装置１４０と、MME １６０と、SGW １８０とを含んでいる。
【００６５】
端末装置１２０は、第一の型の端末装置または第二の型の端末装置でありうる。第一の型の端末装置は、スマートフォン、タブレット・コンピュータ、電子書籍リーダーおよびポータブル・コンピュータのような無線通信機能をもつ電子装置である。第二の型の端末装置は無線通信機能をもつスマート機器またはスマートメーターであってもよい。
【００６６】
端末装置１２０は、アクセス・ネットワーク装置１４０によって提供されるモバイル通信ネットワークにアクセスするためにRATを使ってもよい。RAT型は、WB-E-UTRAN、セルラー・ベースのNB-IoTおよび第五世代モバイル通信技術（5G）を含むがそれに限定されない。
【００６７】
端末装置１２０が第一の型の端末装置であるときは、端末装置１２０によって使われるRAT型はWB-E-UTRANであってもよい。WB-E-UTRANの利用可能な周波数帯域は、より広い。
【００６８】
端末装置１２０が第二の型の端末装置であるときは、端末装置１２０によって使われるRAT型はNB-IoTであってもよい。NB-IoTの利用可能な周波数帯域は、より狭い。
【００６９】
アクセス・ネットワーク装置１４０は、端末装置１２０と相互作用するネットワーク要素であり、アクセス・ネットワーク装置１３０は基地局であってもよい。
【００７０】
任意的に、アクセス・ネットワーク装置１４０は、グローバル移動通信システム（Global  System  for  Mobile  Communications、GSM）または符号分割多重アクセス（Code  Division  Multiple  Access、CDMA）における基地局（BTS、base  station）である。
【００７１】
任意的に、アクセス・ネットワーク装置１４０は、UMTSにおける基地局（NodeB）である。
【００７２】
任意的に、アクセス・ネットワーク装置１４０は、ロングタームエボリューション（Long  Term  Evolution、LTE）における進化型ノードB（evolutional  NodeB、eNBまたはe-NodeB）である。
【００７３】
任意的に、アクセス・ネットワーク装置１４０は、ワイヤレス・フィデリティー（Wireless-Fidelity、WI-FI）におけるアクセス・ポイント（access  point、AP）である。
【００７４】
MME  １６０は、無線アクセス制御システムにおけるCPに対応するネットワーク要素である。SGW  １８０は無線アクセス制御システムにおけるUPに対応するネットワーク要素である。アクセス・ネットワーク装置１４０は、無線ネットワークまたは有線ネットワークを使ってMME  １６０およびSGW  １８０に別個に接続される。MME  １６０は、無線ネットワークまたは有線ネットワークを使ってSGW  １８０に接続される。
【００７５】
無線アクセス制御システムは複数の端末装置１２０および複数のアクセス・ネットワーク装置１４０を含んでいてもよいことを注意しておくべきである。一つのアクセス・ネットワーク装置１４０が複数の端末装置１２０と通信してもよく、該アクセス・ネットワーク装置１４０と通信する前記複数の端末装置１２０は第一の型の端末装置または第二の型の端末装置でありうる。図１においては、ただ一つの端末装置１２０および一つのアクセス・ネットワーク装置１４０が例示的記述のために示されている。
【００７６】
端末装置１２０が第一の型の端末装置であり、端末装置１２０によって送信されるサービスが緊急サービス（emergency）、高優先度サービス（highPriorityAccess）、モバイル終端サービス（mt-Access）、モバイル起点信号伝達サービス（mo-Signaling）、モバイル起点データ・サービス（mo-Data）、遅延認容サービス（delayTolerantAccess）、モバイル起点音声サービス（mo-VoiceCall）のうちの少なくとも一つであるとき、端末装置１２０はWB-E-UTRANを使って無線資源制御（radio  resource  control、RRC）接続要求をアクセス・ネットワーク装置１４０に送って、アクセス・ネットワーク装置１４０とのRRC接続を確立することを要求する。アクセス・ネットワーク装置１４０とのRRC接続を確立した後、端末装置１２０は、アクセス・ネットワーク装置１４０を使ってMME  １６０との通信を確立し、それにより端末装置１２０はモバイル通信ネットワークにアクセスする。
【００７７】
アクセス・ネットワーク装置１４０とRRC接続を確立した後、端末装置１２０はWB-E-UTRANを使って前記サービスを送信する。前記サービスを送信するために端末装置１２０によって使われる送信方式は、ユーザー・プレーン方式である：第一の型の端末装置はRRC接続におけるデータ無線ベアラー（data  radio  bearer、DRB）を使って前記サービスのサービス・データをアクセス・ネットワーク装置１４０に送り、次いで、アクセス・ネットワーク装置１４０は前記サービスのサービス・データをSGW  １８０に送ってサービス送信を実装する。端末装置１２０が第一の型の端末装置であるとき、端末装置１２０が前記サービスを送信する概略的な送信図が図２に示されている。
【００７８】
端末装置１２０が第二の型の端末装置であり、端末装置１２０によって送信されるサービスがモバイル終端サービス、モバイル起点信号伝達サービス、モバイル起点データ・サービスおよびモバイル起点例外サービス（mo-ExceptionData）のうちの少なくとも一つであるとき、端末装置１２０はNB-IoTを使ってRRC接続要求をアクセス・ネットワーク装置１４０に送って、アクセス・ネットワーク装置１４０とのRRC接続を確立することを要求する。アクセス・ネットワーク装置１４０とのRRC接続を確立した後、端末装置１２０はアクセス・ネットワーク装置１４０を使ってMME  １６０との通信を確立し、それにより端末装置１２０はモバイル通信ネットワークにアクセスする。
【００７９】
アクセス・ネットワーク装置１４０とのRRC接続を確立した後、端末装置１２０は前記サービスを送信するためにNB-IoTを使う。前記サービスを送信するために端末装置１２０によって使われる送信方式は、ユーザー・プレーン方式または制御プレーン方式である。端末装置１２０が前記サービスを送信するためにユーザー・プレーン方式を使うとき、端末装置１２０はDRBを使って前記サービスのサービス・データをアクセス・ネットワーク装置１４０に送り、次いで、アクセス・ネットワーク装置１４０が前記サービスのサービス・データをSGW  １８０に送ってサービス送信を実装する。端末装置１２０が前記サービスを送信するために制御プレーン方式を使うときは、端末装置１２０は信号伝達無線ベアラー（signaling  radio  bearer、SRB）を使って前記サービスのサービス・データをアクセス・ネットワーク装置１４０に送り、次いで、アクセス・ネットワーク装置１４０が前記サービスのサービス・データをMME  １６０に送ってサービス送信を実装する。端末装置１２０が第二の型の端末装置であるとき、端末装置１２０が前記サービスを送信する概略的な送信図は図３に示されている。
【００８０】
図４を参照するに、図４は、本発明のある例示的な実施形態に基づく無線アクセス制御方法のフローチャートである。この実施形態は、本方法が図１に示される無線アクセス制御システムに適用される例を使って記述される。本方法は以下のステップを含む。
【００８１】
ステップ４０１：負荷が事前設定された条件より大きいときに、MMEが過負荷開始（overload  start）メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示す。
【００８２】
前記データ送信属性は送信方式型および／またはRAT型を含む。前記送信方式型は、サービス・データを送信するために端末装置によって使われる送信方式を示す。前記RAT型は前記端末装置によって使われる無線アクセス技術を示す。
【００８３】
ステップ４０２：アクセス・ネットワーク装置が、MMEによって送られた過負荷開始メッセージを受信する。
【００８４】
ステップ４０３：アクセス・ネットワーク装置が、前記過負荷開始メッセージに基づいてアクセス制御情報を生成する。前記アクセス制御情報は、禁止されるサービス型および禁止されるデータ送信属性および／または許可されるサービス型および許可されるデータ送信属性を前記端末装置に対して示す。
【００８５】
ステップ４０４：アクセス・ネットワーク装置が前記アクセス制御情報を端末装置に送る。
【００８６】
ステップ４０５：端末装置がアクセス・ネットワーク装置によって送られた前記アクセス制御情報を受信する。
【００８７】
ステップ４０６：端末装置が、前記サービス型および前記データ送信属性に基づいて、RRC接続要求を前記アクセス・ネットワーク装置に送るかどうかを決定する。
【００８８】
ステップ４０１は、MME側での無線アクセス制御方法として独立に実装されてもよい。ステップ４０２、ステップ４０３、およびステップ４０４はアクセス・ネットワーク装置側での無線アクセス制御方法として独立に実装されてもよい。ステップ４０５およびステップ４０６は、端末装置側での無線アクセス制御方法として独立に実装されてもよい。
【００８９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【００９０】
図５Ａおよび図５Ｂを参照するに、図５Ａおよび図５Ｂは本発明のもう一つの例示的実施形態に基づく無線アクセス制御方法のフローチャートである。この実施形態は、本方法が図１に示される無線アクセス制御システムに適用される例を使って記述される。本方法は以下のステップを含む。
【００９１】
ステップ５０１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示す。
【００９２】
前記データ送信属性は送信方式型および／またはRAT型を含む。前記送信方式型は、サービス・データを送信するために端末装置によって使われる送信方式を示す。前記RAT型は前記端末装置によって使われる無線アクセス技術を示す。
【００９３】
ステップ５０２：アクセス・ネットワーク装置が、MMEによって送られた過負荷開始メッセージを受信する。
【００９４】
ステップ５０３：端末装置が、RRC接続要求メッセージをアクセス・ネットワーク装置に送る。前記RRC接続要求は対応するサービス型および対応するデータ送信属性をもつ。
【００９５】
ステップ５０４：アクセス・ネットワーク装置が、端末装置によって送られたRRC接続要求メッセージを受信する。
【００９６】
ステップ５０５：アクセス・ネットワーク装置が、前記RRC接続要求に対応する前記サービス型および前記データ送信属性が、禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送る。
【００９７】
ステップ５０６：端末装置が、前記アクセス・ネットワーク装置によって送られたRRC接続セットアップ・メッセージまたはRRC接続拒否メッセージを受信する。
【００９８】
ステップ５０１は、MME側での無線アクセス制御方法として独立に実装されてもよい。ステップ５０２、ステップ５０４、およびステップ５０５はアクセス・ネットワーク装置側での無線アクセス制御方法として独立に実装されてもよい。ステップ５０３およびステップ５０６は、端末装置側での無線アクセス制御方法として独立に実装されてもよい。
【００９９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０１００】
データ送信属性は送信方式型および／またはRAT型を含む。下記の実施形態は、データ送信属性が送信方式型である例を使って記述される。この場合、データ送信属性フィールドは送信方式型フィールドである。
【０１０１】
図６Ａおよび図６Ｂを参照するに、図６Ａおよび図６Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０１０２】
ステップ６０１：負荷が事前設定された条件より大きいときに、MMEが過負荷開始メッセージをアクセス・ネットワーク装置に送る。前記過負荷開始メッセージは、禁止されるサービス型および禁止される送信方式型および／または許可されるサービス型および許可される送信方式型を前記アクセス・ネットワーク装置に対して示す。
【０１０３】
MMEが過負荷開始メッセージをアクセス・ネットワーク装置に送って、禁止されるサービス型および禁止される送信方式型および／または許可されるサービス型および許可される送信方式型を示すために、二つの異なる実装が利用可能である。過負荷開始メッセージは異なる実装において異なる内容を含む。
【０１０４】
第一の可能な実装では、過負荷開始メッセージはサービス型フィールドおよび送信方式型フィールドを含む。前記過負荷開始メッセージはデフォルト・アクション型をもつ。アクション型はアクセス禁止またはアクセス許可である。任意的に、過負荷開始メッセージのデフォルト・アクション型は事前設定される。
【０１０５】
たとえば、過負荷開始メッセージのデフォルト・アクション型がアクセス禁止であり、過負荷開始メッセージにおいて担持される情報が（mo-Data,CP）であり、ここで、mo-Dataは前記サービス型フィールドであり、CPが前記送信方式型フィールドである。該過負荷開始メッセージは、CP方式を使って送信されるmo-Dataサービスが禁止されることを示す。
【０１０６】
第二の可能な実装では、過負荷開始メッセージはアクション型フィールド、サービス型フィールドおよび送信方式型フィールドを含む。前記アクション型フィールドは過負荷開始メッセージのアクション型を示し、前記アクション型フィールドはアクセス禁止およびアクセス許可の少なくとも一方を含む。
【０１０７】
たとえば、過負荷開始メッセージにおいて担持される情報は（許可,mo-Data,UP）であり、ここで、許可は前記アクション型フィールドであり、mo-Dataは前記サービス型フィールドであり、UPが前記送信方式型フィールドである。過負荷開始メッセージは、UP方式を使って送信されるmo-Dataサービスが許可されることを示す。
【０１０８】
過負荷開始メッセージの形式および内容はこの実施形態において限定されない。
【０１０９】
上記二つの可能な実装において、サービス型フィールドはサービス型を示し、サービス型フィールドは、緊急サービス、高優先度サービス、モバイル終端サービス、モバイル起点信号伝達サービス、モバイル起点データ・サービス、遅延認容サービス、モバイル起点音声サービスおよびモバイル起点例外サービスの少なくとも一つを含む。
【０１１０】
送信方式型フィールドは、サービスのために使われる送信方式を示し、送信方式型フィールドはユーザー・プレーン方式および制御プレーン方式の少なくとも一方を含む。
【０１１１】
任意的に、負荷が事前設定された条件より大きいというときの前記「事前設定された条件」は、当該システムにおける事前設定された値または操作および保守人員によって定義される条件であり、これはこの実施形態において限定されない。
【０１１２】
任意的に、MMEが複数のアクション型および／またはサービス型および／または送信方式型をアクセス・ネットワーク装置に対して示す必要があるとき、MMEは、アクセス・ネットワーク装置に送られる一つの過負荷開始メッセージにおいて中央集中した指示を行なっても、あるいはアクセス・ネットワーク装置に送られる複数の過負荷開始メッセージにおいて別個の指示を行なってもよい。これはこの実施形態において限定されない。
【０１１３】
たとえば、MMEがアクセス・ネットワーク装置に対して、CP方式を使って送信されるmo-Dataサービスは禁止され、CP方式を使って送信されるmo-ExceptionDataサービスは禁止されることを示す必要がある場合、MMEは、同じ過負荷開始メッセージにおいて集中した指示を行なってもよく、たとえば((mo-Data,CP),(mo-ExceptionData,CP))であり、過負荷開始メッセージのデフォルト・アクションはアクセス禁止である。あるいはまた、MMEは複数の過負荷開始メッセージにおいて別個の指示を行なってもよい。一方の過負荷開始メッセージは(barred,mo-Data,CP)であり、他方の過負荷開始メッセージは(barred,mo-ExceptionData,CP)である。
【０１１４】
ステップ６０２：アクセス・ネットワーク装置がMMEによって送られた過負荷開始メッセージを受信する。
【０１１５】
過負荷開始メッセージがサービス型フィールドおよび送信方式型フィールドを含み、過負荷開始メッセージがデフォルト・アクション型をもつとき、アクセス・ネットワーク装置は過負荷開始メッセージのデフォルト・アクション型を判別し、サービス型フィールドをパースすることによってサービス型を取得し、送信方式型フィールドをパースすることによって送信方式型を取得する。
【０１１６】
過負荷開始メッセージがアクション型フィールド、サービス型フィールドおよび送信方式型フィールドを含むとき、アクセス・ネットワーク装置はアクション型フィールドをパースすることによってアクション型を取得し、サービス型フィールドをパースすることによってサービス型を取得し、送信方式型フィールドをパースすることによって送信方式型を取得する。
【０１１７】
ステップ６０３：アクセス・ネットワーク装置は、過負荷開始メッセージに基づいてアクセス制御情報を生成する。アクセス制御情報は、禁止されるサービス型および禁止されるデータ送信属性および／または許可されるサービス型および許可される送信方式型を端末装置に対して示す。
【０１１８】
アクセス制御情報によって示されるアクション型は、アクセス・ネットワーク装置によって判別される、過負荷開始メッセージのアクション型と同じである。
【０１１９】
アクセス制御情報によって示されるサービス型は、過負荷開始メッセージ内のサービス型フィールドをパースすることによってアクセス・ネットワーク装置によって取得されるサービス型と同じである。アクセス制御情報によって示される送信方式型は、過負荷開始メッセージ内のデータ送信属性フィールドをパースすることによってアクセス・ネットワーク装置によって取得される送信方式型と同じである。
【０１２０】
アクセス・ネットワーク装置が生成されたアクセス制御情報を使って、禁止されるサービス型および禁止される送信方式型および／または許可されるサービス型および許可される送信方式型を端末装置に対して示すために、二つの異なる実装が利用可能である。アクセス制御情報は異なる実装において異なる内容を含む。
【０１２１】
第一の可能な実装では、アクセス制御情報はサービス型フィールドおよびデータ送信属性フィールドを含む。アクセス制御情報はデフォルト・アクション型をもつ。アクション型はアクセス禁止およびアクセス許可の少なくとも一方である。
【０１２２】
第二の可能な実装では、アクセス制御情報はアクション型フィールド、サービス型フィールドおよびデータ送信属性フィールドを含む。前記アクション型フィールドはアクセス制御情報のアクション型を示し、前記アクション型フィールドはアクセス禁止およびアクセス許可の少なくとも一方を含む。
【０１２３】
このステップにおいて使われる実装はこの実施形態において限定されない。
【０１２４】
アクセス制御情報の形式は、過負荷開始メッセージの形と同じであってもよい。この実施形態において詳細を再び記述することはしない。
【０１２５】
ステップ６０４：アクセス・ネットワーク装置が、アクセス制御情報を端末装置に送る。
【０１２６】
任意的に、アクセス・ネットワーク装置は、専用の信号伝達を使って、アクセス制御情報を端末装置に送る、またはアクセス・ネットワーク装置のカバー範囲内におけるブロードキャスト・メッセージの形でアクセス制御情報を送る。
【０１２７】
アクセス・ネットワーク装置が複数のアクション型および／またはサービス型および／または送信方式型を端末装置に対して示す必要があるとき、アクセス・ネットワーク装置は、端末装置に送られる一片のアクセス制御情報において中央集中した指示を行なっても、あるいは端末装置に送られる複数片のアクセス制御情報において別個の指示を行なってもよい。これはこの実施形態において限定されない。
【０１２８】
ステップ６０５：端末装置が、アクセス・ネットワーク装置によって送られたアクセス制御情報を受信する。
【０１２９】
アクセス制御情報がサービス型フィールドおよびデータ送信属性フィールドを含み、アクセス制御情報がデフォルト・アクション型をもつとき、端末装置はアクセス制御情報のデフォルト・アクション型を判別し、サービス型フィールドをパースすることによってサービス型を取得し、データ送信属性フィールドをパースすることによって送信方式型を取得する。
【０１３０】
アクセス制御情報がアクション型フィールド、サービス型フィールドおよびデータ送信属性フィールドを含むとき、端末装置はアクション型フィールドをパースすることによってアクション型を取得し、サービス型フィールドをパースすることによってサービス型を取得し、データ送信属性フィールドをパースすることによって送信方式型を取得する。
【０１３１】
アクション型は、アクセス禁止およびアクセス許可の少なくとも一つである。アクション型がアクセス許可である場合、本方法は次のステップ６０６を含む。
【０１３２】
ステップ６０６：現在のサービスのサービス型が前記許可されるサービス型に合い、前記現在のサービスに対応する送信方式型が前記許可される送信方式型に合うときに、端末装置はRRC接続要求をアクセス・ネットワーク装置に送る。
【０１３３】
前記現在のサービスに対応する送信方式型は、前記現在のサービスを送信するために端末装置によって使われる送信方式型である。
【０１３４】
アクセス制御情報におけるサービス型フィールドをパースすることによって端末装置によって取得されたサービス型は許可されるサービスである。データ送信属性フィールドをパースすることによって取得された送信方式型は許可される送信方式型である。
【０１３５】
たとえば、端末装置によって受信されるアクセス制御情報が（mo-Data,UP）であり、アクセス制御情報のデフォルト・アクション型がアクセス許可である場合、端末装置は、アクセス制御情報をパースすることによって、アクセス制御情報が、許可されるサービスがUP方式を使って送信されるmo-Dataサービスであることを示すことを判別する。端末装置によって現在送信されるべきサービスがUP方式を使って送信されるmo-Dataサービスであるときは、端末装置はRRC接続要求をアクセス・ネットワーク装置に送る。端末装置によって現在送信されるべきサービスがCP方式を使って送信されるmo-Dataサービスであるときは、端末装置はRRC接続要求をアクセス・ネットワーク装置に送らない。
【０１３６】
アクション型がアクセス禁止であるときは、二つの異なる実装が利用可能である。
【０１３７】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。
【０１３８】
アクセス制御因子は、端末装置によって生成される乱数と比較されるために使われる閾値である。アクセス制御時間期間は端末装置によって生成された乱数がアクセス制御因子以上であるときに、タイマーのための時間期間を設定するために使われる。
【０１３９】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０１４０】
この実施形態において、記述のための例として第一の実装が使われる場合、本方法はさらに以下のステップ６０７ないしステップ６１０を含む。
【０１４１】
ステップ６０７：現在のサービスのサービス型が前記禁止されるサービス型に合い、前記現在のサービスに対応する送信方式型が前記禁止される送信方式型に合うときに乱数を生成する。
【０１４２】
端末装置は、あらかじめ決定されたアルゴリズムに従って、(0,1)内にはいる乱数を生成する。
【０１４３】
ステップ６０８：端末装置が、前記乱数がアクセス制御因子より小さいかどうかを判定する。
【０１４４】
任意的に、アクセス制御因子は0.5に等しい。
【０１４５】
ステップ６０９：前記乱数が前記アクセス制御因子より小さいときは、端末装置は、RRC接続要求を前記アクセス・ネットワーク装置に送ることを決定する。
【０１４６】
ステップ６１０：前記乱数が前記アクセス制御因子以上であるときは、アクセス制御時間期間に基づいてタイマーを設定して、該タイマーが満了するときに、乱数を生成する前記ステップを再実行する。
【０１４７】
任意的に、アクセス制御時間期間は10秒である。
【０１４８】
任意的に、タイマーの計時継続時間＝(0.7＋0.6×rand)×アクセス制御時間期間であり、randは端末装置によって生成される、0から1までの間に均等に分布する乱数である。タイマーが満了すると、ステップ６０７が再実行される。ステップ６０９およびステップ６１０は代替的に、次のように実装されてもよいことを注意しておくべきである。乱数がアクセス制御因子以上であるときは、端末はRRC接続要求をアクセス・ネットワーク装置に送ることを決定し；乱数がアクセス制御因子未満であるときは、アクセス制御時間期間に基づいてタイマーを設定して、該タイマーが満了するときに、乱数を生成する前記ステップを再実行する。これはこの実施形態において限定されない。
【０１４９】
一例では、端末装置によって受信されるアクセス制御情報は（禁止,mo-Data,CP）である。端末装置は、アクセス制御情報をパースすることによって、アクセス制御情報が、禁止されるサービスがCP方式を使って送信されるmo-Dataサービスであることを示すために使われることを判別する。端末装置によって現在送信されるべきサービスのサービス型がmo-Dataサービスであり、該サービスを送信するために端末装置によって使われる送信方式型がCP方式であるとき、端末装置は、アクセス制御情報に基づいて、アクセス制御因子は0.5であり、アクセス制御時間期間は10秒であると判別する。端末装置が0.7のような乱数を生成する場合は、0.7＞0.5なので端末装置は別の乱数、たとえば0.4を生成する。この場合、端末装置はタイマーの計時継続時間を(0.7＋0.6×0.4)×10＝9.4秒に設定する。タイマーが満了したとき、すなわち9.4秒後に、端末装置は別の乱数、たとえば0.3を生成する。0.3＜0.5なので、端末装置はRRC接続要求をアクセス・ネットワーク装置に送ることを決定する。
【０１５０】
一片のアクセス制御情報が複数のアクション型を示すことがあり、それらのアクション型がアクセス許可とアクセス禁止の両方を含むことがありうることを注意しておくべきである。しかしながら、アクセスが許可されるサービス型および送信方式型と、アクセスが禁止されるサービス型および送信方式型との間に共通部分は存在しない。関係した実装は、上記の方法と同じである。この実施形態において詳細を再び述べることはしない。
【０１５１】
上記の実施形態に基づく任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ６０７ないし６１０が代替的に、図７に示される以下のステップの任意の一つとして実装されてもよい。
【０１５２】
ステップ７０１：現在のサービスのサービス型が前記禁止されるサービス型に合い、現在のサービス型に対応する送信方式型が前記禁止される送信方式型に合うときは、前記端末装置のアクセス・クラスが前記アクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０１５３】
異なる端末装置は異なるアクセス・クラスをもつ。端末装置のアクセス・クラスは事前設定されている。
【０１５４】
一例では、端末装置によって受信されるアクセス制御情報は(禁止,mo-Data,CP)である。端末装置は、アクセス制御情報をパースすることによって、アクセス制御情報が、禁止されるサービスがCP方式を使って送信されるmo-Dataサービスであることを示すために使われることを判別する。端末装置によって現在送信されるサービスのサービス型がmo-Dataサービスであり、該サービスを送信するために端末装置によって使われる送信方式型がCP方式であるときは、端末装置は、アクセス制御情報に含まれるアクセス禁止クラスが2であることを判別する。端末装置のアクセス・クラスが2であるときは、端末装置はRRC接続要求をアクセス・ネットワーク装置に送らない。端末装置のアクセス・クラスが3であるときは、端末装置はRRC接続要求をアクセス・ネットワーク装置に送る。
【０１５５】
あるいはまた、ステップ７０１の別の代替的な実装解決策がステップ７０２に示されている。
【０１５６】
ステップ７０２：現在のサービスのサービス型が前記禁止されるサービス型に合い、前記現在のサービスに対応する送信方式型が前記禁止される送信方式型に合うときに、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０１５７】
上記の例示的実施形態では、端末装置によって現在送信されるサービスのサービス型がmo-Dataサービスであり、該サービスを送信するために端末装置によって使われる送信方式型がCP方式であるときは、端末装置は、アクセス制御情報に含まれるアクセス禁止クラスが2であることを判別する。端末装置のアクセス・クラスが1である場合は、端末装置はRRC接続要求をアクセス・ネットワーク装置に送る。端末装置のアクセス・クラスが3であるときは、端末装置はRRC接続要求をアクセス・ネットワーク装置に送らない。
【０１５８】
あるいはまた、ステップ７０１の別の代替的な実装解決策がステップ７０３に示されている。
【０１５９】
ステップ７０３：現在のサービスのサービス型が前記禁止されるサービス型に合い、前記現在のサービスに対応する送信方式型が前記禁止される送信方式型に合うときに、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０１６０】
上記の例示的実施形態では、端末装置によって現在送信されるサービスのサービス型がmo-Dataサービスであり、該サービスを送信するために端末装置によって使われる送信方式型がCP方式であるとき、端末装置は、アクセス制御情報に含まれるアクセス禁止クラスが2であることを判別する。端末装置のアクセス・クラスが3である場合は、端末装置はRRC接続要求をアクセス・ネットワーク装置に送る。端末装置のアクセス・クラスが1であるときは、端末装置はRRC接続要求をアクセス・ネットワーク装置に送らない。
【０１６１】
この実施形態において、端末装置は、ステップ７０１ないし７０３のうち任意の一つを実行する。具体的な使用されるステップはこの実施形態において限定されない。
【０１６２】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０１６３】
上記に鑑み、この開示のこの実施形態において提供される無線アクセス制御方法によれば、前記MMEは、禁止されるサービス型および禁止される送信方式型および／または許可されるサービス型および許可される送信方式型をアクセス・ネットワーク装置に示す。このようにして、MMEは、ある送信方式型を使って送信されるサービスのアクセスを禁止および／または許可するよう、アクセス・ネットワーク装置に指令してもよい。サービス・データがユーザー・プレーン方式を使って送信されるときのMMEの負荷は、サービス・データが制御プレーン方式を使って送信されるときのMMEの負荷とは異なるので、MMEは、必要に応じて、ある送信方式型を使って送信されるサービスを禁止および／または許可するよう、アクセス・ネットワーク装置に指令してもよい。よって、MMEの負荷が比較的重いとき、より重い負荷に対応する送信方式型を使って送信されるサービスのアクセスは禁止されるが、より軽い負荷に対応する送信方式型を使って送信されるサービスはいまだ受け取られてもよい。これは、ネットワーク資源利用率を改善する。
【０１６４】
データ送信属性は送信方式型および／またはRAT型を含む。下記の実施形態は、データ送信属性がRAT型である例を使って記述される。この場合、データ送信属性フィールドはRAT型フィールドである。
【０１６５】
図８Ａおよび図８Ｂを参照するに、図８Ａおよび図８Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０１６６】
ステップ８０１：負荷が事前設定された条件より大きいときに、MMEが過負荷開始メッセージをアクセス・ネットワーク装置に送る。前記過負荷開始メッセージは、禁止されるサービス型および禁止されるRAT型および／または許可されるサービス型および許可されるRAT型を前記アクセス・ネットワーク装置に対して示す。
【０１６７】
MMEが過負荷開始メッセージをアクセス・ネットワーク装置に送って、禁止されるサービス型および禁止されるRAT型および／または許可されるサービス型および許可されるRAT型を示すために、二つの異なる実装が利用可能である。過負荷開始メッセージは異なる実装において異なる内容を含む。
【０１６８】
第一の可能な実装では、過負荷開始メッセージはサービス型フィールドおよびRAT型フィールドを含む。前記過負荷開始メッセージはデフォルト・アクション型をもつ。アクション型はアクセス禁止およびアクセス許可の少なくとも一方である。過負荷開始メッセージのデフォルト・アクション型は事前設定されてもよい。
【０１６９】
第二の可能な実装では、過負荷開始メッセージはアクション型フィールド、サービス型フィールドおよびRAT型フィールドを含む。前記アクション型フィールドは過負荷開始メッセージのアクション型を示し、前記アクション型フィールドはアクセス禁止およびアクセス許可の少なくとも一方を含む。
【０１７０】
このステップで使われる実装はこの実施形態において限定されない。
【０１７１】
RAT型フィールドは、端末装置によって使われる無線アクセス技術を示す。RAT型フィールドは、WB-E-UTRANおよびNB-IoTの少なくとも一方を含む。
【０１７２】
任意的に、RAT型フィールドはさらに、5Gまたは別の無線アクセス技術を含んでいてもよい。これはこの実施形態において限定されない。
【０１７３】
上記二つの可能な実装において、サービス型フィールドによって示されるサービス型は、図６Ａおよび図６Ｂに示した実施形態におけるものと同じである。過負荷開始メッセージの可能な形式および内容については、図６Ａのステップ６０１で例解した過負荷開始メッセージを参照されたい。この実施形態において再び詳細を述べることはしない。
【０１７４】
ステップ８０２：アクセス・ネットワーク装置がMMEによって送られた過負荷開始メッセージを受信する。
【０１７５】
アクセス・ネットワーク装置によって過負荷開始メッセージのアクション型およびサービス型を判別するための方法については、図６Ａに示した実施形態におけるステップ６０２を参照されたい。この実施形態において再び詳細を述べることはしない。この実施形態では、アクセス・ネットワーク装置はアクション型およびサービス型を判別し、RAT型フィールドをパースしてRAT型を取得する。
【０１７６】
ステップ８０３：アクセス・ネットワーク装置は、過負荷開始メッセージに基づいてアクセス制御情報を生成する。アクセス制御情報は、禁止されるサービス型および禁止されるRAT型および／または許可されるサービス型および許可されるRAT型を端末装置に対して示す。
【０１７７】
アクセス制御情報によって示されるアクション型は、アクセス・ネットワーク装置によって判別される、過負荷開始メッセージのデフォルト・アクション型と同じである。
【０１７８】
アクセス制御情報によって示されるサービス型は、過負荷開始メッセージ内のサービス型フィールドをパースすることによってアクセス・ネットワーク装置によって取得されるサービス型と同じである。アクセス制御情報によって示されるRAT型は、過負荷開始メッセージ内のデータ送信属性フィールドをパースすることによってアクセス・ネットワーク装置によって取得されるRAT型と同じである。
【０１７９】
アクセス・ネットワーク装置が生成されたアクセス制御情報を使って、禁止されるサービス型および禁止されるRAT型および／または許可されるサービス型および許可されるRAT型を端末装置に対して示すために、二つの異なる実装が利用可能である。アクセス制御情報は異なる実装において異なる内容を含む。
【０１８０】
第一の可能な実装では、アクセス制御情報はサービス型フィールドおよびRAT型フィールドを含む。アクセス制御情報はデフォルト・アクション型をもつ。アクション型は禁止されるアクセスおよび許可されるアクセスの少なくとも一方である。
【０１８１】
第二の可能な実装では、アクセス制御情報はアクション型フィールド、サービス型フィールドおよびRAT型フィールドを含む。前記アクション型フィールドはアクセス制御情報のアクション型を示し、前記アクション型フィールドはアクセス禁止およびアクセス許可の少なくとも一方を含む。
【０１８２】
このステップにおいて使われる実装はこの実施形態において限定されない。
【０１８３】
アクセス制御情報の形式は、過負荷開始メッセージの形と同じであってもよい。この実施形態において詳細を再び記述することはしない。
【０１８４】
ステップ８０４：アクセス・ネットワーク装置が、アクセス制御情報を端末装置に送る。
【０１８５】
アクセス・ネットワーク装置によってアクセス制御情報を端末装置に送る方法については、図６Ａに示した実施形態におけるステップ６０４を参照されたい。この実施形態において再び詳細を述べることはしない。
【０１８６】
ステップ８０５：端末装置が、アクセス・ネットワーク装置によって送られたアクセス制御情報を受信する。
【０１８７】
端末装置によってアクセス制御情報のアクション型およびサービス型を判別する方法については、図６Ａに示した実施形態におけるステップ６０５を参照されたい。この実施形態において再び詳細を述べることはしない。この実施形態では、端末装置はアクション型およびサービス型を判別し、RAT型フィールドをパースしてRAT型を取得する。
【０１８８】
アクション型は、禁止されるアクセスおよび許可されるアクセスの少なくとも一つである。アクション型がアクセス許可である場合、本方法は次のステップ８０６を含む。
【０１８９】
ステップ８０６：現在のサービスのサービス型が前記許可されるサービス型に合い、前記現在のサービスに対応するRAT型が前記許可されるRAT型に合うとき、端末装置はRRC接続要求をアクセス・ネットワーク装置に送る。
【０１９０】
前記現在のサービスに対応するRAT型は、アクセス・ネットワーク装置にアクセスするために前記現在のサービスを送信する端末装置によって使われるRAT型である。
【０１９１】
アクセス制御情報におけるサービス型フィールドをパースすることによって端末装置によって取得されたサービス型は許可されるサービスである。RAT型フィールドをパースすることによって取得されたRAT型は許可されるRAT型である。
【０１９２】
端末装置によって現在送信されるサービスが許可されるサービスであり、使用されるRAT型が許可されるRAT型であるときは、端末装置は該RAT型を使ってRRC接続要求をアクセス・ネットワーク装置に送る。
【０１９３】
アクション型がアクセス禁止であるときは、二つの異なる実装が利用可能である。
【０１９４】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。この実施形態におけるアクセス制御因子およびアクセス制御時間期間の意味は、先の実施形態におけるアクセス制御因子およびアクセス制御時間期間の意味と同じである。この実施形態において再び詳細を述べることはしない。
【０１９５】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０１９６】
この実施形態において、記述のための例として第一の実装が使われる場合、本方法はさらに以下のステップ８０７ないしステップ８１０を含む。
【０１９７】
ステップ８０７：現在のサービスのサービス型が前記禁止されるサービス型に合い、前記現在のサービスに対応するRAT型が前記禁止されるRAT型に合うときに乱数を生成する。
【０１９８】
ステップ８０８：端末装置が、前記乱数がアクセス制御因子より小さいかどうかを判定する。
【０１９９】
ステップ８０９：前記乱数が前記アクセス制御因子より小さいときは、端末装置は、RRC接続要求を前記アクセス・ネットワーク装置に送ることを決定する。
【０２００】
ステップ８１０：前記乱数が前記アクセス制御因子以上であるときは、アクセス制御時間期間に基づいてタイマーを設定して、該タイマーが満了するときに、乱数を生成する前記ステップを再実行する。
【０２０１】
端末装置が前記第一の実装を使ってアクセス・ネットワーク装置にRRC接続要求を送るかどうかを決定する具体的な実装については、図６Ｂに示した実施形態におけるステップ６０７ないしステップ６１０を参照されたい。この実施形態において再び詳細を述べることはしない。
【０２０２】
一片のアクセス制御情報が複数のアクション型を示すことがあり、それらのアクション型が許可されるアクセスと禁止されるアクセスの両方を含むことがありうることを注意しておくべきである。アクセス許可のアクション型およびアクセス禁止のアクション型の実装は、先の方法と同じである。この実施形態において詳細を再び述べることはしない。
【０２０３】
上記の実施形態に基づくもう一つの任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ８０７ないし８１０が代替的に、図９に示される以下のステップの任意の一つとして実装されてもよい。
【０２０４】
ステップ９０１：現在のサービスのサービス型が前記禁止されるサービス型に合い、現在のサービス型に対応するRAT型が前記禁止されるRAT型に合うとき、前記端末装置のアクセス・クラスが前記アクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０２０５】
あるいはまた、ステップ９０１の別の代替的な実装解決策がステップ９０２に示されている。
【０２０６】
ステップ９０２：現在のサービスのサービス型が前記禁止されるサービス型に合い、前記現在のサービスに対応するRAT型が前記禁止されるRAT型に合うとき、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０２０７】
あるいはまた、ステップ９０１の別の代替的な実装解決策がステップ９０３に示されている。
【０２０８】
ステップ９０３：現在のサービスのサービス型が前記禁止されるサービス型に合い、前記現在のサービスに対応するRAT型が前記禁止されるRAT型に合うとき、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０２０９】
この実施形態において、ステップ９０１ないしステップ９０３の実装については、図７に示した実施形態におけるステップ７０１ないしステップ７０３を参照されたい。この実施形態において再び詳細を述べることはしない。端末装置は、ステップ９０１ないしステップ９０３のうち任意の一つを実行する。具体的な使用されるステップはこの実施形態において限定されない。
【０２１０】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０２１１】
この開示のこの実施形態において提供される無線アクセス制御方法によれば、前記MMEは、禁止されるサービス型および禁止されるRAT型および／または許可されるサービス型および許可されるRAT型をアクセス・ネットワーク装置に示す。このようにして、MMEは、あるRAT型を使ってアクセスを得る端末装置によって送信されるサービスのみを受信するよう、アクセス・ネットワーク装置に指令してもよい。WB-E-UTRANを使ってアクセスを得る第一の型の端末装置は、通例、ユーザーによって使用される端末装置であり、NB-IoTを使ってアクセスを得る第二の型の端末装置は、通例、スマート機器またはスマートメーターである。よって、MMEの負荷が比較的重いとき、MMEは、必要に応じて、ある型のRAT型を使ってアクセスを得る端末装置によって送信されるサービスを禁止および／または許可するよう指令してもよい。それにより、MMEの負荷が比較的重いときは、必要に応じて、ある型の端末装置によって送信されるサービスのみが受信されてもよい。これは、ネットワーク・サービス品質を改善する。
【０２１２】
データ送信属性は送信方式型および／またはRAT型を含む。下記の実施形態は、データ送信属性が送信方式型およびRAT型である例を使って記述される。
【０２１３】
図１０Ａおよび図１０Ｂを参照するに、図１０Ａおよび図１０Ｂは本発明のある例示的実施形態に基づく無線アクセス制御方法のフローチャートである。この実施形態は、本方法が図１に示される無線アクセス制御システムに適用される例を使って記述される。本方法は以下のステップを含む。
【０２１４】
ステップ１００１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示す。
【０２１５】
この実施形態では、データ送信属性は送信方式型およびRAT型を含む。送信方式型は、サービス・データを送信するために端末装置によって使用される送信方式を示す。RAT型は、端末装置によって使われる無線アクセス技術を示す。
【０２１６】
MMEが過負荷開始メッセージをアクセス・ネットワーク装置に送って、禁止されるサービス型および禁止されるデータ送信属性および／または許可されるサービス型および許可されるデータ送信属性を示すために、二つの異なる実装が利用可能である。過負荷開始メッセージは異なる実装において異なる内容を含む。
【０２１７】
第一の可能な実装では、過負荷開始メッセージはサービス型フィールドおよびデータ送信属性フィールドを含む。前記過負荷開始メッセージはデフォルト・アクション型をもつ。アクション型はアクセス禁止およびアクセス許可の少なくとも一方である。過負荷開始メッセージのデフォルト・アクション型は事前設定されてもよい。
【０２１８】
第二の可能な実装では、過負荷開始メッセージはアクション型フィールド、サービス型フィールドおよびデータ送信属性フィールドを含む。前記アクション型フィールドは過負荷開始メッセージのアクション型を示し、前記アクション型フィールドはアクセス禁止およびアクセス許可の少なくとも一方を含む。
【０２１９】
このステップで使われる実装はこの実施形態において限定されない。
【０２２０】
上記二つの可能な実装において、サービス型フィールドによって示されるサービス型は、上記の実施形態において示したサービス型と同じである。データ送信属性フィールドは、送信方式型フィールドおよびRAT型フィールドを含む。送信方式型フィールドは、図６Ａおよび図６Ｂに示した実施形態におけるものと同じである。RAT型フィールドは、図８Ａおよび図８Ｂに示した実施形態におけるものと同じである。この実施形態において再び詳細を述べることはしない。
【０２２１】
たとえば、MMEによってアクセス・ネットワーク装置に送られる過負荷開始メッセージのデフォルト・アクション型がアクセス許可であり、過負荷開始メッセージが(mo-Data,WB-E-UTRAN,UP)である場合、このメッセージは許可されるサービスが、WB-E-UTRANを使ってアクセスを得る端末装置によってUP方式を使って送信されるmo-Dataサービスであることを示す。あるいはまた、過負荷開始メッセージが(禁止,mo-Data,NB-IoT,CP)である場合、このメッセージは禁止されるサービスが、NB-IoTを使ってアクセスを得る端末装置によってCP方式を使って送信されるmo-Dataサービスであることを示す。過負荷開始メッセージの形および内容はこの実施形態において限定されない。
【０２２２】
ステップ１００２：アクセス・ネットワーク装置がMMEによって送られた過負荷開始メッセージを受信する。
【０２２３】
アクセス・ネットワーク装置によって過負荷開始メッセージのアクション型およびサービス型を判別するための方法については、図６Ａに示した実施形態におけるステップ６０２を参照されたい。この実施形態において再び詳細を述べることはしない。この実施形態では、アクセス・ネットワーク装置はアクション型およびサービス型を判別し、データ送信型フィールドをパースして送信方式型およびRAT型を取得する。
【０２２４】
ステップ１００３：アクセス・ネットワーク装置は、過負荷開始メッセージに基づいてアクセス制御情報を生成する。アクセス制御情報は、禁止されるサービス型および禁止されるデータ送信属性および／または許可されるサービス型および許可されるデータ送信属性を端末装置に対して示す。
【０２２５】
アクセス制御情報によって示されるアクション型は、アクセス・ネットワーク装置によって判別される、過負荷開始メッセージのデフォルト・アクション型と同じである。
【０２２６】
アクセス制御情報によって示されるサービス型は、過負荷開始メッセージ内のサービス型フィールドをパースすることによってアクセス・ネットワーク装置によって取得されるサービス型と同じである。アクセス制御情報によって示されるデータ送信属性は、過負荷開始メッセージ内のデータ送信属性フィールドをパースすることによってアクセス・ネットワーク装置によって取得されるデータ送信属性と同じである。具体的には、アクセス制御情報によって示される送信方式型は過負荷開始メッセージ内の送信方式型と同じであり、アクセス制御情報によって示されるRAT型は過負荷開始メッセージ内のRAT型と同じである。
【０２２７】
アクセス・ネットワーク装置が生成されたアクセス制御情報を使って、禁止されるサービス型および禁止されるデータ送信属性および／または許可されるサービス型および許可されるデータ送信属性を端末装置に対して示すために、二つの異なる実装が利用可能である。アクセス制御情報は異なる実装において異なる内容を含む。
【０２２８】
第一の可能な実装では、アクセス制御情報はサービス型フィールドおよびデータ送信属性フィールドを含む。アクセス制御情報はデフォルト・アクション型をもつ。アクション型は禁止されるアクセスおよび許可されるアクセスの少なくとも一方である。
【０２２９】
第二の可能な実装では、アクセス制御情報はアクション型フィールド、サービス型フィールドおよびデータ送信属性フィールドを含む。前記アクション型フィールドはアクセス制御情報のアクション型を示し、前記アクション型フィールドはアクセス禁止およびアクセス許可の少なくとも一方を含む。
【０２３０】
このステップにおいて使われる実装はこの実施形態において限定されない。
【０２３１】
アクセス制御情報の形式は、過負荷開始メッセージの形と同じであってもよい。この実施形態において詳細を再び記述することはしない。
【０２３２】
ステップ１００４：アクセス・ネットワーク装置が、アクセス制御情報を端末装置に送る。
【０２３３】
アクセス・ネットワーク装置によってアクセス制御情報を端末装置に送る方法は、先の実施形態におけるものと同じである。この実施形態において再び詳細を述べることはしない。
【０２３４】
ステップ１００５：端末装置が、アクセス・ネットワーク装置によって送られたアクセス制御情報を受信する。
【０２３５】
端末装置によってアクセス制御情報のアクション型およびサービス型を判別する方法については、図６Ａに示した実施形態におけるステップ６０５を参照されたい。この実施形態において再び詳細を述べることはしない。この実施形態では、端末装置はアクション型およびサービス型を判別し、データ送信属性フィールドをパースして送信方式型およびRAT型を取得する。
【０２３６】
アクション型は、アクセス禁止およびアクセス許可の少なくとも一つである。アクション型がアクセス許可である場合、本方法は次のステップ１００６を含む。
【０２３７】
ステップ１００６：現在のサービスのサービス型が前記許可されるサービス型に合い、前記現在のサービスに対応するデータ送信属性が前記許可されるデータ送信属性に合うとき、端末装置はRRC接続要求をアクセス・ネットワーク装置に送る。
【０２３８】
前記現在のサービスに対応するデータ送信属性は、アクセス・ネットワーク装置にアクセスするために前記現在のサービスを送信する端末装置によって使われるRAT型および前記現在のサービスを送信するために端末装置によって使われる送信方式型である。
【０２３９】
アクセス制御情報におけるサービス型フィールドをパースすることによって端末装置によって取得されたサービス型は許可されるサービスである。データ送信属性フィールドをパースすることによって取得される送信方式型およびRAT型は、許可される送信方式型および許可されるRAT型である。
【０２４０】
端末装置によって現在送信されるサービスが許可されるサービスであり、使用される送信方式型が許可される送信方式型であり、使用されるRAT型が許可されるRAT型であるときは、端末装置は該RAT型を使ってRRC接続要求をアクセス・ネットワーク装置に送る。
【０２４１】
アクション型がアクセス禁止であるときは、二つの異なる実装が利用可能である。
【０２４２】
第一の実装では、端末装置によって受信されるアクセス制御情報はアクセス制御因子およびアクセス制御時間期間を含む。端末装置は、アクセス制御因子およびアクセス制御時間期間に基づいて、アクセス・ネットワーク装置にRRC接続要求を送るかどうかを決定する。この実施形態におけるアクセス制御因子およびアクセス制御時間期間の意味は、先の実施形態におけるアクセス制御因子およびアクセス制御時間期間の意味と同じである。この実施形態において再び詳細を述べることはしない。
【０２４３】
第二の実装では、端末装置によって受信されるアクセス制御情報はアクセス禁止クラスを含む。端末装置は、アクセス禁止クラスに基づいて、アクセス・ネットワーク装置にRRC接続要求を送るかどうかを決定する。
【０２４４】
この実施形態において、記述のための例として第一の実装が使われる場合、本方法はさらに以下のステップ１００７ないしステップ１０１０を含む。
【０２４５】
ステップ１００７：現在のサービスのサービス型が前記禁止されるサービス型に合い、前記現在のサービスに対応するデータ送信属性が前記禁止されるデータ送信属性に合うとき、乱数を生成する。
【０２４６】
ステップ１００８：端末装置が、前記乱数がアクセス制御因子より小さいかどうかを判定する。
【０２４７】
ステップ１００９：前記乱数が前記アクセス制御因子より小さいときは、端末装置は、RRC接続要求を前記アクセス・ネットワーク装置に送ることを決定する。
【０２４８】
ステップ１０１０：前記乱数が前記アクセス制御因子以上であるときは、アクセス制御時間期間に基づいてタイマーを設定して、該タイマーが満了するときに、乱数を生成する前記ステップを再実行する。
【０２４９】
端末装置が前記第一の実装を使ってアクセス・ネットワーク装置にRRC接続要求を送るかどうかを決定する具体的な実装については、図６Ｂに示した実施形態におけるステップ６０７ないしステップ６１０を参照されたい。この実施形態において再び詳細を述べることはしない。
【０２５０】
一片のアクセス制御情報が複数のアクション型を示すことがあり、それらのアクション型が許可されるアクセスと禁止されるアクセスの両方を含むことがありうることを注意しておくべきである。アクセス許可のアクション型およびアクセス禁止のアクション型の実装は、先の方法と同じである。この実施形態において詳細を再び述べることはしない。
【０２５１】
上記の実施形態に基づくもう一つの任意的な実施形態が、端末装置によって受信されるアクセス制御情報のアクション型がアクセス禁止であり、RRC接続要求をアクセス・ネットワーク装置に送るかどうかを決定するために前記第二の実装が使われる例を使って記述される。この場合、端末装置によって受信されるアクセス制御情報はさらに、アクセス禁止クラスを含んでおり、ステップ１００７ないし１０１０が代替的に、図１１に示される以下のステップの任意の一つとして実装されてもよい。
【０２５２】
ステップ１１０１：現在のサービスのサービス型が前記禁止されるサービス型に合い、現在のサービス型に対応するデータ送信属性が前記禁止されるデータ送信属性に合うとき、前記端末装置のアクセス・クラスがアクセス禁止クラスに等しいかどうかを検出し、前記端末装置のアクセス・クラスが前記アクセス禁止クラスに等しくなければ、前記端末装置は、RRC接続要求をアクセス・ネットワーク装置に送ることを決定する。
【０２５３】
ステップ１１０２：現在のサービスのサービス型が前記禁止されるサービス型に合い、前記現在のサービスに対応するデータ送信属性が前記禁止されるデータ送信属性に合うとき、前記端末装置のアクセス・クラスがアクセス禁止クラスより大きいかどうかを検出し；前記端末装置のアクセス・クラスが前記アクセス禁止クラスより小さい場合、RRC接続要求をアクセス・ネットワーク装置に送ることを決定する。
【０２５４】
ステップ１１０３：現在のサービスのサービス型が前記禁止されるサービス型に合い、前記現在のサービスに対応するデータ送信属性が前記禁止されるデータ送信属性に合うとき、前記端末装置のアクセス・クラスがアクセス禁止クラスより小さいかどうかを検出し、前記端末装置のアクセス・クラスが前記アクセス禁止クラスより大きい場合、RRC接続要求をアクセス・ネットワーク装置に送ることを決定する。
【０２５５】
この実施形態において、ステップ１１０１ないしステップ１１０３の実装については、図７に示した実施形態におけるステップ７０１ないしステップ７０３を参照されたい。この実施形態において再び詳細を述べることはしない。端末装置は、ステップ１１０１ないしステップ１１０３のうち任意の一つを実行する。具体的な使用されるステップはこの実施形態において限定されない。
【０２５６】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０２５７】
この開示のこの実施形態において提供される無線アクセス制御方法によれば、前記MMEは、禁止されるサービス型および禁止されるデータ送信属性および／または許可されるサービス型および許可されるデータ送信属性をアクセス・ネットワーク装置に示す。データ送信属性は送信方式型およびRAT型を含む。このようにして、MMEは、あるRAT型を使ってアクセスを得る端末装置によってある送信方式型を使って送信されるサービスのみを禁止および／または許可するよう、アクセス・ネットワーク装置に指令してもよい。MMEの負荷が比較的重いとき、より軽い負荷に対応する、ある型の端末装置によって送信されるサービスは引き続き許可されてもよい。これは、ネットワーク資源利用率を改善し、ネットワーク・サービス品質を改善する。
【０２５８】
図１２Ａを参照するに、図１２Ａは、本発明のもう一つの例示的実施形態に基づく無線アクセス制御方法のフローチャートである。この実施形態は、本方法が図１に示される無線アクセス制御システムに適用される例を使って記述される。本方法は以下のステップを含む。
【０２５９】
ステップ１２０１：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示す。
【０２６０】
ステップ１２０２：アクセス・ネットワーク装置が、MMEによって送られた過負荷開始メッセージを受信する。
【０２６１】
過負荷開始メッセージに基づいて、アクセス・ネットワーク装置によって、禁止されるサービス型および禁止されるデータ送信属性および／または許可されるサービス型および許可されるデータ送信属性を判別するための方法は、上記の実施形態と同じである。この実施形態において再び詳細を述べることはしない。
【０２６２】
ステップ１２０３：端末装置が、RRC接続要求メッセージをアクセス・ネットワーク装置に送る。前記RRC接続要求は対応するサービス型および対応するデータ送信属性をもつ。
【０２６３】
RRC接続要求は、端末装置によって送信されるサービスによってトリガーされる。RRC接続要求に対応するサービス型およびデータ送信属性は、RRC接続要求をトリガーするサービスの型および端末装置が該サービスを送信するときに使われるデータ送信属性である。
【０２６４】
たとえば、端末装置がmo-Dataサービスを送信するためにCP方式を使うときに前記RRC接続要求がトリガーされる場合、RRC接続要求に対応するサービス型はmo-Dataサービスであり、RRC接続要求に対応するデータ送信属性はCP方式である。
【０２６５】
任意的に、RRC接続要求メッセージはさらに、サービス型フィールドおよびデータ送信属性フィールドを含む。
【０２６６】
サービス型フィールドは、サービス型を示す。データ送信属性フィールドはデータ送信属性を示す。サービス型フィールドおよびデータ送信属性フィールドの内容は、上記の例示的実施形態と同じである。この実施形態において再び詳細を述べることはしない。
【０２６７】
ステップ１２０４：アクセス・ネットワーク装置が、端末装置によって送られたRRC接続要求メッセージを受信する。
【０２６８】
アクセス・ネットワーク装置がRRC接続要求メッセージをパースして、前記RRC接続要求に対応するサービス型およびデータ送信属性を判別する。
【０２６９】
ステップ１２０５：アクセス・ネットワーク装置が、前記RRC接続要求に対応する前記サービス型および前記データ送信属性が禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送る。
【０２７０】
前記RRC接続要求に対応する前記サービス型および前記データ送信属性が許可されるサービス型および許可されるデータ送信属性であるときは、RRC接続セットアップ・メッセージが端末装置に送られ、端末装置とRRC接続が確立される。
【０２７１】
前記RRC接続要求に対応する前記サービス型および前記データ送信属性が禁止されるサービス型および禁止されるデータ送信属性であるときは、RRC接続拒否メッセージが端末装置に送られる。
【０２７２】
任意的に、前記RRC接続要求に対応する前記サービス型および前記データ送信属性が禁止されるサービス型および禁止されるデータ送信属性であるとき、二つの異なる実装がさらに含まれる。
【０２７３】
第一の可能な実装では、前記RRC接続要求に対応する前記サービス型および前記データ送信属性が禁止されるサービス型および禁止されるデータ送信属性であるとき、アクセス・ネットワーク装置は乱数を生成し、乱数がアクセス制御因子より小さいかどうかを判定する。前記乱数が前記アクセス制御因子より小さいときは、アクセス・ネットワーク装置はRRC接続要求メッセージを端末装置に送る。前記乱数が前記アクセス制御因子より小さくないときは、アクセス・ネットワーク装置はRRC接続拒否メッセージを端末装置に送る。アクセス制御因子の意味および具体的な実装については、先の実施形態を参照されたい。この実施形態において再び詳細を述べることはしない。
【０２７４】
第二の可能な実装では、RRC接続要求メッセージはさらに、端末装置のアクセス・クラスを含む。
【０２７５】
RRC接続要求に対応するサービス型およびデータ送信属性が禁止されるサービス型および禁止されるデータ送信属性であるとき、アクセス・ネットワーク装置は端末装置のアクセス・クラスがアクセス禁止クラスに等しいかどうかを判定する。端末装置のアクセス・クラスがアクセス禁止クラスに等しくない場合は、アクセス・ネットワーク装置はRRC接続セットアップ・メッセージを端末装置に送る。端末装置のアクセス・クラスがアクセス禁止クラスに等しい場合は、アクセス・ネットワーク装置はRRC接続拒否メッセージを端末装置に送る。本方法は、代替的に、端末装置のアクセス・クラスがアクセス禁止クラスより大きいかどうかまたは小さいかどうかを検出することとして実装されてもよい。具体的な実装は上記の実施形態と同様である。この実施形態において再び詳細を述べることはしない。
【０２７６】
ステップ１２０６：端末装置が、前記アクセス・ネットワーク装置によって送られたRRC接続セットアップ・メッセージまたはRRC接続拒否メッセージを受信する。
【０２７７】
図１２Ａに示される実施形態においては、RRC接続要求に対応するサービス型およびデータ送信属性は、RRC接続要求メッセージと一緒に送られる。もう一つの任意的な実施形態では、端末装置は代替的に、RRC接続要求に対応するサービス型のみをRRC接続メッセージ要求と一緒に送って、RRC接続要求に対応するデータ送信属性はRRC接続メッセージ要求を送る前に送ってもよい。この場合、ステップ１２０１およびステップ１２０４は代替的に、図１２Ｂに示されるように、以下のステップとして実装されてもよい。
【０２７８】
ステップ１２１０：負荷が事前設定された条件より大きいときに、MMEが過負荷開始メッセージをアクセス・ネットワーク装置に送る。前記過負荷開始メッセージは、禁止されるサービス型および禁止されるデータ送信属性および／または許可されるサービス型および許可されるデータ送信属性を前記アクセス・ネットワーク装置に対して示す。
【０２７９】
ステップ１２１１：アクセス・ネットワーク装置が、MMEによって送られた過負荷開始メッセージを受信する。
【０２８０】
ステップ１２１２：端末装置が、RRC接続要求に対応するデータ送信属性をアクセス・ネットワーク装置に送る。
【０２８１】
ステップ１２１３：アクセス・ネットワーク装置が、RRC接続要求に対応する、端末装置によって送られたデータ送信属性を受信する。
【０２８２】
任意的に、アクセス・ネットワーク装置は、ランダム・アクセス・プリアンブル（Random  Access  Preamble）とデータ送信属性との間の対応を前もって端末装置に送ってもよい。端末装置は、前記RRC接続要求に対応するデータ送信属性に基づいて、アクセス・ネットワーク装置にランダム・アクセス要求を送るためのデータ送信属性に対応するプリアンブルを選択する。アクセス・ネットワーク装置は、端末装置によって送られたランダム・アクセス要求によって使用されるプリアンブルに基づいて、RRC接続要求に対応するデータ送信属性を決定する。
【０２８３】
たとえば、データ送信属性が送信方式型：CP方式またはUP方式を含むとき、アクセス・ネットワーク装置は、端末装置に、プリアンブルAがCP方式に対応し、プリアンブルBがUP方式に対応することを事前に通知する。RRC接続要求を開始するよう端末装置をトリガーするサービスがCP方式を使う場合、端末装置はアクセス・ネットワーク装置に対するランダム・アクセス要求を開始するためにプリアンブルAを選択する。アクセス・ネットワーク装置はランダム・アクセス要求を受信し、ランダム・アクセス要求によって使われるプリアンブルAに基づいて、端末装置のRRC接続要求に対応するデータ送信属性がCP方式であることを判別する。
【０２８４】
もう一つの例について、データ送信属性が無線アクセス技術：WB-E-UTRANまたはNB-IoTを含むとき、アクセス・ネットワーク装置は、プリアンブルCがWB-E-UTRANに対応し、プリアンブルDがNB-IoTに対応することを端末装置に事前に通知する。RRC接続要求を開始するよう端末装置をトリガーするサービスがNB-IoTを使う場合、端末装置はアクセス・ネットワーク装置に対するランダム・アクセス要求を開始するためにプリアンブルDを選択する。アクセス・ネットワーク装置はランダム・アクセス要求を受信し、ランダム・アクセス要求によって使われるプリアンブルDに基づいて、端末装置のRRC接続要求に対応するデータ送信属性がNB-IoTであることを判別する。
【０２８５】
ステップ１２１４：端末装置が、RRC接続要求メッセージをアクセス・ネットワーク装置に送る。前記RRC接続要求は対応するサービス型および対応するデータ送信属性をもつ。
【０２８６】
RRC接続要求メッセージはさらに、サービス型フィールドを含む。
【０２８７】
サービス型フィールドは、サービス型を示す。サービス型フィールドの内容は、上記の例示的実施形態と同じである。この実施形態において再び詳細を述べることはしない。
【０２８８】
ステップ１２１５：アクセス・ネットワーク装置が、端末装置によって送られたRRC接続要求メッセージを受信する。
【０２８９】
上記に鑑み、この開示のこの実施形態において提供される無線アクセス制御方法によれば、負荷が比較的重いMMEは、あるサービス型のすべてのサービスではなく、このサービス型における前記データ送信属性に合ういくつかのサービスのアクセスを禁止および／または許可するよう指令する。これは、負荷が比較的重いMMEがある型のすべてのサービスのアクセスを禁止するよう前記アクセス・ネットワーク装置に指令するために引き起こされる低いMME資源利用率という問題を解決し、以下の効果を達成する：アクセス・ネットワーク装置は、MMEの指令に基づいて、サービス型およびデータ送信属性両方に合うサービスのアクセスのみを禁止および／または許可してもよく、MMEの負荷を著しく増すことなくできるだけ多くのサービス型についてサービス機能が提供され、それによりネットワーク資源利用率を改善する。
【０２９０】
下記は、本発明の装置実施形態であり、装置実施形態は、本発明の方法実施形態を実行するために使用されうる。本発明の装置実施形態において開示されていない詳細については、本発明の方法実施形態を参照されたい。
【０２９１】
図１３Ａを参照するに、図１３Ａは本発明のある実施形態に基づく無線アクセス制御装置の構造的なブロック図である。本無線アクセス制御装置は、ソフトウェア、ハードウェアまたはソフトウェアとハードウェアの組み合わせを使って、端末装置の一部または全部として実装されてもよい。本無線アクセス制御装置は：
アクセス・ネットワーク装置によって送られたアクセス制御情報を受信するよう構成された受信ユニット１３１０であって、前記アクセス制御情報は禁止されるサービス型および禁止されるデータ送信属性および／または許可されるサービス型および許可されるデータ送信属性を前記端末装置に対して示し、前記データ送信属性は送信方式型および／またはRAT型を含み、前記送信方式型は、サービス・データを送信するために前記端末装置によって使われる送信方式を示し、前記RAT型は前記端末装置によって使われる無線アクセス技術を示す、受信ユニットと；
前記サービス型および前記データ送信属性に基づいて、RRC接続要求を前記アクセス・ネットワーク装置に送るかどうかを決定するよう構成された処理ユニット１３２０とを含んでいてもよい。
【０２９２】
関連した詳細については、上記の方法実施形態を参照されたい。
【０２９３】
もう一つの任意的な実装では、アクセス制御情報はアクセス制御因子およびアクセス制御時間期間を含む。
【０２９４】
処理ユニット１３２０はさらに、現在のサービスのサービス型が前記禁止されるサービス型に合い、前記現在のサービスに対応するデータ送信属性が前記禁止されるデータ送信属性に合うとき、乱数を生成するよう構成される。
【０２９５】
処理ユニット１３２０はさらに、前記乱数が前記アクセス制御情報に含まれる前記アクセス制御因子より小さいかどうかを判定するよう構成される。
【０２９６】
処理ユニット１３２０はさらに、前記乱数が前記アクセス制御因子より小さいときは、前記RRC接続要求を、通信ユニットを使って前記アクセス・ネットワーク装置に送ることを決定するよう構成される。
【０２９７】
処理ユニット１３２０はさらに、前記乱数が前記アクセス制御因子以上であるときは、前記アクセス制御情報に含まれる前記アクセス制御時間期間に基づいてタイマーを設定して、該タイマーが満了するときに、乱数を生成する前記ステップを再実行するよう構成される。
【０２９８】
関連した詳細については、上記の方法実施形態を参照されたい。
【０２９９】
もう一つの任意的な実施形態では、図１３Ａに示される無線アクセス制御装置はさらに、送信ユニット１３３０を含み、前記アクセス制御情報はアクセス禁止クラスを含む。
【０３００】
処理ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスに等しいかどうかを検出し；前記端末装置のアクセス・クラスが前記アクセス禁止クラスに等しくなければ、前記RRC接続要求を前記送信ユニット１３３０を使って前記アクセス・ネットワーク装置に送ることを決定するよう構成される；または
処理ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスより大きいかどうかを検出し；前記端末装置のアクセス・クラスが前記アクセス禁止クラスより小さい場合、前記RRC接続要求を前記送信ユニット１３３０を使って前記アクセス・ネットワーク装置に送ることを決定するよう構成される；または
処理ユニット１３２０はさらに：現在のサービスのサービス型が前記禁止されるサービス型に合い、前記現在のサービスに対応するデータ送信属性が前記禁止されるデータ送信属性に合うとき、前記端末装置のアクセス・クラスが前記アクセス制御情報に含まれる前記アクセス禁止クラスより小さいかどうかを検出し；前記端末装置のアクセス・クラスが前記アクセス禁止クラスより大きい場合、前記RRC接続要求を前記送信ユニット１３３０を使って前記アクセス・ネットワーク装置に送ることを決定するよう構成される。
【０３０１】
関連した詳細については、上記の方法実施形態を参照されたい。
【０３０２】
もう一つの任意的な実施形態では、図１３Ａに示される無線アクセス制御装置はさらに送信ユニット１３３０を含む。決定ユニット１３２０はさらに：現在のサービスのサービス型が前記禁止されるサービス型に合い、前記現在のサービスに対応するデータ送信属性が前記許可されるデータ送信属性に合うときに、前記RRC接続要求を前記送信ユニット１３３０を使って前記アクセス・ネットワーク装置に送るよう構成される。
【０３０３】
関連した詳細については、上記の方法実施形態を参照されたい。
【０３０４】
もう一つの任意的な実施形態では、図１３Ｂに示されるように、図１３Ａに示される無線アクセス制御装置はさらに送信ユニット１３３０を含む。
【０３０５】
送信ユニット１３３０はさらに、RRC接続要求メッセージをアクセス・ネットワーク装置に送るよう構成される。前記RRC接続要求は対応するサービス型および対応するデータ送信属性をもつ。
【０３０６】
受信ユニット１３１０はさらに、アクセス・ネットワーク装置によって送られたRRC接続セットアップ・メッセージまたはRRC接続拒否メッセージを受信するよう構成される。ここで、RRC接続セットアップ・メッセージまたはRRC接続拒否メッセージは、前記RRC接続要求に対応する前記サービス型および前記データ送信属性が、禁止されるサービス型および禁止されるデータ送信属性および／または許可されるサービス型および許可されるデータ送信属性に属するかどうかに基づいて前記アクセス・ネットワーク装置によって送られる。
【０３０７】
受信ユニット１３１０はさらに、前記RRC接続要求に対応するデータ送信属性をアクセス・ネットワーク装置に送るよう構成される。
【０３０８】
図１３Ａに示される無線アクセス制御装置および／または図１３Ｂに示される無線アクセス制御装置は、前記無線アクセス制御方法を実装するよう構成されることを注意しておくべきである。端末装置は、受信ユニットを使って情報を受信してもよく、端末装置は送信ユニットを使って情報を送ってもよく、端末装置は、処理ユニットを使って、情報を送るおよび／または受信するかどうかを決定するステップを実行してもよい。
【０３０９】
前記受信ユニットに対応するエンティティー装置は、端末装置の受信機であり、前記送信ユニットに対応するエンティティー装置は、端末装置の送信機であり、前記処理ユニットに対応するエンティティー装置は、端末装置のプロセッサである。
【０３１０】
図１４を参照するに、図１４は本発明のある実施形態に基づく無線アクセス制御装置の構造的なブロック図である。本無線アクセス制御装置は、ソフトウェア、ハードウェアまたはソフトウェアとハードウェアの組み合わせを使って、アクセス・ネットワーク装置の一部または全部として実装されてもよい。本無線アクセス制御装置は：
移動性管理エンティティーMMEによって送られた過負荷開始メッセージを受信するよう構成された受信ユニット１４１０であって、前記過負荷開始メッセージは、禁止されるサービス型および禁止されるデータ送信属性および／または許可されるサービス型および許可されるデータ送信属性を前記アクセス・ネットワーク装置に対して示し、前記データ送信属性は送信方式型および／またはRAT型を含み、前記送信方式型は、サービス・データを送信するために端末装置によって使われる送信方式を示し、前記RAT型は前記端末装置によって使われる無線アクセス技術を示す、受信ユニットと；
前記受信ユニット１４１０によって受信された前記過負荷開始メッセージに基づいてアクセス制御情報を生成するよう構成された処理ユニット１４２０であって、前記アクセス制御情報は、禁止されるサービス型および禁止されるデータ送信属性および／または許可されるサービス型および許可されるデータ送信属性を前記端末装置に対して示す、処理ユニットと；
前記アクセス制御情報を端末装置に送るよう構成された送信ユニット１４３０とを含んでいてもよい。
【０３１１】
関連した詳細については、上記の方法実施形態を参照されたい。
【０３１２】
ある任意的な実施形態では、
受信ユニット１４１０はさらに、端末装置によって送られたRRC接続要求メッセージを受信するよう構成される。RRC接続要求は、対応するサービス型および対応するデータ送信属性をもつ。
【０３１３】
送信ユニット１４３０はさらに、前記RRC接続要求に対応する前記サービス型および前記データ送信属性が禁止されるサービス型および禁止されるデータ送信属性および／または許可されるサービス型および許可されるデータ送信属性に属するかどうかに基づいて、RRC接続セットアップ・メッセージまたはRRC接続拒否メッセージを端末装置に送るよう構成される。
【０３１４】
受信ユニット１４１０はさらに、端末装置によって送られる、前記RRC接続要求に対応するデータ送信属性を受信するよう構成される。
【０３１５】
図１４に示される無線アクセス制御装置は、前記無線アクセス制御方法を実装するよう構成されることを注意しておくべきである。アクセス・ネットワーク装置は、受信ユニットを使って情報を受信してもよく、アクセス・ネットワーク装置は送信ユニットを使って情報を送ってもよく、アクセス・ネットワーク装置は、処理ユニットを使って、情報を処理するステップを実行してもよい。
【０３１６】
前記受信ユニットに対応するエンティティー装置は、アクセス・ネットワーク装置の受信機であり、前記送信ユニットに対応するエンティティー装置は、アクセス・ネットワーク装置の送信機であり、前記処理ユニットに対応するエンティティー装置は、アクセス・ネットワーク装置のプロセッサである。
【０３１７】
図１５を参照するに、図１５は本発明のある実施形態に基づく無線アクセス制御装置の構造的なブロック図である。本無線アクセス制御装置は、ソフトウェア、ハードウェアまたはソフトウェアとハードウェアの組み合わせを使って、MMEの一部または全部として実装されてもよい。本無線アクセス制御装置は：
負荷が事前設定された条件より大きいときに、過負荷開始メッセージをアクセス・ネットワーク装置に送るよう構成された送信ユニット１５１０であって、前記過負荷開始メッセージは、禁止されるサービス型および禁止されるデータ送信属性および／または許可されるサービス型および許可されるデータ送信属性を前記アクセス・ネットワーク装置に対して示し、前記データ送信属性は送信方式型および／またはRAT型を含み、前記送信方式型は、サービス・データを送信するために端末装置によって使われる送信方式を示し、前記RAT型は前記端末装置によって使われる無線アクセス技術を示す、送信ユニットを含んでいてもよい。
【０３１８】
関連した詳細については、上記の方法実施形態を参照されたい。
【０３１９】
図１５に示される無線アクセス制御装置は、前記無線アクセス制御方法を実装するよう構成されることを注意しておくべきである。MMEは、送信ユニットを使って情報を送ってもよい。図１５に示される無線アクセス制御装置はさらに、受信ユニットおよび処理ユニットを含んでいてもよい。MMEは受信ユニットを使って情報を受信してもよく、MMEは処理ユニットを使って、情報を処理するステップを実行してもよい。
【０３２０】
前記受信ユニットに対応するエンティティー装置はMMEの受信機であり、前記送信ユニットに対応するエンティティー装置はMMEの送信機であり、前記処理ユニットに対応するエンティティー装置はMMEのプロセッサである。
【０３２１】
本実施形態で提供される無線アクセス制御装置が無線アクセスを制御するとき、機能モジュールの分割は、単に記述のための例として使われていることを注意しておくべきである。実際の応用では、機能は異なる機能モジュールに割り当てられ、必要に応じて実装されてもよい。換言すれば、本装置の内部構造は、上記の全部またはいくつかの機能を実装するよう異なる機能モジュールに分割される。加えて、本実施形態において提供される無線アクセス制御装置は、前記無線アクセス制御方法の方法実施形態と同じ概念に係る。無線アクセス制御装置の具体的な実装プロセスについては、方法実施形態を参照されたい。ここで再び詳細を述べることはしない。
【０３２２】
本明細書で使用される単数形「一つの」（「a」「an」または「the」）は、文脈が明瞭に例外を支持するのでない限り、さらに複数形を含むことが意図されていることを理解しておくべきである。さらに、本明細書で使用される「および／または」は、一つまたは複数の関連する挙げられている項目の任意のものまたはあらゆる可能な組み合わせを含むことを意味する。
【０３２３】
本発明の実施形態のシーケンス番号は単に例解目的のためであり、実施形態の優先度を示すことは意図されていない。
【０３２４】
当業者は、実施形態のステップの全部またはいくつかがハードウェアまたは関係するハードウェアに指令するプログラムによって実装されうることを理解しうる。プログラムは、コンピュータ可読記憶媒体に記憶されてもよい。記憶媒体は：読み出し専用メモリ、磁気ディスク、光ディスクなどを含んでいてもよい。
【０３２５】
上記の記述は単に本発明の例示的実施形態であり、本発明を限定することは意図されていない。本発明の精神および原理から外れない任意の修正、等価な置換および改善が、本発明の保護範囲にはいる。
【国際調査報告】
2019509698.tif 000024
2019509698.tif 000025
2019509698.tif 000026
2019509698.tif 000027